(57)【特許請求の範囲】
【請求項１】
両端を含む配列番号１２５の残基２２−１８５、２２−１８９、２２−１９４、または２２−２０１のアミノ酸配列から成るポリペプチド。
【請求項２】
さらにカルボキシル末端から伸びるヒトＩｇＧ１のＦｃ領域を含む請求項１に記載のポリペプチド。
【請求項３】
両端を含む配列番号１２５の残基２７−１８５、２７−１８９、２７−１９４、２７−４０１、または３２−４０１のアミノ酸配列から成るポリペプチド。
【請求項４】
さらに、カルボキシル末端から伸びるヒトＩｇＧ１のＦｃ領域を含む請求項３に記載のポリペプチド。
【請求項５】
配列番号１２５のアミノ酸配列の残基２２−２０１からなりカルボキシル末端においてＦｃ領域と融合しているポリペプチド（huOPG［22-201］-Fc）
アミノ末端メチオニンを有する配列番号１２５のアミノ酸配列の残基２２−１８５からなるポリペプチド（huOPG met［22-185］）
アミノ末端メチオニンを有する配列番号１２５のアミノ酸配列の残基２２−１８９からなるポリペプチド（huOPG met［22-891］）
アミノ末端メチオニンを有する配列番号１２５のアミノ酸配列の残基２２−１９４からなるポリペプチド（huOPG met［22-194］）
アミノ末端メチオニンを有する配列番号１２５のアミノ酸配列の残基２７−１８５からなるポリペプチド（huOPG met［27-185］）
アミノ末端メチオニンを有する配列番号１２５のアミノ酸配列の残基２７−１８９からなるポリペプチド（huOPG met［27-189］）
アミノ末端メチオニンを有する配列番号１２５のアミノ酸配列の残基２７−１９４からなるポリペプチド（huOPG met［27-194］）
アミノ末端メチオニンを有し２５位のプロリンがアラニンと置換している配列番号１２５のアミノ酸配列の残基２２−１９４からなるポリペプチド（huOPG met［22-194］（P25A））
アミノ末端メチオニンを有し２６位のプロリンがアラニンと置換している配列番号１２５のアミノ酸配列の残基２２−１９４からなるポリペプチド（huOPG met［22-194］（P26A））
よりなる群から選択されるポリペプチド。
【請求項６】
水溶性ポリマーで修飾された請求項１乃至５のいずれか１項に記載のポリペプチド。
【請求項７】
水溶性ポリマーがポリエチレングリコールである請求項６に記載のポリペプチド。
【請求項８】
請求項１乃至５のいずれか１項に記載のポリペプチドをコードする核酸。
【請求項９】
ｃＤＮＡ、ゲノムＤＮＡ、合成ＤＮＡまたはＲＮＡである請求項８に記載の核酸。
【請求項１０】
大腸菌発現に適した１以上のコドンを含む請求項８に記載の核酸。
【請求項１１】
検出可能な標識が結合している請求項８に記載の核酸。
【請求項１２】
請求項８の核酸を含む発現ベクター。
【請求項１３】
請求項１２の発現ベクターで形質転換またはトランスフェクトされた宿主細胞。
【請求項１４】
真核細胞である請求項１３の宿主細胞。
【請求項１５】
ＣＨＯ、ＣＯＳ、２９３、３Ｔ３、ＣＶ−１およびＢＨＫ細胞から成る群より選択される請求項１３に記載の宿主細胞。
【請求項１６】
原核細胞である請求項１３の宿主細胞。
【請求項１７】
大腸菌である請求項１３の宿主細胞。
【請求項１８】
好適な栄養条件下で請求項８の核酸で形質転換またはトランスフェクトされた宿主細胞を増殖させ、当該核酸の発現のポリペプチド産物を単離することを含む、請求項１乃至５のいずれか１項に記載のポリペプチドの製造方法。
【請求項１９】
発現ベクターを含む非ヒトトランスジェニック哺乳動物であって、当該発現ベクターが、発現されると当該トランスジェニック哺乳動物において骨密度を増加させるポリペプチドを産生する配列番号１２１、１２３または１２５のポリペプチドをコードする核酸を含むことを特徴とする前記トランスジェニック哺乳動物。
【請求項２０】
げっ歯類である請求項１９に記載の非ヒトトランスジェニック哺乳動物。
【請求項２１】
マウスである請求項１９に記載の非ヒトトランスジェニック哺乳動物。
【請求項２２】
請求項１乃至５のいずれか１項に記載のポリペプチドに特異的に結合する抗体またはその断片。
【請求項２３】
モノクローナル抗体である請求項２２に記載の抗体。
【請求項２４】
医薬上許容される担体、アジュバント、可溶化剤、安定化剤および／または抗酸化剤中の治療上有効量の請求項１乃至５のいずれか１項に記載のポリペプチドを含む医薬組成物。
【請求項２５】
請求項１乃至５のいずれか１項に記載のポリペプチドを含む、骨障害を治療するための組成物。
【請求項２６】
該骨障害が過剰な骨喪失である請求項２５に記載の組成物。
【請求項２７】
該骨障害が骨粗鬆症、骨のパジェット病、高カルシウム血症、副甲状腺機能亢進症、ステロイド−誘発骨減少症、慢性関節リウマチによる骨喪失、骨髄炎による骨喪失、骨溶解転移、および歯周骨喪失よりなる群から選択される請求項２６に記載の組成物。
【請求項２８】
さらに、骨形態発生蛋白質ＢＭＰ−１ないしＢＭＰ−１２、ＴＧＦ−βファミリーのメンバー、ＩＬ−１阻害剤、ＴＮＦα阻害剤、副甲状腺ホルモンおよびそのアナログ、副甲状腺ホルモン関連蛋白質およびそのアナログ、Ｅシリーズのプロスタグランジン、ビスホスホネート、および骨増強性ミネラルよりなる群から選択される物質の治療上有効量とともに投与される請求項２５に記載の組成物。
【請求項２９】
モノマーとして請求項１乃至５のいずれかに記載の複数のポリペプチドよりなるポリペプチド多量体。
【請求項３０】
ダイマーである請求項２９に記載の多量体。
【請求項３１】
鎖内ジスルフィド結合によって形成された請求項２９に記載の多量体。
【請求項３２】
ヒトＩｇＧ１に由来するＦｃ領域との組合せによって形成された請求項２９に記載の多量体。
【請求項３３】
モノマーおよび不活性な多量体を実質的に含まない請求項２９に記載の多量体。
【請求項３４】
該モノマーが図９Ｃ−９Ｄ［配列番号：１２５］の残基２２−１９４で示されるアミノ酸配列を含む請求項２９に記載の多量体。
【発明の詳細な説明】
発明の分野
本発明は、一般に、骨代謝の調節に関与するポリペプチドに関する。さらに詳しくは、本発明は、腫瘍壊死因子受容体スーパーファミリーのメンバーであるオステオプロテゲリンと呼ばれる新規なポリペプチドに関する。該ポリペプチドは骨粗鬆症のごとき骨喪失の増大によって特徴付けられる骨の病気を治療するのに用いられる。
発明の背景
ポリペプチド成長因子およびサイトカインは分泌因子であって、別々の表面結合受容体に特異的に結合することによって、細胞増殖、分化および代謝における広範囲の変化をシグナル化する。蛋白質のクラスとして、受容体はそれらの構造およびシグナル変換の様式が異なる。それらは、リガンド結合に関与する細胞外ドメイン、および適当な細胞内シグナルを伝達する細胞質ドメインを有することによって特徴付けられる。受容体発現パターンは、最終的には、いずれの細胞が所与のリガンドに応答するかを決定し、所与の受容体の構造はリガンド結合によって誘導された細胞応答を指示する。蛋白質チロシン、または蛋白質セリン／トレオニンのリン酸化を活性化することによって（例えば、血小板由来成長因子受容体（ＰＤＧＦＲ）またはトランスフォーミング成長因子−β受容体−Ｉ（ＴＧＦβＲ−Ｉ））、Ｇ−プロテイン活性化を刺激することによって（例えば、β−アドレナリン受容体）、および細胞質シグナル変換蛋白質との会合を調節することによって（例えば、ＴＮＦＲ−１およびＦａｓ／ＡＰＯ）、受容体はそれらの細胞質ドメインを介して細胞内シグナルを伝達することが示されている（Ｈｅｌｄｉｎ，Ｃｅｌｌ  ８０，２１３−２２３（１９９５））。
腫瘍壊死因子受容体（ＴＮＦＲ）スーパーファミリーはＩ型膜貫通蛋白質の群であり、細胞内ドメインにおいて３ないし６回反復される保存されたシステイン−リッチのモチーフを有する（Ｓｍｉｔｈら  Ｃｅｌｌ  ７６，９５３−９６２（１９９４））。押しなべて、これらの反復単位はこれらの受容体のリガンド結合ドメインを形成する（Ｃｈｅｎら，Ｃｈｅｍｉｓｔｒｙ  ２７０，２８７４−２８７８（１９９５））。これらの受容体のリガンドは、構造的に、ＴＮＦαに相同な蛋白質の関連群である（Ｇｏｅｄｄｅｌら，  Ｃｏｌｄ  Ｓｐｒｉｎｇ  Ｈａｒｂｏｒ  Ｓｙｍｐ．  Ｑｕａｒｔ，Ｂｉｏｌ．  ５１，５９７−６０９（１９８６）；Ｎａｇａｔａら  Ｓｃｉｅｎｃｅ  ２６７，１４４９−１４５６（１９９５））。ＴＮＦαは区別されるが密接に関連した受容体ＴＮＦＲ−１およびＴＮＦＲ−２に結合する。ＴＮＦαは、増殖、分化、および細胞傷害およびアポトーシスを含めた、受容体担持細胞における種々の生物学的応答を生起する（Ｂｅｕｔｌｅｒら，  Ａｎｎ．  Ｒｅｖ．  Ｂｉｏｃｈｅｍ．  ５７，５０５−５１８（１９８８））。
ＴＮＦαは急性および慢性炎症反応を媒介すると信じられている（Ｂｅｕｔｌｅｒら，Ａｎｎ．Ｒｅｖ．Ｂｉｏｃｈｅｍ．５７，５０５−５０８（１９８８））。ＴＮＦαの全身送達は毒ショックおよび広範な組織壊死を誘導する。このため、ＴＮＦαは敗血症を含めた、種々の感染性疾患に関連したひどい発病率および死亡率の原因であり得る。ＴＮＦＲ−関連受容体Ｆａｓ／ＡＰＯのリガンドであるＦａｓＬにおける突然変異（Ｓｕｄａら，  Ｃｅｌｌ  ７５，１１６８−１１７８（１９９３））は自己免疫に関連するが（Ｆｉｓｈｅｒら  Ｃｅｌｌ  ８１，９３５−９４６（１９９５））、ＦａｓＬの過剰生産は薬物誘導肝炎に関係している可能性がある。かくして、種々のＴＮＦＲ−関連蛋白質に対するリガンドは、しばしば、多くの病気状態のひどい効果を媒介し、これはこれらのリガンドの活性を中和する薬剤が治療的価値を有することを示唆する。可溶性ＴＮＦＲ−１受容体、およびＴＮＦαに結合する抗体が、全身ＴＮＦαを中和するそれらの能力についてテストされている（Ｌｏｅｔｓｃｈｅｒら，  Ｃａｎｃｅｒ  Ｃｅｌｌｓ  ３（６），２２１−２２６（１９９１））。分泌ＴＮＦＲ−１  ｍＲＮＡの天然に生じる形態が最近クローン化され、その産物がイン・ビトロおよびイン・ビボでＴＮＦα活性を中和するその能力につきテストされた（Ｋｏｈｎｏら  ＰＮＡＳ  ＵＳＡ  ８７，８３３１−８３３５（１９９０））。ＴＮＦαを中和するこの蛋白質の能力は、可溶性ＴＮＦ受容体がＴＮＦに結合し、それを一掃するように機能し、それにより、ＴＮＦＲ−担持細胞に対する細胞傷害効果をブロックすることを示唆している。
本発明の目的は、ＴＮＦＲスーパーファミリーの新しいメンバーを同定することにある。新しいファミリーメンバーは、膜貫通蛋白質、または細胞外ドメインを含み膜貫通および細胞質ドメインを欠くその可溶性形態であろうことが期待される。本発明者らは、ＴＮＦＲ−２に密接に関連した分泌蛋白質をコードするＴＮＦＲスーパーファミリーの新しいメンバーを同定した。可溶性ＴＮＦＲ−１に対する類似性により、ＴＮＦＲ−２関連蛋白質はそのリガンドの活性を負に調節し、かくして、ある種のヒト疾患の治療で有用であり得る。
発明の概要
腫瘍壊死因子受容体（ＴＮＦＲ）スーパーファミリーの新規なメンバーは胎児ラット腸ｃＤＮＡライブラリーから同定された。全長ｃＤＮＡクローンが得られ、配列決定された。トランスジェニックマウスにおけるラットｃＤＮＡの発現により、特に長骨、骨盤骨および椎骨において、骨密度の顕著な増加が明らかとされた。該ｃＤＮＡによってコードされたポリペプチドはオステプロテゲリン（ＯＰＧ）と呼ばれ、骨蓄積を促進する役割を演じる。
本発明は、ＯＰＧの生物学的活性の少なくとも１つを有するポリペプチドをコードする核酸を提供する。図２Ｂ−２Ｃ（配列番号：１２０）、９Ａ−９Ｂ（配列番号：１２２）、および９Ｃ−９Ｄ（配列番号：１２４）に示すマウス、ラットまたはヒトＯＰＧをコードする核酸にハイブリダイズする核酸も提供される。好ましくは、ＯＰＧは哺乳動物ＯＰＧであって、より好ましくはヒトＯＰＧである。また、組換えＯＰＧを産生する方法として、ＯＰＧを発現させるための組換えベクターおよび宿主細胞も含まれる。該ポリペプチドに特異的に結合する抗体またはその断片も開示される。
また、骨疾患を治療する方法も本発明によって提供される。該ポリペプチドは骨吸収を防止するのに有用であり、骨粗鬆症、高カルシウム血症、骨のパジェット病、および慢性関節リウマチまたは骨髄炎等による骨喪失のごとき骨喪失の結果となるいずれの疾患を治療するのにも有用である。また、本発明の核酸を用い、アンチ−センスまたは遺伝子治療で骨疾患を治療することもできる。ＯＰＧ核酸およびポリペプチドよりなる医薬組成物も含まれる。
図面の記載
図１．  Ａ．  新規ＥＳＴ  ＬＯＲＦのＦＡＳＴＡ分析。ヒトＴＮＦＲ−２配列と並べた推定ＦＲＩ−１アミノ酸配列を示す。Ｂ．  示された新規ＥＳＴ  ＬＯＲＦのプロフィール分析はＴＮＦＲ−プロフィールと並べた推定ＦＲＩ−１アミノ酸配列である。Ｃ．  新規ＦＲＩ−１に相同な領域を示すＴＮＦＲスーパーファミリーの構造図。
図２．  全長ラットＯＰＧ遺伝子、ＴＮＦＲスーパーファミリーの新規メンバー、の構造および配列。Ａ．  ｐＭＯＢ−Ｂ１．１インサートのマップ。ボックスはｃＤＮＡ配列内のＬＯＲＦの位置を示す（太線）。黒色ボックスはシグナルペプチドを示し、灰色エリプシスはシステイン−リッチ反復配列の位置を示す。Ｂ．Ｃ．ラットＯＰＧｃＤＮＡの核酸および蛋白質配列。予測されるシグナルペプチドには下線を施し、Ｎ−結合糖鎖付近の可能な部位は太い下線を施した文字で示す。Ｄ、Ｅ．ＯＰＧとＴＮＦＲスーパーファミリーの他のメンバー、ｆａｓ（配列番号：１２８）；ｔｎｆｒ１（配列番号：１２９）；ｓｔｕ−ｔ２（配列番号：１３０）；ｔｎｆｒ２（配列番号：１３１）；ｃｄ４０（配列番号：１３２）；ｏｓｔｅｏ（配列番号：１３３）；ｎｇｆｒ（配列番号：１３４）；ｏｘ４０（配列番号：１３５）；４１ｂｂ（配列番号：１３６）とのパイルアップ配列比較（Ｗｉｓｃｏｎｓｉｎ  ＧＣＧ  Ｐａｃｋａｇｅ，Ｖｅｒｓｉｏｎ８．１）。
図３．  予測されるラットＯＰＧ蛋白質配列のＰｅｐＰｌｏｔ分析（Ｗｉｓｃｏｎｓｉｎ  ＧＣＧ  Ｐａｃｋａｇｅ，Ｖｅｒｓｉｏｎ８．１）。Ａ．  疎水性（上方）および親水性（下方）アミノ酸を示すラットＯＰＧの模式的表示。また、塩基性（上方）および酸性（下方）アミノ酸も示される。Ｂ．  ＣｈｏｕおよびＦａｓｍａｎ（Ａｄｖ．Ｅｎｚ．４７，４５−１４７（１９４８））によって定義されたベーターシート形成性（上方）およびベーターシート破壊性（下方）であるアミノ酸残基の表示。Ｃ．  アルファ−ラセンおよびベーターシートについての性質測定の表示（ＣｈｏｕおよびＦａｓｍａｎ、前掲）。１．００の上方の曲線はアルファ−ラセンまたはベーターシート構造についての性質を示す。構造は曲線が１．００よりも降下する蛋白質の領域で終了するであろう。Ｄ．  アルファー形成性（上方）またはアルファー破壊性（下方）である残基の表示。Ｅ．  アルファおよびベータ構造のアミノ末端で典型的に見い出される配列に似ている蛋白質配列の一部の表示（ＣｈｏｕおよびＦａｓｍａｎ、前掲）。Ｆ．  アルファおよびベータ構造のカルボキシル末端で典型的に見い出される配列に似ている蛋白質配列の一部の表示（ＣｈｏｕおよびＦａｓｍａｎ，前掲）。Ｇ．  ターンで典型的に見い出される蛋白質配列の一部の表示（ＣｈｏｕおよびＦａｓｍａｎ、前掲）。Ｈ．配列の各位置におけるラセン疎水性モーメントの表示（Ｅｉｓｅｎｂｅｒｇら  Ｐｒｏｃ．Ｎａｔｌ．Ａｃａｄ．Ｓｃｉ．  ＵＳＡ８１，１４０−１４４（１９８４））。Ｉ．ＫｙｔｅおよびＤｏｏｌｉｔｔｌｅ（Ｊ．Ｍｏｌ．Ｂｉｏｌ．１５７，１０５−１３２（１９８２））およびＧｏｌｄｍａｎら（Ａｎｎ．ｒｅｖ．Ｂｉｏｐｈｙｓ．Ｂｉｏｐｈｙｓ．Ｃｈｅｍ．１５，３２１−３５３（１９８６））に基づく平均ハイドロパシーの表示（Ａｎｎ．  Ｒｅｖ．  Ｂｉｏｐｈｙｓ．Ｂｉｏｐｈｙｓ．Ｃｈｅｍ．１５，３２１−３５３（１９８６）に総括されている）。
図４．  ヒト組織におけるＯＰＧ  ｃＤＮＡについてのｍＲＮＡ発現パターン。ノーザンブロットは３２Ｐ−標識ラットｃＤＮＡインサート（Ａ、左側の２つのパネル）、またはヒトｃＤＮＡインサート（Ｂ、右側パネル）でプローブした。
図５．  肝細胞でＯＰＧ  ｃＤＮＡを発現するトランスジェニックマウスの創製。マウス肝臓におけるＨＥ−ＯＰＧトランスジーンのノーザンブロット発現。
図６．  ＯＰＧトランスジェニックマウスにおける骨密度の増加。パネルＡ−Ｆ。対照マウス。Ｇ−Ｊ、ＯＰＧ発現マウス。壊死において、全ての動物をＸ−線撮影に付し、写真を調製した。Ａ−Ｆにおいて、対照動物および１のトランスジェニック非発現体（＃２８）のＸ−線写真を示す。骨は明瞭に規定される骨および透明な中央の骨髄腔を有することに注意されたし。対照的に、ＯＰＧ（Ｇ−Ｊ）動物ははっきりとしない皮質および骨髄ゾーンにおける増大した密度を有する。
図７．  ＯＰＧトランスジェニックマウスにおける柱状骨（trabecular bone）の増加。Ａ−Ｄ．  対照動物からの骨の代表的な顕微鏡写真。ＡおよびＢにおいては、大腿の低（４×、１０×）出力像が示される（Ｍａｓｓｏｎ  Ｔｒｉｃｈｒｏｍｅ染色）。酒石酸耐性酸性ホスファターゼ（ＴＲＡＰ）についての染色は、軟骨（Ｃ）および柱状骨（Ｄ）を共に吸収する破骨細胞（矢印参照）を示す。柱状骨の上の平らな外見の破骨細胞に注目されたい。Ｅ−Ｈ．  ＯＰＧ−発現動物からの骨の代表的な顕微鏡写真。ＥおよびＦにおいて、大腿の低（４×、１０×）出力像が示される（Ｍａｓｓｏｎ  Ｔｒｉｃｈｒｏｍｅ染色）。明瞭な領域は増殖プレート軟骨であり、青色染色領域は骨であって、赤色領域は骨髄である。対照とは対照的に、柱状骨は吸収されず、通常の骨髄腔の不存在の結果となることに注意されたい。また、得られた柱状骨は青色で明瞭な領域を持つまだらな外観を有する。明瞭な領域は決して再構築されない増殖プレート軟骨の残骸である。ＴＲＡＰ染色に基づくと、これらの動物は増殖プレート（Ｇ）に破骨細胞（矢印参照）を有し、これは数が減少し得る。しかしながら、増殖プレートからの柱状骨の表面は実質的に破骨細胞を欠き（Ｈ）、対照動物と直接的コントラストをなす（Ｄ参照）。
図８．  ＨＥ−ＯＰＧ発現体は単球−マクロファージ生成において欠陥を有しない。マウスにおける大理石骨病の１つの原因はＭ−ＣＳＦ遺伝子における点突然変異による欠陥Ｍ−ＣＳＦ産生である。この結果、循環および組織ベースのマクロファージの顕著な不足となる。ＯＰＧ発現体の末梢血液はＨ１Ｅ分析によって評価して単球を含有した。組織マクロファージの存在を確認するために、ネズミマクロファージ上の細胞表面抗原を認識するＦ４８０抗体を用いて免疫組織化学を行った。ＡおよびＣは正常およびＣＲ１過剰発現体からの脾臓の低出力（４×）顕微鏡写真を示す。両動物は多数のＦ４８０陽性細胞を有することに注意されたし。また、単球−マクロファージも正常（Ｂ）およびＨＥ−ＯＰＧ過剰発現体（Ｄ）の骨髄に存在した（４０×）。
図９．  マウスおよびヒトＯＰＧｃＤＮＡクローンの構造および配列。予測されるシグナルペプチドに下線を施し、Ｎ−結合糖鎖付加の可能な部位は太線で示す。Ｅ、Ｆ．  ラット、マウスおよびヒトＯＰＧアミノ酸配列の配列並置および比較。
図１０．  ＴＲＡＰ−１およびヒトＯＰＧの細胞外における保存配列の比較。実施例６に記載したＴＮＦＲ１およびＯＰＧ並置のＰｒｅｔｔｙＰｌｏｔ（Ｗｉｓｃｏｎｓｉｎ  ＧＣＧ  Ｐａｃｋａｇｅ，Ｖｅｒｓｉｏｎ８．１）。頂部の線、ドメイン１−４をコードするヒトＴＮＦＲ１配列。底部の線、ドメイン１−４をコードするヒトＯＰＧ配列。保存残基は矩形ボックスによって強調する。
図１１．  ヒトＯＰＧの３次元表示。ヒトＴＮＦβ（細い線）と共結晶化した、ヒトＯＰＧ残基２５ないし１６３の予測される３次元構造（太い線）のＭｏｌｅｓｃｒｉｐｔ表示の側面図。方位の参照として、ＯＰＧポリペプチド骨格に沿った太矢印はＮ−末端からＣ−末端方向に向いている。個々のシステイン残基側鎖の位置は、別々のシステイン−リッチのドメインを示すのを助けるためにポリペプチド骨格に沿って挿入する。ＴＮＦβ分子はＢａｎｎｅｒら（１９９３）によって記載されているごとくに配置した。
図１２．  システイン−リッチのドメインの構造。ＯＰＧの予測される構造を強調するヒト（頂部線  配列番号：１３６）およびマウス（底部線）ＯＰＧアミノ酸配列の配列。ポリペプチドは２つの半分物に、Ｎ−末端（Ａ）およびＣ−末端（Ｂ）に分けられる。Ｎ−末端の半分は４つのシステインリッチドメイン（標識した１−４）を含有することが予測される。予測される鎖内ジスルフィド結合は太線（「ＳＳ１」、「ＳＳ２」、または「ＳＳ３」標識）によって示される。チロシン２８およびヒスチジン７５（下線）はイオン性相互作用を形成すると予測される。ＯＰＧリガンドと相互作用すると予測されるアミノ酸は適当な残基の上方の太点によって示される。ＯＰＧのＣ−末端半分に位置するシステイン残基は矩形ボックスによって示される。
図１３．  全長および切形（trancated）マウスＯＰＧ−Ｆｃ融合蛋白質の発現および分泌。Ａ．  ヒトＩｇＧ１  Ｆｃドメインへの融合点を示すマップは矢印の頭によって示される。Ｂ．  Ｆ１．Ｆｃ（ロイシン４０１においてＦｃに融合した全長ＯＰＧ）またはＣＴ．Ｆｃ（チロシン１８０においてＦｃに融合したカルボキシル末端切形ＯＰＧ）融合蛋白質発現ベクターいずれかのを発現する細胞から得られた馴化培地のＳＤＳ−ポリアクリルアミドゲルの銀染色。レーン１、親ｐＣＥＰ４発現ベクター細胞系；レーン２、Ｆ１．Ｆｃベクター細胞系；レーン３、ＣＴ．Ｆｃベクター細胞系。Ｃ．  抗−ヒトＩｇＧ１  Ｆｃドメイン（Ｐｉｅｒｃｅ）でプローブしたＦ１．ＦｃおよびＣＴ．Ｆｃ融合蛋白質発現ベクターのウェスタンブロット。レーン１、親ｐＣＥＰ４発現ベクター細胞系；レーン２、Ｆ１．Ｆｃベクター細胞系；レーン３、ＣＴ．Ｆｃベクター細胞系。
図１４．  イー・コリ（Ｅ．ｃｏｌｉ）におけるヒトＯＰＧの発現。Ａ．  細菌発現ベクターの構築。ヒトＯＰＧ遺伝子のＬＯＲＦはＰＣＲによって増幅し、次いで、オリゴヌクレオチドリンカー断片（頂部ストランドは配列番号：１３７；底部ストランドは配列番号：１２７）に結合させ、ｐＡＭＧ２１ベクターＤＮＡに連結した。得られたベクターはＮ−末端メチオニン残基に連結したＯＰＧ残基３２−４０１を発現できる。Ｂ．  ｐＡＭＧ２１−ヒトＯＰＧ−３２−４０１プラスミドを保有する誘導されないおよび誘導された細菌のＳＤＳ−ＰＡＧＥ分析。レーン１、ＭＷ標準；レーン２、誘導されない細菌；レーン３、３０℃誘導；レーン４、３７℃誘導；レーン５、３７℃誘導からの全細胞溶解物；レーン６、全細胞溶解物の可溶性画分；７、全細胞溶解物の不溶性画分；レーン８、全細胞溶解物から得られた精製封入体。
図１５．  ＳＤＳ−ＰＡＧＥおよびウェスタンブロッティングによる、ＣＨＯ細胞において産生された組換えネズミＯＰＧの分析。等量のＣＨＯ馴化培地を示した各レーンに適用し、還元性試料緩衝液（左側レーン）、または非還元性試料緩衝液（右側レーン）いずれかでの処理によって調製した。電気泳動の後、溶解した蛋白質をナイロン膜に移し、次いで、抗−ＯＰＧ抗体でプローブした。ＯＰＧの５５ｋｄモノマーおよび１００ｋｄダイマー形態の相対的位置を矢印の頭によって示す。
図１６．  ＣＨＯ細胞で産生された組換えネズミＯＰＧのパルスチェイス分析。ＣＨＯ細胞を35Ｓ−メチオニン／システインでパルス標識し、次いで示された時間、追跡した。代謝的に標識した培養を馴化培地および細胞両者に分離し、各々から界面活性剤抽出物を調製し、清澄化し、次いで、抗−ＯＰＧ抗体で免疫沈降させた。免疫沈降物をＳＤＳ−ＰＡＧＥによって解像し、フィルムに暴露した。頂部の左側および右側パネル；非還元性条件下で試料を分析した。下方の左側および右側パネル；還元性条件下で試料を分析した。頂部および底部の左側パネル；細胞抽出物。頂部および底部の右側パネル；馴化培地抽出物。ＯＰＧの５５ｋｄモノマーおよび１００ｋｄダイマー形態の相対的移動度は矢印の頭部によって示される。
図１７．  ＣＴＬＬ−２細胞系におけるＯＰＧの発現。ＣＴＬＬ−２細胞およびＣＨＯ−ｍｕＯＰＧ［１−４０１］トランスフェクト細胞からの無血清馴化培地を調製し、濃縮し、次いで非還元性ＳＤＳ−ＰＡＧＥおよびウェスタンブロッティングによって分析した。左側レーン；ＣＴＬＬ−２馴化培地。右側レーン；ＣＨＯ−ｍｕＯＰＧ馴化培地。ＯＰＧの５５ｋｄモノマーおよび１００ｋｄダイマーの相対的移動度は矢印の頭によって示される。
図１８．  対照およびＯＰＧトランスジェニックマウスから得られた血清試料および肝臓抽出物におけるＯＰＧ発現の検出。トランスジェニックマウスは実施例４に記載したごとくに構築した。ＯＰＧ発現を、ＳＤＳ−ＰＡＧＥ、続いて抗−ＯＰＧ抗体を用いるウェスタンブロッティングによって可視化した。
図１９．  イン・ビトロにおける骨芽細胞に対するｈｕＯＰＧ［２２−４０１］−Ｆｃ融合蛋白質の効果。示した量のｈｕＯＰＧ［２２−４１０］−Ｆｃ融合の不存在下（対照）または存在下で、破骨細胞形成アッセイを実施例１１Ａに記載したごとくに行った。破骨細胞形成は酒石酸酸性ホスファターゼ（ＴＲＡＰ）に対する組織化学的染色によって可視化した。Ａ．ＯＰＧを１００ｎｇ／ｍｌまで添加。Ｄ．  ＯＰＧを０．１ｎｇ／ｍｌまで添加。Ｅ．  ＯＰＧを０．０１ｎｇ／ｍｌまで添加。Ｆ．ＯＰＧを０．００１ｎｇ／ｍｌまで添加。Ｇ．  対照。ＯＰＧ無添加。
図２０．  ＯＰＧの量を増大させることに伴う破骨細胞培養ＴＲＡＰ活性の減少。示した濃度のｈｕＯＰＧ［２２−４０１］−Ｆｃ融合蛋白質を破骨細胞形成アッセイに添加し、ＴＲＡＰ活性を実施例１１Ａに記載したごとくに定量した。
図２１．  破骨細胞分化の終末段階に対するＯＰＧの効果。ｈｕＯＰＧ［２２−４０１］−Ｆｃ融合蛋白質を、破骨細胞成熟化の間（５−６日；ＯＰＧ−ＣＴＬ）または破骨細胞成熟化の終末段階の間（７−１５日；ＣＴＬ−ＯＰＧ）に破骨細胞形成アッセイに添加した。ＴＲＡＰ活性を定量し、ＯＰＧの不存在下全体（ＯＰＧ−ＯＰＧ）におけるＯＰＧの存在下（ＣＴＬ−ＣＴＬ）で観察された活性と比較した。
図２２．  マウスにおける血中イオン化カルシウムに対するＩＬ−１β、ＩＬ−１αおよびＯＰＧの効果。血中イオン化カルシウムのレベルは、ＩＬ−１β単独、ＩＬ−１α単独、ＩＬ−１β＋ｍｕＯＰＧ［２２−４０１］−Ｆｃ、ＩＬ−１α＋ＭｕＯＰＧ［２２−４０１］−Ｆｃ、およびｍｕＯＰＧ［２２−４０１］−Ｆｃ単独の注入後にモニターした。対照マウスにはリン酸緩衝生理食塩水（ＰＢＳ）のみを注入した。Ａに示されるＩＬ−１Ｂ実験；Ｂに示されるＩＬ−１α実験。
図２３．  対照およびＩＬ１−処理マウスにおける頭蓋冠破骨細胞に対するＯＰＧの効果。マウス頭蓋冠骨試料を分析する組織学的方法は実施例１１Ｂに記載する。矢印は２日に処理したマウスに存在する破骨細胞を示す。４回のＰＢＳ注入を毎日（Ａ）、ＩＬ−１の１回注入およびＰＢＳの３回注入を毎日（Ｂ）、ＰＢＳの１回注入およびＯＰＧの３回注入を毎日（Ｃ）、ＩＬ−１の１回注入およびＯＰＧの３回注入を毎日受容するマウスの頭蓋冠試料。
図２４．  正常マウスの骨髄腔における骨蓄積のＸ−線撮影分析。マウスに生理食塩水（Ａ）または１４日間のｍｕＯＰＧ［２２−４０１］−Ｆｃ融合（５ｍｇ／ｋｇ／ｄ）（Ｂ）を皮下注入し、実施例１１Ｃに記載したごとくに骨密度を測定した。
図２５．  正常マウスの骨髄腔における骨蓄積の組織形態学的分析。注入実験および骨組織学は実施例１１Ｃにおけるごとくに行った。
図２６．  正常マウスの骨髄腔における骨蓄積の組織学的分析。注入実験および骨組織学は実施例１１Ｃに記載したごとくに行った。Ａ．  生理食塩水。Ｂ．  ｍｕＯＰＧ［２２−４０１］−Ｆｃ融合の注入。
図２７．  卵巣摘出したラットに投与されたＯＰＧの活性。この２週間実験において、低下した骨密度に対する傾向はＯＰＧまたは他の抗−吸収療法によってブロックされたようである。ＤＥＸＡ測定は卵巣摘出時および処置の１週間および２週間において行った。結果は最初の骨密度からの％変化として表す（平均値＋／−ＳＥＭ）。
図２８．  組織形態学的方法によって測定した大腿骨幹端における骨密度は、卵巣摘出の１７日における偽手術した動物（ＳＨＡＭ）よりも卵巣摘出ラット（ＯＶＸ）においてより低い傾向がある。この効果はＯＰＧ−Ｆｃによってブロックされ、ＯＰＧ−Ｆｃ処理卵巣摘出ラット（ＯＶＸ＋ＯＰＧ）はビヒクル処理卵巣摘出ラット（ＯＶＸ）よりも有意に高い骨密度を有する。（平均値＋／−ＳＥＭ）
発明の詳細な記載
腫瘍壊死因子受容体（ＴＮＦＲ）スーパーファミリーの新規メンバーを、胎児ラット腸ｃＤＮＡライブラリーから単離された発現配列タッグ（ＥＳＴ）として同定した。全長ラットｃＤＮＡクローンおよび対応するマウスおよびヒトｃＤＮＡクローンの構造は実施例１および６に記載したごとくに決定した。ラット、マウスおよびヒト遺伝子は、各々、図２Ｂ−２Ｃ（配列番号：１２０）、９Ａ−９Ｂ（配列番号：１２２）、および９Ｃ−９Ｄ（配列番号：１２４）に示す。全ての３つの配列は、ＴＮＦＲファミリーメンバーの細胞外ドメインに対して強力な類似性を示した。単離された全長ｃＤＮＡクローンはいずれも、膜結合受容体につき予測されるであろう膜貫通および細胞質ドメインをコードせず、これはこれらのｃＤＮＡは細胞表面受容体よりもむしろ可溶性の分泌蛋白質をコードすることを示唆する。図９Ｄに示されたヌクレオチド１２００−１３５３にわたるヒト遺伝子の一部は受託番号１７１８８７６９の下に１９９５年１１月２２日にＧｅｎｅｂａｎｋデータベースに寄託した。
ラットおよびヒトｍＲＮＡの組織分布は実施例２に記載したごとくに測定した。ラットにおいて、ｍＲＮＡ発現は腎臓、肝臓、胎盤および心臓で検出され、腎臓で最大の発現であった。骨格筋および膵臓における発現も検出された。ヒトにおいては、発現はリンパ節、胸腺、脾臓および虫垂と共に同組織で検出された。
ラットｃＤＮＡは、肝臓−特異的ＡｐｏＥプロモーター発現系を用いてトランスジェニックマウス（実施例３）で発現された。発現因子の分析は、特に長骨（大腿）、椎骨および偏平骨（骨盤）において、骨密度の顕著な増加を示した。骨の染色した切片の組織学的分析はひどい大理石骨病を示し（実施例４参照）、これは骨形成および吸収の間の顕著な不均衡を示し、骨および軟骨の顕著な蓄積に至った。ＯＰＧ発現動物の骨における柱状破骨細胞の数の減少は、ＴＮＦＲ−関連蛋白質の活性のかなりの部分が骨吸収（破骨細胞によって媒介されるプロセス）を防止し得ることを示す。トランスジェニック発現因子における活性に鑑みて、ここに記載するＴＮＦＲ−関連蛋白質をＯＰＧと呼ぶ。
ラットｃＤＮＡ配列を用い、マウスおよびヒトｃＤＮＡクローンを単離した（実施例５）。２９３細胞におけるマウスＯＰＧおよびイー・コリ（Ｅ．ｃｏｌｉ）におけるヒトＯＰＧの発現は実施例７および８に記載される。マウスＯＰＧはＦｃ融合蛋白質として産生され、これはプロテインＡアフィニティークロマトグラフィーによって精製された。また、実施例７に記載するのは、ヒトＩｇＧ１のＦｃ領域に対する融合ポリペプチドとして、あるいは非融合ポリペプチドとしての、ＣＨＯおよび２９３細胞における全長および切形ヒトおよびマウスＯＰＧポリペプチドの発現である。Ｆｃ融合ポリペプチドとしてまたは非融合ポリペプチドとしてのイー・コリにおける全長および切形ヒトおよびマウスＯＰＧの発現は実施例８に記載される。組換えにより産生された哺乳動物および細菌ＯＰＧの精製は実施例１０に記載される。
ＯＰＧの生物学的活性はイン・ビトロ破骨細胞成熟アッセイ、インターロイキン−１（ＩＬ−１）誘導高カルシウム血症のイン・ビボモデル、および正常マウスにおける骨密度の注入実験を用いて測定した（実施例１１）。ＣＨＯまたは２９３細胞で産生された以下のＯＰＧ組換え蛋白質はイー・コリ破骨細胞成熟アッセイで活性を示した：ｍｕＯＰＧ［２２−１８５］−Ｆｃ、ｍｕＯＰＧ［２２−１９４］−Ｆｃ、ｍｕＯＰＧ［２２−４０１］−Ｆｃ、ｍｕＯＰＧ［２２−４０１］−Ｆｃ、ｈｕＯＰＧ［２２−２０１］−Ｆｃ、ｈｕＯＰＧ［２２−４０１］−Ｆｃ。ＣＨＯ細胞で産生されたｍｕＯＰＧ［２２−１８０］−Ｆｃおよびイー・コリで産生されたｈｕＯＰＧ  ｍｅｔ［３２−４０１］はイン・ビトロアッセイで活性を示さなかった。
いくつかの源からのＯＰＧはダイマーとしておよびある程度より多量体として産生された。トランスジェニックマウスで産生されたラットＯＰＧ［２２−４０１］、ＣＨＯ細胞において組換えポリペプチドとして産生されたｍｕＯＰＧ［２２−４０１］およびｈｕＯＰＧ［２２−４０１］、および細胞傷害性Ｔ細胞系からの天然に生じる産物として発現されたＯＰＧは、非還元性ＳＤＳゲルで分析した場合、圧倒的にダイマーおよびトリマーであった（実施例９参照）。アミノ酸１８６−４０１の領域に欠失を有する切形ＯＰＧポリペプチド（例えば、ＯＰＧ［１−１８５］およびＯＰＧ［１−１９４］）は圧倒的にモノマーであり、これは領域１８６−４０１がＯＰＧポリペプチドの自己会合に関与し得ることを示唆する。しかしながら、イー・コリで産生されたｈｕＯＰＧ  ｍｅｔ［３２−４０１］はかなりモノマーであった。
ＯＰＧは骨吸収の調節で重要であり得る。蛋白質はＴＮＦファミリーの可溶性受容体として作用するようであり、骨溶解性経路に関与する受容体−リガンド相互作用を妨げ得る。調節の１つの態様は破骨細胞の数の低下のようである。
核酸
本発明は、ＯＰＧの生物学的活性のうち少なくとも１つを有するポリペプチドをコードする単離された核酸を提供する。前記したごとく、ＯＰＧの生物学的活性は限定されるものではないが骨代謝に関与するいずれの活性も含み、特に骨密度の増大を含む。本発明の核酸は以下のものから選択される。
ａ）図２Ｂ−２Ｃ（配列番号：１２０）、９Ａ−９Ｂ（配列番号：１２２）、および９Ｃ−９Ｄ（配列番号：１２４）に示した核酸配列またはその相補鎖；
ｂ）図２Ｂ−２Ｃ（配列番号：１２０）、９Ａ−９Ｂ（配列番号：１２２）、および９Ｃ−９Ｄ（配列番号：１２４）におけるポリペプチド−コーディング領域とストリンジェント条件下でハイブリダイズする核酸；および
ｃ）包括的に図１Ａに示されるヌクレオチド１４８ないし３３７とストリンジェント条件下でハイブリダイズする核酸、
ｄ）（ａ）および（ｂ）における配列に対して縮重した核酸配列。
本発明は、ラット、マウスおよびヒトＯＰＧをコードする核酸ならびにＯＰＧの生物学的活性のうちの少なくとも１つを有するポリペプチドをコードするそれにハイブリダイズする核酸配列を提供する。また、図１Ａに示されたヌクレオチド１４８−３３７を含むラットＯＰＧ  ＥＳＴにハイブリダイズする核酸も提供される。ハイブリダイゼーションについての条件は、一般に、明細書の実施例１に記載された５×ＳＳＣ、５０％ホルムアミドおよび４２℃のごとき高ストリンジェンシィである。これらの条件に対する同等のストリンジェンシィは塩および有機溶媒濃度および温度を調整することによって容易に得ることができる。（ｂ）における核酸は、ＴＮＦ受容体スーパーファミリーの他の公知のメンバーとの検出可能なハイブリダイゼーションを受けない、ＯＰＧ−関連ポリペプチドをコードする配列を含む。好ましい具体例において、核酸は図２Ｂ−２Ｃ（配列番号：１２０）、９Ａ−９Ｂ（配列番号：１２２）、および９Ｃ−９Ｄ（配列番号：１２４）に示されたものである。
本発明のハイブリダイズする核酸の長さは、ハイブリダイゼーションが図２Ｂ−２Ｃ（配列番号：１２０）、９Ａ−９Ｂ（配列番号：１２２）、および９Ｃ−９Ｄ（配列番号：１２４）に示されたポリペプチド−コーディング領域の一部または全部で起こり得、また隣接する非コーディング領域でも起こり得るまで変化し得る。従って、ハイブリダイズする核酸は図２Ｂ−２Ｃ（配列番号：１２０）、９Ａ−９Ｂ（配列番号：１２２）、および９Ｃ−９Ｄ（配列番号：１２４）に示された配列の切形および伸長形であり得る。切形または延長された核酸は本発明に含まれる。但し、それらはＯＰＧの生物学的特性のうちの１以上を保有するものとする。また、ハイブリダイズする核酸はＯＰＧコーディング領域に対して５’側および／または３’側にある隣接する非コーディング領域を含み得る。非コーデイング領域はプロモーター、エンハンサー、翻訳開始部位、転写終止部位等のごときＯＰＧ発現に関与する調節領域を含む。
核酸についてのハイブリダイゼーション条件はＳａｍｂｒｏｋら、Ｍｏｌｅｃｕｌａｒ  Ｃｌｏｎｉｎｇ：Ａ  Ｌａｂｏｒａｔｏｒｙ  Ｍａｎｕａｌ，第２版，Ｃｏｌｄ  Ｓｐｒｉｎｇ  Ｈａｒｂｏｒ  Ｌａｂｏｒａｔｏｒｙ  Ｐｒｅｓｓ，  Ｃｏｌｄ  Ｓｐｒｉｎｇ  Ｈａｒｂｏｒ，Ｎｅｗ  Ｙｏｒｋ（１９８９）に記載されている。
ラットＯＰＧをコードするＤＮＡは、ＡＴＣＣ受託番号６９９７０の下で１９９５年１２月２７日にＡｍｅｒｉｃａｎ  Ｔｙｐｅ  Ｃｕｌｔｕｒｅ  Ｃｏｌｌｅｃｔｉｏｎ，Ｒｏｃｋｖｉｌｌｅ，ＭＤに寄託したプラスミドｐＭＯ−Ｂ１．１中にて提供された。マウスＯＰＧをコードするＤＮＡはＡＴＣＣ受託番号６９９７１の下で１９９５年１２月２７日にＡｍｅｒｉｃａｎ  Ｔｙｐｅ  Ｃｕｌｔｕｒｅ  Ｃｏｌｌｅｃｔｉｏｎ，Ｒｏｃｋｖｉｌｌｅ，ＭＤに寄託したプラスミドｐＲｃＣＭＶ−ネズミＯＰＧ中にて提供された。ヒトＯＰＧをコードするＤＮＡはＡＴＣＣ受託番号６９９６９の下で１９９５年１２月２７日にＡｍｅｒｉｃａｎ  Ｔｙｐｅ  Ｃｕｌｔｕｅｒｅ  Ｃｏｌｌｅｃｔｉｏｎ，Ｒｏｃｋｖｉｌｌｅ，ＭＤに寄託したブラスミドｐＲｃＣＭＶ−ヒトＯＰＧ中にて提供された。本発明の核酸はストリンジェント条件下でＡＴＣＣ受託番号６９９６９、６９９７０、および６９９７１のＤＮＡインサートにハイブリダイズし、ＯＰＧの生物学的活性のうち少なくとも１つを有する。
また、本発明によって、図２Ｂ、９Ａおよび９Ｂに示された核酸配列の誘導体が提供される。ここに記載するごとく、誘導体は、得られた配列が付加され、欠失され、挿入されまたは置換された１以上のアミノ酸を有するポリペプチドをコードし、得られたポリペプチドがＯＰＨの活性を有するように、１以上の残基の付加、置換、挿入または欠失を有する核酸配列を含む。核酸誘導体は、スプライス変化または多形のごとく天然で生じ得る、あるいは当業者に利用できる部位特異的突然変異誘発技術を用いて構築できる。ＯＰＧの天然に生じる変異体の１つの例はリーダー配列内の残基３においてｌｙｓからａｓｎへの変化をコードする核酸である（実施例５参照）。核酸誘導体は最も生物学的活性を破壊しないらしい分子の領域におけるアミノ酸変化をコードするであろうと予測される。他の誘導体は、膜貫通および細胞質ドメインと共に図２Ｂ−２Ｃ（配列番号：１２０）、９Ａ−９Ｂ（配列番号：１２２）、および９Ｃ−９Ｄ（配列番号：１２４）に示された細胞外ドメインを有するＯＰＧの膜結合形態をコードする核酸を含む。
１つの具体例において、ＯＰＧの誘導体は、カルボキシル末端から１以上のアミノ酸が欠失された切形形態をコードする核酸を含む。ＯＰＧをコードする核酸はカルボキシル末端から１ないし２１６個のアミノ酸を欠失し得る。所望により、抗体Ｆｃ領域を新しいカルボキシ末端から延長させて、生物学的に活性なＯＰＧ−Ｆｃ融合ポリペプチドを得ることもできる（実施例１１参照）。好ましい具体例において、核酸は（図９Ｅ−Ｆにおけるナンバリングを用いて）２２−１８５、２２−１８９、２２−１９４または２２−２０１からのアミノ酸配列を有するＯＰＧをコードし、所望によりヒトＩｇＧのＦｃ領域をコードする。
また、アミノ末端から１以上のアミノ酸が欠失されたＯＰＧの切形形態をコードする核酸も含まれる。切形形態はリーダー配列よりなる２１個のアミノ酸の一部または全部を欠くものを含む。加えて、本発明は、（残基２１において）成熟アミノ末端から１ないし１０個のアミノ酸が欠失した、および所望により（残基４０１において）カルボキシル末端から１ないし２１６個のアミノ酸が欠失したＯＰＧをコードする核酸を提供する。所望により、核酸はアミノ末端におけるメチオニンをコードしてもよい。かかるＯＰＧ切形ポリペプチドの例は実施例８に記載される。
本発明の核酸の例はｃＤＮＡ、ゲノミックＤＮＡ、合成ＤＮＡおよびＲＮＡを含む。ｃＤＮＡはＯＰＧを発現する種々の組織から単離されたｍＲＮＡから調整されたライブラリーから得られる。ヒトにおいては、ＯＰＧについての組織源は腎臓、肝臓、胎盤および心臓を含む。ＯＰＧをコードするゲノミックＤＮＡは種々の種から商業的に入手可能なゲノムライブラリーから得られる。合成ＤＮＡは重複するオリゴヌクレオチド断片を化学合成し、続いて断片を組み立てて、コーディング領域およびフランキング配列の一部または全てを復元することによって得られる（インターフェロン遺伝子の化学合成を記載する米国特許第４，６９５，６２３号参照）。ＲＮＡは、Ｔ７プロモーターおよびＲＮＡポリメラーゼを用いるベクターののような、ｍＲＮＡの高レベルの合成を支持する原核生物発現ベクターにより、最も容易に得られる。
本発明の核酸配列は、いずれの細胞および組織がＯＰＧｍＲＮＡを発現しているかを決定するために、生物学的試料中のＯＰＧ配列の検出に使用される。また、該配列はＯＰＧに関連する配列をｃＤＮＡおよびゲノムライブラリーからスクリーニングするのにも使用される。かかるスクリーニングは、相同配列を検出するのに適したハイブリダイゼーション条件を用いる当業者の能力内に十分にある。また、該核酸はアンチセンス療法または遺伝子療法によってＯＰＧレベルの発現を調節するのに有用である。また、該核酸はポノペプチドの産生および生物学的活性の実験に使用し得るトランスジェニック動物の開発で使用される（実施例３参照）。
ベクターおよび宿主細胞
ＯＰＧをコードする核酸配列を含有する発現ベクター、該ベクターで形質転換された宿主細胞およびＯＰＧを生産する方法も本発明によって提供される。組換え蛋白質の発現の総括はＭｅｔｈｏｄｓ  ｏｆ  Ｅｎｚｙｍｏｌｏｇｙ  ｖ．１８５，Ｇｏｅｄｄｅｌ，Ｄ．Ｖ．編，Ａｃａｄｅｍｉｃ  Ｐｒｅｓｓ（１９９０）に見い出される。
ＯＰＧの産生のための宿主細胞はイー・コリのごとき原核生物宿主細胞、酵母、植物、昆虫および哺乳動物宿主細胞を含む。ＨＢ１０１およびＪＭ１０１のごときイー・コリ株は発現に適している。好ましい哺乳動物宿主細胞はＣＯＳ、ＣＨＯｄ−、２９３、ＣＶ−１、３Ｔ３、ベイビーハムスター腎臓（ＢＨＫ）細胞および他のものを含む。哺乳動物宿主細胞は、糖鎖付加およびポリペプチドプロセッシングのごとき翻訳後修飾がＯＰＧ活性で重要である場合に好ましい。哺乳動物発現は増殖培地から回収し得る分泌ポリペプチドの生産を可能とする。
ＯＰＧの発現用のベクターは、ベクターの増殖およびクローン化インサートの発現に要する最小の配列を含有する。これらの配列は複製起点、選択マーカー、プロモーター、リボソーム結合部位、エンハンサー配列、ＲＮＡスプライス部位および転写終止部位を含む。前記宿主細胞における発現に適したベクターは容易に入手でき、本発明の核酸は標準的な組換えＤＮＡ技術を用いてベクターに挿入される。また、ＯＰＧの組織−特異的発現用のベクターも含まれる。かかるベクターは、マウスにおける産生のための特に肝臓、腎臓または他の器官で機能するプロモーター、および標的ヒト細胞におけるＯＰＧの発現のためのウイルスベクターを含む。
適当な宿主−ベクター系を用い、ＯＰＧが産生される条件下で、ＯＰＧをコードする核酸配列を含有する発現ベクターで形質転換した宿主細胞を培養し、次いで発現の産物を単離することによってＯＰＧを組換え的に産生させる。ＯＰＧはトランスフェクトされた哺乳動物細胞の上清または形質転換された細菌宿主細胞の封入体中に産生される。かく産生されたＯＰＧは後記するごとく当業者に知られた手法によって精製できる。哺乳動物および細菌宿主系におけるＯＰＧの発現は実施例７および８に記載されている。哺乳動物宿主用の発現ベクターはＰＣＴ出願９０／１４３６３に記載されたｐＤＳＲαのごときプラスミドによって例示される。細菌宿主細胞用の発現ベクターは実施例８に記載されたプラスミドｐＡＭＧ２１およびｐＡＭＧ２２−Ｈｉｓによって例示される。プラスミドｐＡＭＧ２１は、受託番号９８１１３の下に、１９９６年７月２４日にＡｍｅｒｉｃａｎ  Ｔｙｐｅ  Ｃｕｌｔｕｒｅ  Ｃｏｌｌｅｃｔｉｏｎ，Ｒｏｃｋｖｉｌｌｅ，ＭＤに寄託した。プラスミドｐＡＭＧ２２−Ｈｉｓは、受託番号９８１１２の下に、１９９６年７月２４日にＡｍｅｒｉｃａｎ  Ｔｙｐｅ  Ｃｕｌｔｕｒｅ  Ｃｏｌｌｅｃｔｉｏｎ，Ｒｏｃｋｖｉｌｌｅ，ＭＤに寄託した。記載された特異的プラスミドおよび宿主細胞は説明目的のものであって、他の利用可能なプラスミドおよび宿主細胞もポリペプチドを発現させるのに使用できることが予測される。
また、本発明は、宿主染色体からのＯＰＧの調節を可能とするイン・ビボおよびエクス・ビボ組換え事象による内因性核酸からのＯＰＧの発現を提供する。内因性ＯＰＧコーディング領域からのＯＰＧの産生を指示できる外因性調節配列（例えば、プロモーターまたはエンハンサー）の導入によるＯＰＧの発現も含まれる。（例えば、転写増強因子に暴露することによる）ＯＰＧ産生を指示できる内因性調節配列の刺激も本発明によって提供される。
ポリペプチド
本発明は、骨代謝に関連した活性を有する、特に骨吸収を阻害し、それにより骨密度を増加させる活性を有する、ＴＮＦ受容体スーパーファミリーの新規メンバーであるＯＰＧを提供する。ＯＰＧとはマウス、ラットまたはヒトＯＰＧのアミノ酸配列を有するポリペプチドまたはＯＰＧの生物学的活性のうちの少なくとも１つを有するその誘導体をいう。ラット、マウスおよびヒトＯＰＧのアミノ酸配列は、各々、図２Ｂ−２Ｃ（配列番号：１２１）、９Ａ−９Ｂ（配列番号：１２３）、および９Ｃ−９Ｄ（配列番号１２５）に示される。ＯＰＧの誘導体とは、得られたポリペプチドがＯＰＧの生物学的活性のうちの少なくとも１つを有するように１以上のアミノ酸の付加、欠失、挿入または置換を有するポリペプチドをいう。ＯＰＧの生物学的活性は、限定されるものではないが、骨代謝に関与する活性を含む。好ましくは、該ポリペプチドはアミノ末端リーダー配列の２１個のアミノ酸が除去されたものであろう。
本発明によって含まれるＯＰＧポリペプチドはラット［１−４０１］、ラット［２２−１８０］、ラット［２２−４０１］、ラット［２２−４０１］−Ｆｃ融合、ラット［１−１８０］−Ｆｃ融合、マウス［１−４０１］、マウス［１−１８０］、マウス［２２−４０１］、ヒト［１−４０１］、マウス［２２−１８０］、ヒト［２２−４０１］、ヒト［２２−１８０］、ヒト［１−１８０］、ヒト［２２−１８０］−Ｆｃ融合およびヒトｍｅｔ−３２−４０１を含む。アミノ酸ナンバリングは配列番号：１２１（ラット）、配列番号：１２３（マウス）および配列番号：１２５（ヒト）に示される。また、ＯＰＧのアミノ酸残基１８０−４０１の一部または全ての欠失またはカルボキシ−末端切形；残基１８０−４０１の１以上のアミノ酸変化；ＯＰＧのシステイン−リッチドメインの一部または全ての欠失、特に末端（カルボキシ−末端）システイン−リッチドメインの欠失；およびシステイン−リッチドメイン、特に末端（カルボキシ−）システイン−リッチドメインにおける１以上のアミノ酸の変化を有するポリペプチド誘導体も含まれる。１つの具体例において、ＯＰＧはカルボキシ末端から１ないし約２１６個のアミノ酸が欠失されている。もう１つの具体例において、ＯＰＧは成熟アミノ末端（ここに、成熟アミノ末端は残基２２におけるものである）から１ないし約１０個のアミノ酸が欠失されており、所望によりカルボキシ末端から１ないし約２１６個のアミノ酸が欠失されていてもよい。
本発明に含まれるさらなるＯＰＧポリペプチドは以下の：ヒト［２２−１８０］−Ｆｃ融合、ヒト［２２−２０１］−Ｆｃ融合、ヒト［２２−４０１］−Ｆｃ融合、マウス［２２−１８５］−Ｆｃ融合、マウス［２２−１９４］−Ｆｃ融合を含む。これらのポリペプチドはＣＨＯまたは２９３細胞のごとき哺乳動物宿主細胞で産生される。原核生物宿主細胞で発現される本発明に含まれるさらなるＯＰＧポリペプチドは以下の：ヒトｍｅｔ［２２−４０１］、Ｆｃ−ヒトｍｅｔ［２２−４０１］融合（Ｆｃ領域は実施例８に記載されるごとく全長ＯＰＧコーディング配列のアミノ末端にて融合している）、ヒトｍｅｔ［２２−４０１］−Ｆｃ融合（Ｆｃは全長ＯＰＧ配列に融合している）、Ｆｃ−マウスｍｅｔ［２２−４０１］融合、マウスｍｅｔ［２２−４０１］−Ｆｃ融合、ヒトｍｅｔ［２７−４０１］、ヒトｍｅｔ［２２−１８５］、ヒトｍｅｔ［２２−１８９］、ヒトｍｅｔ［２２−１９４］、ヒトｍｅｔ［２２−１９４］（Ｐ２５Ａ）、ヒトｍｅｔ［２２−１９４］（Ｐ２６Ａ）、ヒトｍｅｔ［２７−１８５］、ヒトｍｅｔ［２７−１８９］、ヒトｍｅｔ［２７−１９４］、ヒトｍｅｔ−ａｒｇ−ｇｌｙ−ｓｅｒ−（ｈｉｓ）6［２２−４０１］、ヒトｍｅｔ−ｌｙｓ［２２−４０１］、ヒトｍｅｔ−（ｌｙｓ）3−［２２−４０１］、ヒトｍｅｔ［２２−４０１］−Ｆｃ（Ｐ２５Ａ）、ヒトｍｅｔ［２２−４０１］（Ｐ２５Ａ）、ヒトｍｅｔ［２２−４０１］（Ｐ２６Ａ）、ヒトｍｅｔ［２２−４０１］（Ｐ２６Ｄ）、マウスｍｅｔ［２２−４０１］、マウスｍｅｔ［２７−４０１］、マウスｍｅｔ［３２−４０１］、マウスｍｅｔ［２７−１８０］、マウスｍｅｔ［２２−１８９］、マウスｍｅｔ［２２−１９４］、マウスｍｅｔ［２７−１８９］、マウスｍｅｔ［２７−１９４］、マウスｍｅｔ−ｌｙｓ［２２−４０１］、マウスＨＥＫ［２２−４０１］（Ａ４５Ｔ）、マウスｍｅｔ−ｌｙｓ−（ｈｉｓ）7［２２−４０１］、マウスｍｅｔ−ｌｙｓ［２２−４０１］−（ｈｉｓ）7およびマウスｍｅｔ［２７−４０１］（Ｐ３３Ｅ、Ｇ３６Ｓ、Ａ４５Ｐ）を含む。原核生物宿主細胞で産生される前記ＯＰＧポリペプチドはアミノ末端メチオニン残基を有する（もし、かかる残基が示されていなければ）。特別の例において、ＯＰＧ−Ｆｃ融合はＥｌｌｉｓｏｎら（Ｎｕｃ．Ａｃｉｄｓ  Ｒｅｓ．１０．４０７１−４０７９（１９８２））に示された配列を有するヒトＩｇＧ１−γ１の２２７アミノ酸領域を用いて産生された。しかしながら、ヒトＩｇＧのＦｃ領域の変異体も使用できる。
ヒトＩｇＧ１  Ｆｃ領域に融合したカルボキシ−末端ＯＰＧ切形の生物学的活性の分析は、活性に必要なＯＰＧ部分は約１６４個のアミノ酸であることを示す。この領域はアミノ酸２２−１８５を含み、好ましくは、ＯＰＧとリガンドとの物理的相互作用に影響し得るリガンド結合に重要な残基中のアミノ酸を含む。構造モデルは、増強された生物学的活性、より大きい安定性、または処方のより優れた容易性のごとき、より望ましい特性を有するアナログを定めるのを助けることができる。
また、本発明はＯＰＧモノマーからなるＯＰＧ多量体も提供する。ＯＰＧは多量体（例えば、より大きい数のモノマーのダイマー、トリマー）として活性のようである。好ましくは、ＯＰＧ多量体はダイマーおよびトリマーである。ＯＰＧ多量体は多量体形成を促進するのに十分なＯＰＧのアミノ酸配列を有するモノマーからなり得るか、あるいは抗体Ｆｃ領域のごとき異種配列を有するモノマーからなることができる。ＯＰＧのカルボキシ−末端欠失による分析は、領域１８６−４０１の少なくとも一部はＯＰＧポリペプチドの会合に関与していることを示唆している。ＯＰＧアミノ酸１８６−４０１の領域の一部または全ての、自己会合できるアミノ酸配列での置換も本発明に含まれる。別法として、ＯＰＧポリペプチドまたはその誘導体を部位特異的突然変異誘発によってダイマーまたは多量体を形成するように修飾して、紫外線への暴露のごとき光化学架橋によって、あるいは二官能性ポリエチレングリコール等のごとき二官能性リンカー分子での化学的架橋によって、鎖内ジスルフィド結合形成のためのシステイン残基を対をなさないようにすることができる。
ＯＰＧポリペプチドの修飾は、本発明に含まれ、翻訳後修飾（例えば、Ｎ−結合またはＯ−結合炭水化物鎖、Ｎ−末端またはＣ−末端のプロセッシング）、アミノ酸骨格への化学部分の結合、Ｎ−結合またはＯ−結合炭水化物鎖の化学修飾、および原核生物宿主細胞発現の結果としてのＮ−末端メチオニン残基の付加を含む。また、ポリペプチドは、蛋白質の検出および単離を可能とするための酵素、蛍光、等方性または親和性標識のごとき検出可能な標識で修飾することもできる。
ＯＰＧのさらなる修飾はキメラ蛋白質を含み、ここにＯＰＧは異種アミノ酸配列に融合している。異種配列は得られた融合蛋白質がＯＰＧの活性を保持するようにするいずれの配列であってもよい。異種配列は、例えば、蛋白質の精製を助け得るＦｃ融合のごとき免疫グロブリン融合を含む。ＯＰＧモノマーの会合を促進してダイマー、トリマーおよび他の高次多量体形態を形成させる異種配列が好ましい。
本発明のポリペプチドはＯＰＧを発現する組織、細胞系および形質転換宿主細胞に存在する他のポリペプチドから単離され精製され、あるいは分泌蛋白質を含有する細胞培養中の成分から精製される。１つの具体例において、ポリペプチドは、細菌宿主細胞の発現産物のごとく、他のヒト蛋白質を含まない。
また、本発明により、ポリペプチドの安定性および循環時間の増加、または免疫原性の減少のごときさらなる利点を提供し得るＯＰＧの化学的に修飾された誘導体が提供される（米国特許第４，１７９，３３７号参照）。誘導体化のための化学部分はポリエチレングリコール、エチレングリコール／プロピレングリコールコポリマー、カルボキシメチルセルロース、デキストラン、ポリビニルアルコール等のごとき水溶性ポリマーから選択できる。ポリマーは分子内のランダムな位置で、または分子内の所定の位置で修飾でき、１、２、３またはそれを超える結合した化学部分を含み得る。
ポリマーはいずれの分子量であってもよく、分岐または非分岐であってよい。ポリエチレングリコールについては、好ましい分子量は、取り扱いおよび製造の容易性のため、約１ｋＤａおよび約１００ｋＤａの間である（「約」なる語はポリエチレングリコールの調製において、いくつかの分子は標準分子量よりも大きく、いくつかはより小さいことを示す）。所望の治療効果プロフィール（例えば、所望の持続放出の継続、もしあれば生物学的活性に対する効果、取り扱いの容易性、免疫原性の程度または欠如、および治療蛋白質またはアナログに対するポリエチレングリコールの他の公知の効果）に依存して他のサイズも使用できる。
ポリエチレングリコール分子（または他の化学部分）は蛋白質の機能的または抗原性ドメインに対する効果を考慮して蛋白質に結合させるべきである。当業者に利用できる多数の結合方法がある（例えば、引用して本明細書の一部とみなすＥＰ  ０  ４０１  ３８４（ＰＥＧのＧ−ＣＳＦへのカップリング）、またＭａｌｉｋら，Ｅｘｐ．  Ｈｅｍａｔｏｌ．２０：１０２８−１０３５（１９９２）（塩化トレシルを用いるＧＭ−ＣＳＦのＰＥＧ化を報告）。例えば、ポリエチレングリコールは遊離アミノもしくはカルボキシル基のごとき、反応性基を介して、アミノ酸残基を通じて共有結合させることができる。反応性基は活性化されたポリエチレングリコール分子がそれに結合できるものである。遊離アミノ基を有するアミノ酸残基はリシン残基およびＮ−末端アミノ酸残基を含むことができ；遊離カルボキシル基を有するものはアスパラギン酸残基、グルタミン酸残基およびＣ−末端アミノ酸残基を含むことができる。また、スルフヒドリル基を、ポリエチレングリコール分子を結合させるための反応性基として用いることもできる。治療目的で好ましいものは、Ｎ−末端またはリシン基における結合のごときアミノ基における結合である。
Ｎ−末端を化学的に修飾した蛋白質を特別に所望することができる。本組成物の説明としてポリエチレングリコールを用い、種々のポリエチレングリコール分子（分子量、分岐等による）から、反応ミックス中の蛋白質（またはペプチド）分子に対するポリエチレングリコール分子の割合、行うべきＰＥＧ化反応のタイプ、および選択されたＮ−末端をＰＥＧ化した蛋白質を得る方法を選択することができる。Ｎ−末端をＰＥＧ化した調製物を得る方法（例えば、要すれば他のモノＰＥＧ化した部分からこのＰＥＧ化部分を分離すること）は、Ｎ−末端をＰＥＧ化した物質をＰＥＧ化された蛋白質分子から精製することによるものでよい。選択的Ｎ−末端化学修飾は還元的アルキル化によって達成でき、これは、特定の蛋白質における誘導体化で利用できる第一級アミノ基（リシン−対−Ｎ−末端）の異なるタイプの各様な反応性を付与する。適当な反応条件下で、カルボニル基含有ポリマーでのＮ−末端における蛋白質の実質的に選択的な誘導体化が達成される。
合成ＯＰＧダイマーは種々の化学架橋手法によって調製できる。ＯＰＧモノマーはＯＰＧの生物学的活性が保持または増強されるような方法で化学的に連結させることができる。蛋白質ダイマーのいずれの特性が所望されるかに応じて種々の化学架橋剤を用いることができる。例えば、架橋剤は短くて比較的リジトのもしくは長くてよりフレキシダルであってよく、生物学的に可逆的であってよく、低下した免疫原性またはより長い薬物動態学的半減期を供することができるものであってもよい。
１つの例において、ＯＰＧ分子は２工程合成（実施例１２参照）によってアミノ末端を介して連結される。第１の工程において、ＯＰＧをアミノ末端にて化学的に修飾して保護されたチオールを導入し、これは、精製後に脱保護され、第２のＯＰＧ分子との種々の架橋剤を介する部位−特異的連結のための付着点として用いられる。アミノ末端架橋剤は限定されるものではないが、ジスルフィド結合、短鎖を用いるチオエーテル結合、二官能性脂肪族架橋剤、および種々の長さでのチオエーテル結合、二官能性ポリエチレングリコール架橋剤（ＰＥＧ「ダンベル」）を含む。また、ＯＰＧダイマーのＰＥＧダンベル合成には、「モノベル」と呼ばれるかかる合成の副産物が含まれる。ＯＰＧモノベルは遊離ポリマー末端で線状二官能性ＰＥＧにカップリングしたモノマーよりなる。別法として、ＯＰＧは、ジエチレントリアミンペンタ酢酸二無水物（ＤＴＰＡ）、ｐ−ベンゾキノン（ｐＢＱ）またはビト（スルホスクシンイミジル）スベレート（ＢＳ3）ならびに当該分野で公知の他のもののごとき試薬を含めた種々のアミン特異的ホモ二官能性架橋技術を介して直接架橋させることができる。また、ＰＥＧビスマレイミドのごとき種々の二官能性チオール特異的架橋剤でＯＰＧを直接にチオレート化することもでき、また、１工程プロセスでダイマー化および／またはダンベルを達成することもできる。
ＯＰＧを天然源からおよびトランスフェクトされた宿主細胞から精製する方法も含まれる。該精製プロセスは精製蛋白質を得るための適当な順の１以上の標準的な蛋白質精製工程を使用できる。クロマトグラフィー工程は、イオン交換、ゲル濾過、疎水性相互作用、逆相、クロマトフォーカシング、抗−ＯＰＧ抗体またはビオチン−ストレプトアビジン親和性複合体等を使用するアフィニティークロマトグラフィーを含む。
抗体
また、本発明には、ＯＰＧに特異的に結合する抗体が含まれる。抗体の創製のための抗原は、全長ポリペプチドまたはＯＰＧ配列の一部にわたるペプチドであってよい。ＯＰＧと反応性のポリクローナルまたはモノクローナル抗体の創製のための免疫学的手法は当業者に公知である（例えば、ＨａｒｌｏｗおよびＬａｎｅ，Ａｎｔｉｂｏｄｉｅｓ：Ａ  Ｌａｂｏｒａｔｏｒｙ  Ｍａｎｕａｌ  Ｃｏｌｄ  Ｓｐｒｉｎｇ  Ｈａｒｂｏｒ  Ｌａｂｏｒａｔｏｒｙ  Ｐｒｅｓｓ，  Ｃｏｌｄ  Ｓｐｒｉｎｇ  Ｈａｒｂｏｒ  Ｎ．Ｙ．（１９８８））。かく産生された抗体は標準的な酵素結合イムノソルベント検定法を用いて、結合特異性およびエピトープ認識につき特徴付ける。また、抗体は異なる種に由来する可変および定常ドメイン領域を有するキメラ抗体を含む。１つの具体例において、キメラ抗体はネズミ可変ドメインおよびヒト定常ドメインを有するヒト化抗体である。また、ヒトフレームワークにグラフト化された相補性決定領域（いわゆるＣＤＲ−グラフト化抗体）も含まれる。キメラおよびＣＤＲ−グラフト化抗体は当業者に公知の組換え法によって作成される。また、マウスにおいて作成されたヒト抗体も含まれる。
本発明の抗−ＯＰＧ抗体はＯＰＧを生物学的試料から精製するためのアフィニティー試薬として使用することができる（実施例１０参照）。１つの方法において、抗体をＣｎＢｒ−活性化Ｓｅｐｈａｒｏｓｅに固定化し、抗体−Ｓｅｐｈａｒｏｓｅコンジュゲートのカラムを用いて、ＯＰＧを液状試料から取り出す。また、抗体は後記する方法によって生物学的試料中のＯＰＧを検出し定量するための診断試薬としても使用される。
医薬組成物
また、本発明は、医薬上許容される希釈剤、担体、可溶化剤、乳化剤、防腐剤および／またはアジュバントと共に治療上有効量の本発明のポリペプチドよりなる医薬組成物を提供する。「治療上有効量」なる語は、特定の疾患および投与経路につき治療効果を供する量を意味する。組成物は液状または凍結乾燥形態ででき、種々のｐＨ値およびイオン強度を有する希釈剤（トリス、酢酸もしくはリン酸緩衝液）、ＴｗｅｅｎまたはＰｏｌｙｓｏｒｂａｔｅのごとき可溶化剤、ヒト血清アルブミンまたはゼラチンのごとき担体、チメロサールまたはベンジルアルコールのごとき防腐剤、アスコルビン酸またはメタ重亜硫酸ナトリウムのごとき抗酸化剤を含む。また、溶解性または安定性を増加させるための水溶性ポリマーで修飾したＯＰＧよりなる組成物も含まれる。また、組成物は、延長された時間にわたって制御された送達のためのリポソーム、ミクロエマルジョン、ミセルまたは小胞へのＯＰＧの導入よりなることもできる。特に、ＯＰＧ組成物はヒドロゲル、シリコーン、ポリエチレン、エチレン−酢酸ビニルコポリマー、または生分解性ポリマーのごときポリマーマトリックスへの導入を含み得る。ヒドロゲルの例はポリヒドロキシアルキルメタクリレート（ｐ−ＨＥＭＡ）、ポリアクリルアミド、ポリメルタクリルアミド、ポリビニルピロリドン、ポリビニルアルコールおよび種々のポリ電解質複合体を含む。生分解性ポリマーの例はポリ乳酸（ＰＬＡ）、ポリグルコール酸（ＰＧＡ）、ＰＬＡおよびＰＧＡのコポリマー、ポリアミドおよびポリアミドおよびポリエステルのコポリマーを含む。他の制御放出処方は、注入によって投与し得るマイクロカプセル、ミクロスフェア、マクロ分子複合体およびポリマービーズを含む。
特定の組成物の選択は、治療されるべき疾患、投与経路および所望の薬物動態学パラメーターを含めた多数の因子に依存するであろう。医薬組成物に適した成分についてのより広い展望はＲｅｍｉｎｇｔｏｎ’ｓ  Ｐｈａｒｍａｃｅｕｔｉｃａｌ  Ｓｃｉｅｎｃｅ，第１８版，Ａ．Ｒ．Ｇｅｎｎａｒｏ編，Ｍａｃｋ，Ｅａｓｔｏｎ，ＰＡ（１９８０）に見い出される。
本発明の組成物は注射（皮下、静脈内または筋肉内いずれか）、または経口、鼻孔、肺または直腸投与によって投与できる。投与経路は実際には多数の因子に依存して選択され、当業者によって確認され得る。
また、本発明は、医薬上許容されるアジュバントと共に治療上有効量の本発明の核酸を含む医薬組成物を提供する。核酸組成物はＯＰＧコーディング領域の一部または全てをアンチセンスまたは遺伝子治療方法の一部として細胞または組織に送達するのに適するであろう。
治療の方法
骨組織は身体の支持体を供し、ミネラル（大量のカルシウムおよびリン）、コラーゲン性および非コラーゲン性蛋白質のマトリックス、および細胞よりなる。骨で見い出されている３つのタイプの細胞、骨細胞、骨芽細胞および破骨細胞は、それにより骨が継続的に形成され吸収される動的プロセスに関与する。骨芽細胞は骨組織の形成を促進し、他方、破骨細胞は吸収に関連する。吸収、または骨マトリックスおよびミネラルの離解は骨形成と比べて迅速で効率的なプロセスであり、大量のミネラルを骨から放出し得る。破骨細胞は骨格組織の通常の再形成およびホルモンによって誘導される吸収に関与する。例えば、吸収は細胞外流体中のカルシウムイオンの低下した濃度に応答して上皮小体ホルモンの分泌によって刺激される。対照的に、吸収の阻害はカルシトニンの主たる機能である。加えて、ビタミンＤの代謝物は上皮小体およびカルシトニンに対する骨の応答性を改変させる。
骨格成熟の後の、骨格における骨の量は、骨形成および骨吸収の均衡（不均衡）を反映する。ピークの骨の質量は骨格成熟後であって４０代前に起こる。４０代および５０代の間に、平衡はシフトし、骨吸収が支配的となる。年がゆくに伴う骨質量の不可避的減少は男性よりも女性の方が早く開始し、いくらかの女性（主としてコーカサスおよびアジア系のもの）では閉経後に顕著に加速される。
骨減少症は骨質量が正常レベル未満へのいずれかの減少に一般に関係する疾患である。かかる疾患は骨合成の速度の低下または骨破壊の速度の増加あるいは双方から生じ得る。骨減少症の最も通常の形態は一次骨粗鬆症（閉経後および老人性骨粗鬆症とも呼ばれる）である。骨粗鬆症のこの形態は年齢に伴う骨の普遍的喪失の結果であり、通常は、骨形成は通常速度で、骨吸収が増加した結果である。米国の白人女性の約２５ないし３０パーセントが症候性骨粗鬆症を発症している。４５歳以上の女性において、骨粗鬆症と臀部、大腿、頸部および転子間骨折との間に直接的関係が存在する。老齢の男性では５０および７０の間で症候性骨粗鬆症を発症するが、該病気は主として女性に影響を及ぼす。
閉経後のおよび老人性の骨粗鬆症の原因は知られていない。該疾患に寄与し得るいくつかの因子が同定されている。それらは、加齢に伴うホルモンレベルの変化およびカルシウムおよび他のミネラルの腸吸収の低下に帰される不適当なカルシウム消費を含む。治療は、通常、プロセスを遅延させる試みにおけるホルモン療法または規定食補足を含むものであった。しかしながら、現在、骨喪失に対する効果的な治療は存在しない。
本発明は、治療上有効量のＯＰＧを用いて骨障害を治療する方法を提供する。骨障害は正味の骨喪失（骨減少症または骨溶解症）によって特徴付けられるいずれの障害であってもよい。一般に、ＯＰＧでの治療は、骨吸収の速度を抑制する必要がある場合に期待される。かくして、治療は吸収速度が正常を超えるあるいは骨吸収が正常レベルよりも低下した場合に骨吸収の速度を低下させるために行って、骨形成の正常レベル未満を補償することができる。
ＯＰＧで治療可能な疾患は以下のものを含む：
一次骨粗鬆症、内分泌骨粗鬆症（甲状腺機能亢進症、副甲状腺機能亢進症、クッシング症候群、および末端肥大症）、遺伝性および先天性形態の骨粗鬆症（骨形成不全症、ホモシスチン尿症、メンケス症候群、およびライリー−デイ症候群）および四肢の固定による骨粗鬆症のごとき骨粗鬆症。
成人および少年少女における骨のパジェット病（変形性骨炎）。
骨髄炎、または骨喪失に至る骨における感染性病巣。
固形腫瘍（乳房、肺および腎臓）に由来する高カルシウム血症および血液学的悪性疾患（多発性骨髄腫、リンパ種および白血病）、特発性高カルシウム血症、および甲状腺機能亢進症および腎臓機能不全に関連する高カルシウム血症。
外科手術後の、ステロイド投与に誘発された、および小腸および大腸の障害に関連した、および慢性肝炎および腎臓病に関連した骨減少症。
外傷性負傷に関連した、またはゴシェ病、鎌状赤血球性貧血、全身性紅斑性狼瘡および他の疾患に関連した非外傷性壊死に関連した、骨壊死、または骨細胞死滅。
慢性関節リウマチによる骨減少。
歯周骨喪失。
骨溶解性転移。
ＯＰＧは骨障害の治療のために単独でまたは他の因子と組み合わせて使用できることは理解される。１つの具体例において、オステオプロテゲリンは骨形成を刺激する治療上有効量の因子と組み合わせて使用される。かかる因子は限定されるものではないがＢＭＰ−１ないしＢＭＰ−１２と呼ばれる骨形態発生因子、トランスフォーミング成長因子−β（ＴＧＦ−β）およびＴＧＦ−βファミリーのメンバー、インターロイキン−１阻害剤ＴＮＦα阻害剤、上皮小体関連蛋白質およびそのアナログ、Ｅ−シリーズプロスタグランジン、（アレンドロネートその他のごとき）ビスホスホネート、およびフルオライドおよびカルシウムのごとき骨増強ミネラルを含む。
以下の実施例は本発明を十分説明するために供するが、本発明の範囲を限定するものと解釈されるべきではない。
実施例１
ラットＯＰＧ  ｃＤＮＡの同定および単離
ｃＤＮＡクローニングおよび分析のための材料および方法はＭａｎｉａｔｉｓら，前掲に記載されている。ポリメラーゼ鎖反応（ＰＣＲ）はＰＣＲ反応混合物（Ｂｏｅｈｒｉｎｇｅｒ−Ｍａｎｎｈｅｉｍ）および製造業者によって特定されたプライマー濃度を用い、Ｐｅｒｋｉｎ−Ｅｌｍｅｒ９６００サーモサイクラーを用いて行った。一般に、２５−５０μｌの反応を９４℃で変性し、続いて５秒間の９４℃での２０−４０サイクル、５秒間の５０−６０℃、および３−５分間の７２℃の２０−４０サイクルを行った。反応を７２℃で３−５分間処理した。次いで、反応をＭａｎｉａｔｉｓら，前掲によって記載されているごとくにゲル電気泳動によって分析した。
ＥＳＴ分析のための胚性ｄ２０腸から単離したｍＲＮＡを用いてｃＤＮＡライブラリーを構築した（Ａｄａｍｓら，Ｓｃｉｅｎｃｅ  ２５２，１６５１−１６５６（１９９１））。ラット胚を切開し、全発生小腸および大腸を摘出し、ＰＢＳ中で洗浄した。全細胞ＲＮＡを酸性チオシアン酸グアニジニウム−フェノール−クロロホルム抽出によって精製した（ＣｈｏｍｃｚｙｎｓｋｉおよびＳａｃｃｈｉ  Ａｎａｌ．  Ｂｉｏｃｈｅｍ．１６２，１５６−１５９（１９８７））。製造業者の推奨方法を用い、Ｄｙｎａｂｅａｄｓ  Ｏｌｉｇｏ  （ｄＴ）２５（Ｄｙｎａｌ  Ｃｏｒｐ）への吸着およびそれからの溶出によって、全ＲＮＡ調製物からポリ（Ａ＋）ｍＲＮＡ画分を得た。Ｓｕｐｅｒｓｃｒｉｐｔプラスミド系（Ｇｉｂｃｏ  ＢＲＬ，Ｇａｉｔｈｅｓｂｕｒｇ，ＭＤ）を用いてランダム起点ｃＤＮＡライブラリーを調製した。内部ＮｏｔＩ制限部位を含有するランダムｃＤＮＡプライマーは以下の配列：
0004657388.tif 000002
を有していた。
第１鎖合成のために、２．５μｇのポリ（Ａ）ＲＮＡおよび１２０ｎｇ、３６０ｎｇまたは１０８０ｎｇのランダムプライマーを含有する３つの別々の反応を組み立てた。第２鎖の合成の後、反応精製物をフェノール：クロロホルム：イソアミルアルコール（２５：２４：１比）の混合物で別々に抽出し、次いで、エタノール沈殿させた。３つの反応の二本鎖（ｄｓ）ｃＤＮＡ産物を合し、以下のｄｓオリゴヌクレオチドアダプターに連結させた。
0004657388.tif 000003
連結後、ｃＤＮＡをＮｏｔＩで完全に消化し、フェノール：クロロホルム：イソアミルアルコール（２５：２４：１）で抽出し、エタノール沈殿させた。次いで、懸濁したｃＤＮＡを、製造業者によって推奨されているごとくに、Ｓｕｐｅｒｓｃｒｉｐｔプラスミド系（Ｇｉｂｃｏ  ＢＲＬ、Ｇａｉｔｈｅｒｓｂｕｒｇ，ＭＤ）を備えた予め作成したカラムを用い、ゲル濾過によりサイズ分画した。最大ｃＤＮＡ生成物を含有する２つの画分をプールし、エタノール沈殿させ、次いで、ＮｏｔＩおよびＳａｌＩ消化したｐＭＯＢベクターＤＮＡ（Ｓｔｒａｔｈｍａｎら，１９９１）に方向付けて連結した。連結したｃＤＮＡを、エレクトロポレーションによって、コンピテントＥｌｅｃｔｒｏＭＡＸ  ＤＨ１０Ｂイー・コリ（Ｇｉｂｃｏ  ＢＲＬ，Ｇａｉｔｈｅｒｓｂｕｒｇ，ＭＤ）に導入した。自動配列分析のために、ほぼ１００００の形質転換体を、アンピシリン補足ＬＢ栄養培地を含有する２０ｃｍ×２０ｃｍ寒天プレート上に置いた。生起するコロニーを拾い、２００ｍｌのＬ−ブロス、７．５％グリセロール、および５０μｇ／ｍｌアンピシリンを含有する９６ウェルマイクロタイタープレート上に配置した。培養を３７℃で一晩増殖させ、マイクロタイタープレートの二連セットを滅菌９６ピン複製ツールを用いて作成し、次いで、両セットをさらなる分析のために−８０℃で貯蔵した。全長ｃＤＮＡクローニングのために、ほぼ１００万の形質転換体を、各々約１００００クローンを含有する９６の細菌アンピシリンプレート上で平板培養した。ＱｉａｇｅｎプラスミドＭａｘｉキット（Ｑｉａｇｅｎ  Ｃｏｒｐ．，ドイツ国）を用いて、各プールからのプラスミドＤＮＡを別々に単離し、ＰＣＲ分析のために９６のマイクロタイタープレートに配置した。
ランダム胎児ラット腸ｃＤＮＡクローンを配列決定するために、グリセロールストックを解凍し、１：２５希釈した小アリコットを蒸留した。ほぼ３．０μｌの希釈細菌培養を以下のオリゴヌクレオチドを含有するＰＣＲ反応混合物（Ｂｏｅｈｒｉｎｇｅｒ−Ｍａｎｎｈｅｉｍ）に添加した。
0004657388.tif 000004
反応を以下のサクイル条件：２分間の９４℃；５秒間の９４℃、５秒間の５０℃、および３分間の７２℃の３０サイクル；４分間の７２℃でサーモサイクラー（Ｐｅｒｋｉｎ−Ｅｌｍｅｒ９６００）中でインキュベートした。サーモサイクラーにおけるインキュベーションの後、反応を２．０ｍＬの水で希釈した。増幅したＤＮＡ断片を、製造業者の推奨法を用い、Ｃｅｎｔｒｉｃｏｎカラム（Ｐｒｉｎｃｅｔｏｎ  Ｓｅｐａｒａｔｉｏｎｓ）を用いてさらに精製した。製造業者の推奨法に従い、Ｔ３プライマー（オリゴヌクレオチド３５３−２３；５’−ＣＡＡＴＴＡＡＣＣＣＴＣＡＣＴＡＡＡＧＧ−３’）（配列番号：６）、Ｔａｑ色素−ターミメーター反応（Ａｐｐｐｌｉｅｄ  Ｂｉｏｓｙｓｔｅｍｓ）を用い、ＰＣＲ反応生成物をＡｐｐｐｌｉｅｄ  Ｂｉｏｓｙｓｔｅｍｓ３７３Ａ自動ＤＮＡ配列決定器で配列決定した。
ランダムに拾ったｃＤＮＡクローンから得られた５’ヌクレオチド配列を翻訳し、次いで、ＦＡＳＴＡプログラム（Ｐｅａｒｓｏｎら，Ｍｅｔｈ．Ｅｎｚｙｍｏｌ．１８３，（１９９０））の修飾バージョンを用いて、公知の蛋白質配列の存在するデータベースと比較した。また、Ｌｕｅｔｈｙら（Ｐｒｏｔｅｉｎ  Ｓｃｉｅｎｃｅ  ３，１３９−１４６（１９９４））によって修飾されたＧｒｉｂｓｋｏｖら（Ｐｒｏｃ．Ｎａｔｌ．Ａｃａｄ．Ｓｃｉ．ＵＳＡ８３，４３５５−４３５９（１９８７））の配列プロフィール法を用い、翻訳された配列を、腫瘍壊死因子受容体（ＴＮＦＲ）スーパーファミリー（Ｓｍｉｔｈら  Ｃｅｌｌ  ７６，９５９−９６２（１９９４））の全ての公知のメンバーにおける特異的システイン−リッチの蛋白質モチーフの存在につき分析した。
ＦＡＳＴＡおよびプロフィールサーチデータを用い、ＥＳＴ、ＦＲＩ−１（Ｆｅｔａｌラットインテスチン−１）をＴＮＦＲスーパーファミリーの可能な新しいメンバーとして同定した。ＦＲＩ−１はほぼ６００ｂｐインサートを含有し、ＬＯＲＦは約１５０アミノ酸であった。データベースにおける最も近いマッチはヒトＩＩ型ＴＮＦＲ（ＴＮＦＲ−２）であった。比較した領域はこの１５０ａａＬＯＲＦにわたってＴＮＦＲ−２およびＦＲＩ−１の間に〜４３％の相同性を示した。ＴＮＦＲスーパーファミリーの第１および第３システイン−リッチの反復を用いるプロフィール分析により〜８のＺスコアが得られ、これはＦＲＩ−１遺伝子が恐らくは新しいフアミリーメンバーをコードすることを示す。ＦＲＩ−１生成物の構造を推定するために、胎児ラット腸ｃＤＮＡライブラリーを全長クローンにつきスクリーニングした。以下のオリゴヌクレオチドが元のＦＲＩ−１から誘導された。
0004657388.tif 000005
これらのプライマーをＰＣＲ反応で用いてプラスミドＤＮＡの９６プール（各プールは１００００の独立したｃＤＮＡクローンからのプラスミドＤＮＡを含有）をスクリーニングした。以下のサイクル条件：９４℃における２分、１サイクル；９４℃における１５秒、次いで６５℃における４５秒、３０サイクル；６５℃における７分、１サイクルでＰｅｒｋｉｎ−Ｅｌｍｅｒ９６ウェルのサーマルサイクラーを用い、ほぼ１μｇのプラスミドプールＤＮＡをＰＣＲ反応混合物（Ｂｏｅｈｒｉｎｇｅｒ−Ｍａｎｎｈｅｉｍ）中で増幅した。ＰＣＲ反応生成物をゲル電気泳動によって分析した。９６プラスミドＤＮＡプールのうち１３が予期された相対的分子量を持つ増幅ＤＮＡ生成物を生起した。
一つの陽性プールからのＤＮＡを用いて、前記したごとくにコンピテントＥｌｅｃｔｒｏＭＡＸ  ＤＨ１０Ｂイー・コリ（Ｇｉｂｃｏ  ＢＲＬ，Ｇａｉｔｈｅｒｓｂｕｒｇ，ＭＤ）を形質転換した。ほぼ４００００の形質転換体を滅菌ニトロセルロースフィルター（ＢＡ−８５、ＳｃｈｌｅｉｃｈｅｒおよびＳｈｕｅｌｌ）上に平板培養し、次いで、前記で得られたＰＣＲ産物の32Ｐ−ｄＣＴＰ標識バージョンを用い、コロニーハイブリダイゼーションによってスクリーニングした。フィルターを５×ＳＳＣ、５０％脱イオン化ホルムアミド、５×デンハート溶液、０．５％ＳＤＳ、および１００μｇ／ｍｌ変性サケ精子ＤＮＡ中、４２℃で２−４時間プレハイブリダイズさせた。次いで、フィルターを５×ＳＳＣ、５０％脱イオン化ホルムアミド、２×デンハート溶液、０．１％ＳＤＳ、１００μｇ／ｍｌ変性サケ精子ＤＮＡ、および〜５ｎｇ／ｍｌの標識プローブ中、４２℃で〜１８時間ハイブリダイズさせた。次いで、フィルターを室温にて２×ＳＳＣ中で１０分間、５５℃にて１×ＳＳＣ中で１０分間、および最後に５５℃にて０．５×ＳＳＣ中で１０−１５分間洗浄した。オートラジオグラフィーに続いてハイブリダイズするクローンを検出し、次いで、二次スクリーニングのためにニトロセルロースフィルター上に再平板培養した。二次スクリーニングに際して、プラスミドクローン（ｐＢ１．１）を単離し、次いで、１００μｇ／ｍｌアンピシリンを含有するＬ−ブロス培地中で増幅させ、プラスミドＤＮＡが得られた。２．４ｋｂ  ｐＢ１．１インサートの両鎖を配列決定した。
ｐＢ１．１インサート配列を公のデータベースのＦＡＳＴＡサーチを用いて、いずれかの存在する配列とのマッチおよび／または類似性を検出した。いずれの公知の遺伝子またはＥＳＴに対してもマッチは見い出されなかったが、ヒトおよびマウスＴＮＦＲ−２遺伝子に対してほぼ４５％の類似性があった。メチオニン開始コドンはヌクレオチド配列のｂｐ１２４に見い出され、続いてｂｐ１３２７で終了する４０１ａａ残基をコードするＬＯＲＦがあった。該４０１ａａ残基産物は、そのＮ−末端におけるほぼ３１残基の疎水性シグナルペプチドおよびＮ−結合糖鎖付加の４つの可能な部位を有すると予測される。疎水性の膜を貫通する配列は、ＰｅｐＰｌｏｔプログラム（Ｗｉｓｃｏｎｓｉｎ  ＧＣＧｐａｃｋａｇｅ，ｖｅｒｓｉｏｎ８．１）を用いては同定されなかった。次いで、推定された４０１ａａを用いて蛋白質データベースをサーチした。再度、存在するマッチはなかったが、ＴＮＦＲスーパーファミリーの多くのメンバー、最も顕著にはヒトおよびマウスＴＮＦＲ−２に対する強力な類似性があるようであった。ＴＮＦＲ−スーパーファミリーの公知のメンバーとこの新規な蛋白質の配列並置をＰｉｌｅｕｐプログラムを用いて調製し、次いで、ＰｒｅｔｔｙＰｌｏｔ（Ｗｉｓｃｏｎｓｉｎ  ＧＣＧ  ｐａｃｋａｇｅ，ｖｅｒｓｉｏｎ８．１）によって修飾した。この並置は全長ＦＲＩ−１遺伝子産物と全ての他のＴＮＦＲファミリーメンバーとの間の明瞭な相同性を示した。相同領域はＴＮＦＲファミリーメンバーの細胞外ドメインにマップされ、これらの蛋白質のリガンド結合ドメインで見い出される３つまたは４つのシステイン−リッチの反復に対応する。これは、ＦＲＩ−１遺伝子が新規なＴＮＦＲファミリーメンバーをコードすることを示唆した。膜貫通領域が検出されなかったので、本発明者らはこれはＴＮＦＲ−１由来可溶性受容体（Ｋｏｈｎｏら，Ｐｒｏｃ．Ｎａｔｌ．Ａｃａｄ．Ｓｃｉ．ＵＳＡ８７，８３３１−８３３５（１９９０））と同様に、分泌受容体であり得ると予測した。ＦＲＩ−１遺伝子の明らかな生物学的活性のため、該産物をオステオプロテゲリン（ＯＰＧ）と命名した。
実施例２
組織におけるＯＰＧ  ｍＲＮＡ発現パターン
複数のヒト組織ノーザンブロット（Ｃｌｏｎｅｔｅｃｈ）を32Ｐ−ｄＣＴＰ標識ＦＲＩ−１  ＰＣＲ産物でプローブして、ヒト転写体のサイズを検出し、および発現のパターンを決定した。ノーザンブロットを、５×ＳＳＰＥ、５０％ホルムアミド、５×デンハート溶液、０．５％ＳＤＳ、および１００μｇ／ｍｌ変性サケ精子ＤＮＡ中、４２℃で２−４時間プレハイブリダイズさせた。次いで、該ブロットを、５×ＳＳＰＥ、５０％ホルムアミド、２×デンハート溶液、０．１％ＳＤＳ、１００μｇ／ｍｌ変性サケ精子ＤＮＡ、および５ｎｇ／ｍｌ標識プローブ中、４２℃で１８−２４時間ハイブリダイズさせた。次いで、ブロットを室温にて２×ＳＳＣ中で１０分間、５０℃にて１×ＳＳＣ中で１０分間、次いで０．５×中で１０−１５分間洗浄した。
ラット遺伝子から誘導されたプローブを用い、約２．４ｋｂの相対的分子量を持つ支配的ｍＲＮＡ種を、腎臓、肝臓、胎盤および心臓を含めたいくつかの組織中で検出する。最高のレベルは腎臓で検出される。Ｍｒ４．５および７．５ｋｂの大きなｍＲＮＡ種を骨格筋および膵臓で検出した。ヒト胎児組織においては、腎臓は比較的高いレベルの２．４ｋｂ  ｍＲＮＡを発現することが判明した。ヒトプローブ（後記参照）を用い、これら同じ組織で２．４ｋｂ転写体のみが検出される。加えて、比較的高レベルの２．４ｋｂ転写体がリンパ節、胸腺、脾臓および虫垂で検出された。ラットおよびヒトの両オステオプロテゲリン遺伝子によって検出された転写体のサイズはラットｐＢ１．１  ＦＲＩ−１インサートの長さとほとんど同一であり、これは、それが全長ｃＤＮＡクローンであることを示唆する。
実施例３
トランスジェニックマウスにおけるＯＰＧの全身送達
ラットＯＰＧクローンｐＢ１．１を鋳型として用いて、ＡｐｏＥ−肝臓特異的発現ベクター（Ｓｉｍｏｎｅｔら，Ｊ．Ｃｌｏｎ．Ｉｎｖｅｓｔ．９４，１３１０−１３１９（１９９４）、およびＰＣＴ出願ＵＳ９４／１１６７５および共有米国特許出願第０８／２２１，７６７号）にサブクーニングするためにコーディング領域をＰＣＲ増幅した。各々、以下の５’および３’オリゴヌクレオチドをＰＣＲ増幅で用いた。
0004657388.tif 000006
ＰＣＲ反応混合物（Ｂｏｅｈｒｉｎｇｅｒ−Ｍａｎｎｈｅｉｍ）を以下のごとくに処理した：１分間の９４℃、１サイクル；２０秒間の９４℃、３０秒間の６２℃、および１分間のの７４℃、２５サイクル。増幅に続き、試料をＱｉａｇｅｎＰＣＲカラムで精製し、ＳｐｅＩおよびＮｏｔＩ制限酵素で一晩消化した。消化した生成物を抽出し、沈殿させ、ＡｐｏＥプロモーター発現ベクターにサブクローンした。得られたクローンＨＥ−ＯＰＧをマイクロインジェクションに付すに先立って、それを配列決定してそれが突然変異がないことを確認した。
ＨＥ−ＯＰＧプラスミドを２ラウンドのＣｓＣｌ密度勾配遠心によって精製した。精製したプラスミドＤＮＡをＸｈｏＩおよびＡｓｅＩで消化し、３．６ｋｂトランスジーンインサートをゲル電気泳動によって精製した。精製した断片を５ｍＭトリス、ｐＨ７．４、０．２ｍＭ  ＥＤＴＡ中１μｇ／ｍｌのストック注射溶液まで希釈した。ＢＤＦ１×ＢＤＦ１交雑マウスからの単一細胞胚を、注射針に傾角を付け、使用前にシリコン処理を施した以外は実質的に記載されているごとくに（Ｂｒｉｎｓｔｅｒら，Ｐｒｏｃ．Ｎａｔｌ．Ａｃａｄ．Ｓｃｉ．ＵＳＡ  ８２，４３３８（１９８５））注射した。胚をＣＯ2インキュベーター中で一晩培養し、１５ないし２０の２−細胞胚を偽妊娠ＣＤ１雌マウスの卵管に移した。
妊娠期間に続き、マイクロインジェクション処理した胚の着床かう４９の子供が得られた。該子供をゲノミックＤＮＡ試料中の一体化されたトランスジーンのＰＣＲ増幅によってスクリーニングした。増幅の標的領域は、発現ベクターに含まれたヒトＡｐｏＥイントロンの３６９ｂｐ領域であった。ＰＣＲ増幅で使用したオリゴは以下のものであった。
0004657388.tif 000007
ＰＣＲについての条件は：２分間の９４℃、１サイクル；１分間の９４℃、２０秒間の６３℃、および３０秒間の７２℃、３０サイクルであった。４９の元の子供のうち、９がＰＣＲ陽性トランスジェニック創始体として同定された。
８−１０週齢において、５つのトランスジェニック創始体（２、１１、１６、１７および２８）および５つの対照（１、１２、１５、１８および３０）を剖検および病理学的分析のために犠牲にした。肝臓を部分的肝切除によって残りの４の創始体から摘出した。部分的肝切除では、マウスを麻酔し、肝臓の葉を外科的に摘出した。記載されているごとくに（ＭｃＤｏｎａｌｄら，  Ｍｅｔｈ．  Ｅｎｚｙｍｏｌ．１５２，２１９（１９８７））、全てのトランスジェニック創始体、および５の陰性対照同腹子供の肝臓から全細胞ＲＮＡを単離した。ノーザンブロット分析をこれらの試料で行ってトランスジーン発現のレベルを評価した。各動物肝臓からの全ＲＮＡのほぼ１０μｇを、電気泳動変性ゲル（Ｏｇｄｅｎら，Ｍｅｔｈ．Ｅｎｚｙｍｏｌ．１５２，６１（１９８７））によって解像し、次いで、ＨＹＢＯＮＤ−Ｎマイロン膜（Ａｍｅｒｓｈａｍ）に移し、32ＰｄＣＴＰ−標識ｐＢ１．１インサートＤＮＡでプローブした。５０％ホルムアミド、５×ＳＳＰＥ、０．５％ＳＤＳ、５×デンハート溶液、１００μｇ／ｍｌ変性サケ精子ＤＮＡおよび２−４×１０6ｃｐｍの標識プローブ／ｍｌのハイブリダイゼーション緩衝液中、４２℃でハイブリダイゼーションを一晩行った。ハイブリダイゼーションに続き、ブロットを、各々２×ＳＳＣ、０．１％ＳＤＳ中、室温にて２回、次いで、各々０．１×ＳＳＣ、０．１％ＳＤＳ中、５５℃にて５−１０分間２回洗浄した。創始体および対照同腹子供におけるトランスジーンの発現をオートラジオグラフィーにより測定した。
ノーザンブロットデータは、トランスジェニック創始体のうち７つが検出可能なレベルのトランスジーンｍＲＮＡを発現することを示す（動物番号２、１１、１６、１７、２２、３３および４５）。陰性対照マウスおよび創始体のうち１つ（番号２８）はトランスジーン−関連ｍＲＮＡを発現しなかった。ＯＰＧは分泌蛋白質であると予測されるので、トランスジーンｍＲＮＡの過剰発現は、全身送達された遺伝子産物のレベルの現れであるはずである。ＰＣＲおよびノーザンブロット陽性マウスのうち、動物２、１７および２２は最高レベルのトランスジーンｍＲＮＡを発現し、宿主細胞および組織に対する広範な生物学的効果を示し得る。
実施例４
ＯＰＧの生物学的活性
以下の手法に従い、５匹のトランスジェニックマウス（動物２、１１、１６、１７および２８）および５匹の対照同腹子供（動物１、１２、１５、１８および３０）を剖検および病理学的分析のために犠牲にした。安楽死に先立って、全ての動物はその同定番号を確認し、次いで、体重を測定し、麻酔し、血液を採取した。完全な血清化学および血液学パネルのために血液は血清および全血として保存した。目視切開に先立ち、致死的ＣＯ2吸入による最終安楽死の直後にＸ−線撮影を行った。これに続き、組織を摘出し、組織学的調査のために１０％緩衝化Ｚｎ−ホルマリン中で固定化した。収集した組織は肝臓、脾臓、膵臓、胃、十二指腸、回腸、結腸、腎臓、生殖器官、皮膚および乳腺、骨、脳、心臓、肺、胸腺、気管、食道、甲状腺、空腸、盲腸、直腸、副腎、膀胱、および骨格筋を含むものであった。固定に先立ち、全器官の重量を肝臓、胃、腎臓、副腎、脾臓および胸腺につき測定した。固定の後、組織をプラフィンブロックに加工し、３μｍの切片を得た。ギ酸溶液を用いて骨組織を脱灰し、全ての切片をヘマトキシリンおよびエオシンで染色した。加えて、ゴモリのレチクリンおよびマッソンのトリクロムでの染色をある組織に対して行った。酵素組織学法を行って、酒石酸耐性酸性ホスファターゼ（ＴＲＡＰ）、破骨細胞（単球−マクロファージ系統の多核骨−再吸収細胞）によって高度に発現される酵素の発現を測定した。また、ＢｒｄＵおよびＦ４８０単球−マクロファージ表面抗原についての免疫組織化学法を行って、各々、複製する細胞および単球−マクロファージ系統の細胞を検出した。Ｆ４８０表面抗原発現を検出するために、ホルマリン固定し、パラフィン包埋した４μｍ切片を脱パラフィン化し、脱イオン水に水和させた。切片を３％過酸化水素でクエンチし、Ｐｒｏｔｅｉｎ  Ｂｌａｃｋ（Ｌｉｐｓｈａｗ，Ｐｉｔｔｓｂｕｒｇｈ，ＰＡ）でブロックし、ラットモノクローナル抗−マウスＦ４８０（Ｈａｒｌａｎ，Ｉｎｄｉａｎａｐｏｌｉｓ，ＩＮ）中でインキュベートした。クロマトゲンとしてＤＡＢを用い（ＢｉｏＴｅｋ，Ｓａｎｔａ  Ｂａｒｂａｒａ，ＣＡ）を用い、ビオチン化ウサギ抗−ラット免疫グロブリン、ペルオキシダーゼコンジュゲーテッドストレプトアビジン（ＢｉｏＧｅｎｅｘ  Ｓａｎ  Ｒａｍｏｎ，ＣＡ）によってこの抗体を検出した。切片をヘマトキシリンで逆染色した。
目視切開および内臓組織の観察により、トランスジーン発現体または対照同腹子供で異常性は見いだされなかった。器官重量の分析は、脾臓のサイズが、対照と比較してトランスジェニックマウスでほぼ３８％増加していることを示す。トランスジーン発現体で血小板サイズのわずかな拡大および循環非染色細胞の増加があった。トランスジーン発現体で血小板レベルでほんのわずかな減少があった。加えて、血清尿酸、尿窒素、およびアルカリ性ホスファターゼレベルは全てトランスジーン発現体で低い傾向であった。発現体は長骨（大腿）、椎骨、および偏平骨（骨盤）を含めた骨格の放射能密度の増加を有することが判明した。発現体における大腿の相対的サイズは対照マウスと異ならなかった。
ＯＰＧ発現体からの骨の染色切片の組織学的分析は、ひどい大理石骨病を示し、一次海綿からの軟骨残骸が大腿の骨幹における柱状骨内で観察された。明瞭に規定される皮質は大腿の切片では同定できなかった。正常な動物では、中心骨幹には骨髄が充填されている。また、椎骨の切片は大理石骨病変化を示し、これはＯＰＧ−誘導骨格変化が全身的であることを意味する。残りの骨髄は圧倒的に骨髄様要素を示した。巨核球は存在した。レチクリン染色はレチクリン沈積の証拠を示さなかった。Ｆ４８０（マウスにおける単球−マクロファージ起源の細胞によって発現される細胞表面抗原）の免疫組織化学法は骨髄腔においてＦ４８０陽性細胞の存在を示した。局部的に、平坦なＦ４８０陽性細胞が柱状骨表面に直接隣接して観察できた。
柱状骨をライニングする間葉細胞は偏平で、不活性のようであった。Ｈ＆ＥおよびＴＲＡＰ染色に基づき、破骨細胞はＯＰＧ発現体における柱状骨表面では稀にしか見いだされなかった。対照的に、破骨細胞および／または軟骨吸収細胞が軟骨を吸収する成長プレートの領域で観察されたが、それらの数は対照と比較して少ないであろう。また、破骨細胞は、再形成活性が通常豊富な骨幹端の皮質表面で存在した。発現体および対照との間の圧倒的な差異は、椎骨および大腿双方における、柱状破骨細胞のかなりの減少であった。骨蓄積の程度は全肝臓ＲＮＡのノーザンブロッティングによって検出されたＯＰＧトランスジーンｍＲＮＡのレベルに直接相関した。
ＯＰＧ発現体からの脾臓は増大した量の赤脾髄を有し、造血の増大のため膨張していた。全ての造血系統は現れていた。Ｆ４８０陽性細胞は、赤脾髄において、対照およびＯＰＧ発現体双方で存在した。発現体のうちの２つ（２および１７）は肝臓内に髄外造血の病巣を有しており、これは大理石病骨のためのようである。
胸腺、リンパ節、胃腸管、膵臓−肝胆管、呼吸器管、生殖系、性器−泌尿器系、皮膚、神経系、心臓および大動脈、乳房、骨格筋および脂肪で観察できる異常はなかった。
実施例５
マウスおよびヒトＯＰＧｃＤＮＡの単離
マウスＯＰＧ  ｍＲＮＡの５’末端に対応するｃＤＮＡクローンをＰＣＲ増幅によってマウス腎臓ｃＤＮＡライブラリー（Ｃｌｏｎｅｔｅｃｈ）から単離した。オリゴヌクレオチドはラットＯＰＧ  ｃＤＮＡ配列から誘導され、それは以下に示される。
0004657388.tif 000008
このプロセスで得られた部分的および全長ｃＤＮＡ産物を配列決定した。全長産物をＮｏｔＩおよびＸｂａＩで消化し、プラスミドベクターｐＲｃＣＭＶ（Ｉｎｖｉｔｒｏｇｅｎ）に方向付けてクローン化した。得られたプラスミドをｐＲｃＣＭＶ−Ｍｕ−ＯＰＧと命名した。クローン化産物のヌクレオチド配列をラットＯＰＧ  ｃＤＮＡ配列と比較した。ＯＰＧ  ＬＯＲＦにわたる１３００ｂｐ領域にわたって、ラットおよびマウスＤＮＡ配列はほぼ８８％同一である。マウスｃＤＮＡ配列は４０１ａａＬＯＲＦを含有し、これをラットＯＰＧ蛋白質配列と比較し、ｇａｐｓを除いて〜９４％同一であることが判明した。これは、単離されたマウスｃＤＮＡ配列はネズミＯＰＧ蛋白質をコードすること、および配列および構造は進化を通じて高度に保存されていることを示す。マウスＯＰＧ蛋白質配列は同一の推定シグナルペプチドをそのＮ−末端に含有し、Ｎ−結合糖鎖付加の全ての４つの可能な部位が保存されている。
部分的ヒトＯＰＧ  ｃＤＮＡを、以下のラット−特異的オリゴヌクレオチドを用いてヒト腎臓ｃＤＮＡライブラリーからクローン化した。
0004657388.tif 000009
このＰＣＲ産物を配列決定し、これを用いて、鋳型としてラムダにおけるヒトＯＰＧゲノミッククローンを用い、ヒトｃＤＮＡの３’末端を増幅するためのプライマーを設計した。
0004657388.tif 000010
増幅されたＰＣＲ産物を配列決定し、５’末端配列と一緒に用いて、全ヒトＯＰＧ  ｃＤＮＡコーディング配列を増幅するのに有用な５’および３’ヒト−特異的プライマーを設計した。
0004657388.tif 000011
全長ヒトＰＣＲ産物を配列決定し、次いで、ＮｏｔＩおよびＸｂａＩを用いて、プラスミドベクターｐＲｃＣＭＶ（Ｉｎｖｉｔｒｏｇｅｎ）に方向付けてクローン化した。得られたプラスミドをｐＲｃＣＭＶ−ヒトＯＰＧと命名した。クローン化産物のヌクレオチド配列をラットおよびマウスＯＰＧ  ｃＤＮＡ配列と比較した。ＯＰＧ  ＬＯＲＦにわたる１３００ｂｐにわたって、ラットおよびマウスＤＮＡ配列はヒトＯＰＧ  ｃＤＮＡと７８−８８％同一であった。また、ヒトＯＰＧ  ｃＤＮＡ配列は４０１ａａＬＯＲＦを含有し、それをラットおよびマウス蛋白質配列と比較した。予測されたヒトＯＰＧ蛋白質は、各々、ラットおよびマウス蛋白質とほぼ８５％同一、〜９０％同一である。ラット、マウスおよびヒト蛋白質の配列を並べると、それらは進化の間に高度に保存されていたことを示す。ヒト蛋白質はＮ−末端シグナルペプチド、およびＮ−結合糖鎖付加の５つの可能な部位を有することが予測され、そのう４つはラットおよびマウスＯＰＧ蛋白質の間で保存されている。
マウスＯＰＧのＤＮＡおよび予測されるアミノ酸配列を図９Ａおよび９Ｂに示す（配列番号：１２２）。ヒトＯＰＧのＤＮＡおよび予測されるアミノ酸配列を図９Ｃおよび９Ｄに示す（配列番号：１２４）。ラット、マウスおよびヒトＯＰＧアミノ酸の比較を図９Ｅおよび９Ｆに示す。
さらなるヒトＯＰＧ  ｃＤＮＡクローンの単離により、図９Ｃに示したＤＮＡ配列の１０３位におけるＧからＣへの塩基変化の存在を明らかにした。このヌクレオチド変化の結果、図９Ｃに示したアミノ酸配列の３位のリシンの代わりにアスパラギンでの置換となる。この変化を有するクローンにおける配列の残りは図９Ｃおよび９Ｄのものと同一である。
実施例６
ＯＰＧ三次元構造モデリング
ＯＰＧのアミノ末端部分はＴＮＦＲスーパーファミリーの全ての公知のメンバーの細胞外部分と相同性を有する（図１Ｃ）。ＴＮＦＲ−関連遺伝子のこの領域における最も顕著なモチーフは〜４０アミノ酸、システイン−リッチな反復配列であり、これは別の構造へと折り畳まれている（Ｂａｎｎｅｒら，Ｃｅｌｌ  ７３，４３１−４４５（１９９３））。このモチーフは通常４つの（範囲３−６）タンデム反復（図１Ｃ参照）で表示され、リガンド結合に関与することが知られている（Ｂｅｕｔｌｅｒおよびｖａｎ  Ｈｕｆｆｅｌ  Ｓｃｉｅｎｃｅ  ２６４，６６７−６６３（１９９４））。各反復は通常は６つの間隔を設けたシステイン残基を含有し、これは３つのドメイン内ジスルフィド結合（ＳＳ１、ＳＳ２およびＳＳ３と呼ばれる）の形成に関与している（Ｂａｎｎｅｒ，前掲）。ＴＮＦＲ２、ＣＤ３０およびＣＤ４０のごときいくつかの受容体において、反復ドメインのうちのいくつかは２つの鎖内ジスルフィド結合のみを含有する（ＳＳ１およびＳＳ３）。
Ｌｕｅｔｈｙら（前掲）によって記載されている方法を用いて、ヒトＯＰＧ蛋白質配列をＴＮＦＲ１細胞外ドメインプロフィールに対して並べ、Ｗｉｓｃｏｎｓｉｎ  Ｐａｃｋａｇｅ，ｖｅｒｓｉｏｎ８．１（Ｇｅｎｅｔｉｃｓ  Ｃｏｍｐｕｔｅｒ  Ｇｒｏｕｐ，Ｍａｄｉｓｏｎ，ＷＩ）からのＰｒｅｔｔｙＰｌｏｔプログラムを用いて結果をグラフ表示した（図１０）。配置はドメイン１−４の形成に関与するシステイン残基の明瞭な保存を示す。次いで、この配置を用いて、鋳型としてｐ５５  ＴＮＦＲ１（Ｂａｎｎｅｒら，前掲）の細胞外ドメインの公知の３−Ｄ構造を用い、ヒトＯＰＧ  Ｎ−末端ドメインの三次元（３−Ｄ）モデルを構築した。これをなすために、ペプチド骨格および同一残基の側鎖の原子座標をＴＮＦＲ１の結晶構造座標からコピーした。これに続き、挿入および異なる側鎖についての残りの座標を、ＬＯＯＫプログラム（Ｍｏｌｅｃｕｌａｒ  Ａｐｐｌｉｃａｔｉｏｎｓ  Ｇｒｏｕｐ，Ｐａｌｏ  Ａｌｔｏ，ＣＡ）を用いて創製した。次いで、ＬＯＯＫを用いてそのコンフォメーションエネルギーを最小化することによって３−Ｄモデルを良質化した。
他のＴＮＦＲファミリーメンバーとの類似性から、ＯＰＧはリガンドと結合すると思われる。ＯＰＧとそのリガンドとの相互作用をモデル化する目的で、ＴＮＦ−βの結晶構造を用いて「ＯＰＧリガンド」の３−Ｄ表示をシミュレートした。Ｍｏｌｓｃｒｉｐｔ（Ｋｒａｕｌｉｓ，Ｊ．Ａｐｐｌ．Ｃｒｙｓｔ．，２４，９４６−９５０，１９９１）を用い、このデータをグラフ表示した（図１１参照）。３つのＴＮＦβおよび３つのＯＰＧ分子でのＯＰＧ／リガンド複合体についてのモデルを構築し、ここに、ＯＰＧの相対的位置は結晶構造におけるＴＮＦＲ１と同一である。次いで、このモデルを用いて、以下のアプローチを用い、そのリガンドと相互作用し得るＯＰＧの残基を見つけた。複合体における全ての残基および１つの単一ＯＰＧモデルの溶媒接近可能な領域を計算した。モノマーにおけるのと異なる複合体での接近性を有する残基はリガンドと相互作用するようである。
この情報を用い、ヒトおよびマウスＯＰＧアミノ酸配列を再度並べて、システインリッチのドメイン１−４の各々よりなる配列を強調した（図１２Ａおよび１２Ｂ参照）。各ドメインは予測できる個々の構造特徴を有する。
ドメイン１
ＳＳ２（Ｃ４１ないしＣ５４）およびＳＳ３（Ｃ４４ないしＣ６２）ジスルフィド結合に関与する４つのシステインを含有する。ＳＳ１結合はジスルフィド架橋に基づいて明らかではないが、２８位で観察されたチロシンはＴＮＦＲ１におけるＹ２０と相同であり、これはドメイン形成を助けるためにＨ６６と相互作用するのに関与することが知られている。ＯＰＧは７５位に相同ヒスチジンを有し、これはＯＰＧ  Ｙ２８およびＨ７５が、ＴＮＦＲ１における相同残基がそうであるように、天然蛋白質において一緒に重なることを示唆する。従って、これらの残基の双方は、事実、生物学的活性で重要であり得、Ｙ２８までおよびそれを越えてのＮ−末端ＯＰＧ切形は活性を改変し得る。加えて、残基Ｅ３４およびＫ４３は、本発明者らの３−次元モデルに基づくと結合リガンドと相互作用することが予測される。
ドメイン２
６つのシステインを含有し、ＳＳ１（Ｃ６５ないしＣ８０）、ＳＳ２（Ｃ８３ないしＣ９８）およびＳＳ３（Ｃ８７ないしＣ１０５）ジスルフィド結合を含有することが予測される。また、ＯＰＧのこの領域は、ＴＮＦβとの密接な接触を形成（前記参照）するＴＮＦＲ１ドメイン２の一部に対応するＰ６６−Ｑ９１から伸びる領域を含み、ＯＰＧリガンドと相互作用し得る。特に、残基Ｐ６６、Ｈ６８、Ｙ６９、Ｙ７０、Ｔ７１、Ｄ７２、Ｓ７３、Ｈ７５、Ｔ７６、Ｓ７７、Ｄ７８、Ｅ７９、Ｌ８１、Ｙ８２、Ｐ８５、Ｖ８６、Ｋ８８、Ｅ８９、Ｌ９０、およびＱ９１は本発明者の構造データに基づくと結合リガンドと相互作用することが予測される。
ドメイン３
ＳＳ１（Ｃ１０７ないしＣ１１８）およびＳＳ３（Ｃ１２４ないしＣ１４２）ジスルフィド結合に関与する４つのシステインを含有する。本発明者の構造データに基づくと、残基Ｅ１１５、Ｌ１１８およびＫ１１９はＯＰＧリガンドと相互作用することが予測される。
ドメイン４
ＳＳ１（Ｃ１４５ないしＣ１６０）およびＳＳ３（Ｃ１６６ないしＣ１８５）ジスルフィド結合に関与する４つのシステインを含有するが、ドメイン３と同様にＳＳ２結合は含有しない。本発明者らの構造データはＥ１５３およびＳ１５５はＯＰＧリガンドと相互作用すると予測する。
かくして、ＯＰＧについての予測される構造モデルは、その生物学的活性に重要であるらしい高度に保存された多数の残基を同定する。
実施例７
哺乳動物細胞における組換え分泌ＯＰＧ蛋白質の産生
ＯＰＧが現実に分泌蛋白質であるかどうかを判断するために、マウスＯＰＧ  ｃＤＮＡをタッグとしてヒトＩｇＧ１  Ｆｃドメインに融合させ（Ｃａｐｏｎら，Ｎａｔｕｒｅ  ３３７，５２５−５３１（１９８９））、ヒト２９３繊維芽細胞で発現させた。Ｆｃ融合はベクターｐＦｃ−Ａ３を用いて行った。ｐＦｃ−Ａ３は、ヒンジドメインの最初のアミノ酸（Ｇｌｕ−９９）からカルボキシル末端までのヒト免疫グロブリンＩｇＧ−γ１重鎖（Ｅｌｌｉｓｏｎら，前掲）のＦｃ部分をコードする領域を含有し、５’−ＮｏｔＩ融合部位および３’−ＳａｌＩおよびＸｂａＩ部位が隣接する。プラスミドはヒト脾臓ｃＤＮＡライブラリー（Ｃｌｏｎｔｅｃｈ）のＰＣＲ増幅によって構築した。ＰＣＲ反応は１００μｌの最終容量で行い、４００μＭの各ｄＴＮＰおよび１μＭの各プライマーと共に増幅されるべき１ｎｇのｃＤＮＡライブラリーを含む、２０ｍＭ  トリス−ＨＣｌ（ｐＨ８．８）、１０ｍＭ  ＫＣｌ、１０μＭ（ＮＨ4）2ＳＯ4、２ｍＭ  ＭｇＳＯ4、０．１％トリトンＸ−１００中で、Ｖｅｎｔ  ＤＮＡポリメラーゼ（Ｎｅｗ  Ｅｎｇｌａｎｄ  Ｂｉｏｌａｂｓ）の２ユニットを使用した。反応は２分間の９５℃における変性によって開始し、続いて３０秒間の９５℃、３０秒間の５５℃、および２分間の７３℃の３０サイクルを行った。５’プライマー：
0004657388.tif 000012
は、ＩｇＧ−γ１のヒンジドメインの最初の残基（Ｇｌｕ−９９）の直ぐ５’側のＮｏｔＩ部位に導入した。３’プライマー：
0004657388.tif 000013
は、ＳａｌＩおよびＸｂａＩ部位に導入した。７１７−ｂｐＰＣＲ産物をＮｏｔＩおよびＳａｌＩで消化し、１％アガロース（ＦＭＣ  Ｃｏｒｐ．）を通す電気泳動によって単離し、Ｇｅｎｅｃｌｅａｎ手法（ＢＩＯ  １０１，Ｉｎｃ．）によって精製し、ＮｏｔＩ、ＳａｌＩ−消化ｐＢｌｕｅｓｃｒｉｐｔ  ＩＩ  ＫＳベクター（Ｓｔｒａｔａｇｅｎｅ）にクローン化した。得られたプラスミドｐＦｃ−Ａ３中のインサートを配列決定してＰＣＲ反応の信頼性を確認した。
プラスミドｐＲｃＣＭＶ−ＭｕＯＰＧにおけるクローン化マウスｃＤＮＡを、以下の２セットのプライマー対を用いて増幅した。
対１
0004657388.tif 000014
対２
0004657388.tif 000015
第１の対は全ＯＰＧ  ＬＯＲＦを増幅し、Ｆｃ融合ベクターｐＦｃＡ３中の枠内ＮｏｔＩ部位に適合するＮｏｔＩ制限部位を生じる。ｐＦｃＡ３はヒトＩｇＧ１  ＦｃｃＤＮＡのアスパラギン酸残基２１６の５’側にＮｏｔＩ制限部位を作成することによって調製した。この構築体はＯＰＧ蛋白質およびＩｇＧＦｃ領域の間の結合にわたる２つの重要でないアミノ酸をコードするリンカーを導入する。この産物は、Ｆｃ部分に連結されると、全ての４０１ＯＰＧ残基、すぐに続いてのヒトＩｇＧ１  Ｆｃ領域（Ｆ１．Ｆｃ）の全ての２２７アミノ酸残基をコードする。第２のプライマー対は、その推定リガンド結合ドメインを含む、ＯＰＧの最初の１８０アミノ酸残基をコードするＤＮＡ配列を増幅する。前記したごとく、３’プライマーは、トレオニン１８０位におけるＣ−末端切形ＯＰＧ  ＬＯＲＦを直接ＩｇＧ１  Ｆｃドメイン（ＣＴ．ｆｃ）に融合させる人工的なＮｏｔＩ制限部位を生じる。
ＯＰＧ残基４０１およびヒトＦｃ領域のアスパラギン酸残基２２１を連結するアミノ酸配列結合は以下のごとくに修飾できる。ヒトＦｃ領域の残基２１６−２２０をコードするＤＮＡを後記するごとくに欠失させることができるか、あるいはヒトＦｃ領域のＣ２２０に対応するシステイン残基をセリンまたはアラニンいずれかに突然変異させることができる。これらの修飾ベクターによってコードされたＯＰＦ−Ｆｃ融合蛋白質はヒト２９３細胞、またはＣＨＯ細胞にトランスフェクトでき、組換えＯＰＧ−Ｆｃ融合蛋白質を後記するごとく精製できる。
両産物をプラスミドベクターｐＣＥＰ４（Ｉｎｖｉｔｒｏｇｅｎ）に方向付けてクローン化した。ｐＣＥＰ４はエプスタン−バールウイルスの複製起点を含有し、それは２９３−ＥＢＮＡ−１細胞においてエピソーム複製できる。製造業者の推奨法を用い、親ｐＣＥＰ４、およびｐＣＥＰ４−Ｆ１．ＦｃおよびｐＣＥＰ４−ＣＴ．Ｆｃベクターを２９３−ＥＢＮＡ−１細胞にリポフェクトした。次いで、トランスフェクトした細胞を１００μｇ／ｍｌヒグロマイシン中で選択して、ベクターにつき選択し、得られた薬剤−耐性集団培養を密集するまで増殖させた。次いで、細胞を無血清培地中で７２時間培養し、馴化培地を取り出し、ＳＤＳ−ＰＡＧＥによって分析した。ポリアクリルアミドゲルの銀染色は、薬剤耐性２０３培養によって産生された主要馴化培地蛋白質を検出する。ｐＣＥＰ４−Ｆ１．ＦｃおよびｐＣＥＰ４−ＣＴ．Ｆｃ馴化培地において、予測される唯一のバンドが豊富に分泌された（図１３Ｂおよび１３Ｃ参照）。全長Ｆｃ融合蛋白質は高濃度まで蓄積し、これはそれが安定であることを示す。両Ｆｃ蛋白質はウェスタンブロット上で抗−ヒトＩｇＧ  Ｆｃ抗体（Ｐｉｅｒｃｅ）によって検出され、これはそれらが組換えＯＰＧ産物であることを示す。
製造業者の推奨法を用い、全長ＯＰＧ−Ｆｃ融合蛋白質をプロテイン−Ａカラムクロマトグラフィー（Ｐｉｅｒｃｅ）によって精製した。次いで、Ｍａｔｕｓｄａｉｒａら（Ｊ．Ｂｉｏｌ．Ｃｈｅｍ．２６２，１０−３５（１９８７））によって実質的に記載されているごとくに、自動エドマン分解によって、蛋白質をＮ−末端配列分析に付した。以下のアミノ酸配列が１９サイクル後に読まれた。
0004657388.tif 000016
この配列はアミノ酸残基２２で始まる予測されるマウスＯＰＧアミノ酸配列と同一であり、このことは天然哺乳動物リーダー切断部位が元々予測されたアミノ酸残基Ｙ３１−Ｄ３２の間ではなくＱ２１−Ｅ２２の間にあることを示唆する。ｐＣＥＰ４−Ｆ１．ＦｃおよびｐＣＥＰ４−ＣＴ．Ｆｃにて２９３−ＥＢＮＡ細胞で行った発現実験は、ＯＰＧが分泌蛋白質であり、そのリガンドに結合するように全身的に作用し得ることを示している。
ｍｕＯＰＧ［２２−１８０］−ＦｃおよびｍｕＯＰＧ［２２−４０１］−Ｆｃ融合を構築し発現させるのに用いたのと同様の手法をさらなるマウスおよびヒトＯＰＧ−Ｆｃ融合蛋白質で使用した。
ヒトＩｇＧ１のＦｃ領域に融合したアミノ酸１−１８５［ｍｕＯＰＧ  Ｃｔ（１８５）．Ｆｃ］をコードするネズミＯＰＧ  ｃＤＮＡを以下のごとくに構築した。プラスミドｐＲｃＣＭＶ  ＭｕオステオプロテゲリンからのネズミＯＰＧ  ｃＤＮＡ（実施例５に記載）を、後記するごとくポリメラーゼ鎖反応において以下のプライマー対を用いて増幅した。
１３３３−８２：
0004657388.tif 000017
１３３３−８０：
0004657388.tif 000018
このプライマー対は、図９Ａに示すごとく、ＯＰＧリーディングフレームのアミノ酸残基６３−１８５（ｂｐ２７８−６４５に対応）をコードするネズミＯＰＧ  ｃＤＮＡ領域を増幅する。３’プライマーはＦｃ融合ベクターｐＦｃＡ３の枠内ＮｏｔＩ部位に適合するＮｏｔＩ制限部位を含有する。また、産物はｂｐ４３６に位置する唯一のＥｃｏＲＩ制限部位に及ぶ。増幅されたＰＣＲ産物を精製し、ＮｏｔＩおよびＥｃｏＲＩで切断し、得られたＥｃｏＲＩ−ＮｏｔＩ制限断片を精製した。ネズミ１−４０１ＯＰＧ−Ｆｃ融合インサートを有するベクターｐＣＥＰ４をＥｃｏＲＩおよびＮｏｔＩで切断し、精製し、前記で生じたＰＣＲ産物に連結した。得られたｐＣＥＰ４−ベースの発現ベクターはＯＰＧＨ残基１−１８５、直ぐに続いてのヒトＩｇＧ１  Ｆｃ領域の全ての２２７アミノ酸残基をコードする。ネズミＯＰＧ  １−１８５．Ｆｃ融合ベクターを２９３細胞にトランスフェクトし、薬剤選択し、馴化培地を前記したごとくに生産した。得られた分泌ネズミＯＰＧ  １−１８５．Ｆｃ融合産物を、製造業者の推奨法を用い、プロテイン−Ａカラムクロマトグラフィー（Ｐｉｅｒｃｅ）によって精製した。
ヒトＩｇＧ１のＦｃ領域に融合したアミノ酸残基１−１９４（ｍｕＯＰＧ  Ｃｔ（１９４）．Ｆｃ）をコードするネズミＯＰＧ  ＤＮＡを以下のごとくに構築した。プラスミドｐＲｃＣＭＶ  Ｍｕ−オステオプロテゲリンからのネズミＯＰＧ  ｃＤＮＡを、以下のプライマー対を用いて増幅した。
１３３８−８２：
0004657388.tif 000019
１３３３−８１：
0004657388.tif 000020
このプライマー対はＯＰＧリーディングフレームのアミノ酸残基７０−１９４（ｂｐ２９８−６７２に対応）をコードするネズミＯＰＧ  ｃＤＮＡを増幅する。３’プライマーはＦｃ融合ベクターｐＦｃＡ３の枠内ＮｏｔＩ部位に適合するＮｏｔＩ制限部位を含有する。また、生成物はｂｐ４３６に位置する唯一のＥｃｏＲＩ制限部位に及ぶ。増幅されたＰＣＲ産物を前記したごとくにネズミＯＰＧ［１−４０１］Ｆｃ融合ベクターにクローン化した。得られたｐＣＥＰ４−ベースの発現ベクターはＯＰＧ残基１−１９４、直ぐに続いてのヒトＩｇＧ１  Ｆｃ領域の全ての２２７アミノ酸残基をコードする。ネズミＯＰＧ１−１９４．Ｆｃ融合ベクターを２９３にトランスフェクトし、薬剤選択し、馴化培地を生産した。得られた分泌融合産物を、製造業者の推奨法を用い、プロテイン−Ａカラムクロマトグラフィー（Ｐｉｅｒｃｅ）によって精製した。
ヒトＩｇＧ１のＦｃ領域に融合したアミノ酸１−４０１をコードするヒトＯＰＧ  ＤＮＡは以下のごとくに構築した。プラスミドｐＲｃＣＭＶ−ｈｕオステオプロテゲリンにおけるヒトＯＰＧ  ＤＮＡ（実施例５に記載）を以下のオリゴヌクレオチドプライマーを用いて増幅した。
１２５４−９０：
0004657388.tif 000021
１２５４−９５：
0004657388.tif 000022
得られたＰＣＲ産物は、全長ヒトＯＰＧ蛋白質をコードし、Ｆｃ融合ベクターＦｃＡ３の枠内ＮｏｔＩ部位に適合するＮｏｔＩ制限部位を生じる。該ＰＣＲ産物を前記したごとくにプラスミドベクターｐＣＥＰ４に方向付けてクローン化する。得られた発現ベクターはヒトＯＰＧ残基１−４０１、直ぐに続けてのヒトＩｇＧ１  Ｆｃ領域の２２７アミノ酸残基をコードする。馴化培地をトランスフェクトし薬剤選択した細胞から生産し、製造業者に推奨法を用い、プロテイン−Ａカラムクロマトグラフィー（Ｐｉｅｒｃｅ）によってｈｕＯＰＧ  Ｆ１．Ｆｃ融合産物を精製した。
ヒトＩｇＧ１のＦｃ領域に融合したアミノ酸残基１−２０１をコードするヒトＯＰＧ  ＤＮＡ［ｈｕＯＰＧ  Ｃｔ（２０１）．Ｆｃ］は以下のごとくに構築した。プラスミドｐＲｒＣＭＶ−ｈｕオステオプロテゲリンからのクローン化ヒトＯＰＧ  ｃＤＮＡを、以下のオリゴヌクレオチドプライマー対を用いて増幅した。
１２５４−９０：
0004657388.tif 000023
１２５４−９２：
0004657388.tif 000024
このプライマー対はＯＰＧリーディングフレームのアミノ酸残基１−２０１をコードするヒトＯＰＧ  ｃＤＮＡ領域を増幅し、Ｆｃ融合ベクターＦｃＡ３の枠内ＮｏｔＩ部位に適合する３’末端におけるＮｏｔＩ制限部位を生じる。この産物は、Ｆｃ部分に連結すると、ＯＰＧ残基１−２０１、直ぐに続いてのヒトＩｇＧ１  Ｆｃ領域の全ての２２１アミノ酸残基をコードする。ＰＣＲ産物を前記したごとくにプラスミドベクターｐＣＥＰ４に方向付けてクローン化した。トランスフェクトし、薬剤選択した細胞から馴化培地を生産し、製造業者の推奨法を用い、ｈｕ  ＯＰＧ  Ｃｔ（２０１）．Ｆｃ融合産物をプロテイン−Ａカラムクロマトグラフィー（Ｐｉｅｒｃｅ）によって精製した。
以下の手法を用いて、未融合マウスおよびヒトＯＰＧを構築し発現させた。
ｐＲｃＣＭＶ  Ｍｕ−オステオプロテゲリンからのネズミＯＰＧ  ｃＤＮＡのＰＣＲ増幅によって、全長ネズミＯＰＧ（残基１−４０１）の哺乳動物発現用のプラスミドを調製し、発現ベクターｐＤＳＲα（ＤｅＣｌｅｒｋら， Ｊ． Ｂｉｏｌ． Ｃｈｅｍ．２６６，３８９３（１９９１））にサブクローンした。以下のオリゴヌクレオチドプライマーを用いた。
１２９５−２６：
0004657388.tif 000025
１２９５−２７：
0004657388.tif 000026
ネズミＯＰＧ全長リーディングフレームを前記したごとくにＰＣＲによって増幅した。ＰＣＲ産物を精製し、製造業者の推奨する条件下で、制限エンドヌクレアーゼＨｉｎｄＩＩＩおよびＸｂａＩ（Ｂｏｅｈｒｉｎｇｅｒ  Ｍａｎｎｈｅｉｍ，Ｉｎｄｉａｎａｐｏｌｉｓ，ＩＮ）で消化し、次いで、ＨｉｎｄＩＩＩおよびＸｂａＩ消化のｐＤＳＲαに連結した。組換えクローンを制限エンドヌクレアーゼ消化によって検出し、次いで、配列決定してＰＣＲ増幅工程の間に突然変異が生じなかったことを確認した。
得られたプラスミドｐＤＳＲα−ｍｕＯＰＧをカルシウム媒介トランスフェクション（Ｗｉｇｌｅｒら，Ｃｅｌｌ  １１，２３３（１９７７））によってチャイニーズハムスター卵巣（ＣＨＯ）細胞に導入した。個々のコロニーを、プラスミドベクター中のジヒドロ葉酸レダクターゼ（ＤＨＦＲ）遺伝子の発現に基づいて選択し、いくつかのクローンを単離した。ネズミＯＰＧ組換え蛋白質の発現をＣＨＯ細胞馴化培地のウェスタンブロット分析によってモニターした。高発現細胞を選択し、ＯＰＧ発現を記載されているごとくに（ＤｅＣｌｅａｒｋら，前掲）メトトレキセートでの処理によってさらに増幅した。ＣＨＯ細胞系からの馴化培地を、組換え分泌ネズミＯＰＧ蛋白質のさらなる精製のために生産した。
全長ヒトＯＰＧ（アミノ酸１−４０１）の哺乳動物発現用のプラスミドは、ｐＲｃＣＭＶ−ｈｕオステオプロテゲリン中のｃＤＮＡを直接ベクターｐＤＳＲα（ＤｅＣｌｅａｒｋら，前掲）にサブクローンすることによって得た。ｐＲｃＣＭＶ−ＯＰＧプラスミドをＮｏｔＩで完全に消化し、クレノウで平滑末端とし、次いで、ＸｂａＩで完全に消化した。ベクターＤＮＡをＨｉｎｄＩＩＩで消化し、クレノウで平滑末端とし、次いで、ＸｂａＩで消化し、次いで、ＯＰＧインサートに連結した。次いで、組換えプラスミドを配列決定して、ヒトＯＰＧ  ｃＤＮＡの適切な向きを確認した。
得られたプラスミドｐＤＳＲα−ｈｕＯＰＧを前記したごとくにチャイニーズハムスター卵巣（ＣＨＯ）細胞に導入した。プラスミドベクター中のジヒドロ葉酸レダクターゼ（ＤＨＦＲ）の発現基づいて個々のコロニーを選択し、いくつかのクローンを単離した。ＣＨＯ細胞馴化培地のウェスタンブロット分析によって、ヒトＯＰＧ組換え蛋白質の発現をモニターした。高発現クローンを選択し、メトトレキセートでの処理によってＯＰＧ発現をさらに増幅した。蛋白質精製のために、ヒトＯＰＧを発現するＣＨＯ細胞系から馴化培地を生産した。
残基１−１８５をコードするネズミＯＰＧ用の発現ベクターは以下のごとくに構築した。ｐＲｃＣＭＶ−Ｍｕ  ＯＰＧからのネズミＯＰＧｃＤＮＡを、以下のオリゴヌクレオチドプライマーを用いて増幅した。
１３３３−８２：
0004657388.tif 000027
１３５６−１２：
0004657388.tif 000028
このプライマー対は、ＯＰＧリーディングフレーム（ｂｐ２７８−６４５）のアミノ酸６３−１８５をコードするネズミＯＰＧ  ｃＤＮＡ領域を増幅し、システインコドン（Ｃ１８５）の直後の人工的停止コドンを含有し、続いて人工的ＳａｌＩ制限エンドヌクレアーゼ部位がある。予測される産物は予め存在するベクターにサブクローンするのに有用な内部ＥｃｏＲＩ制限部位を含有する。ＰＣＲ増幅後、得られた精製産物をＥｃｏＲＩおよびＳａｌＩ制限エンドヌクレアーゼで切断し、大きな断片をゲル精製した。次いで、精製された産物を、前記したｐＢｌｕｅｓｃｒｉｐｔ−ｍｕＯＰＧ  Ｆ１．ＦｃのＥｃｏＲＩおよびＳａｌＩ消化物の大きな制限断片にサブクローンした。得られたプラスミドをＨｉｎｄＩＩＩおよびＸｈｏＩで消化し、小さい断片をゲル精製した。残基１−１８５をコードするオープンリーディングフレームを含有するこの断片を次いで発現ベクターｐＣＥＰ４のＨｉｎｄＩＩＩおよびＸｈｏＩ消化物にサブクローンした。得られたベクターｐｍｕＯＰＧ（１−１８５）は１８５位に位置するシステイン残基で終わる切形ＯＰＧポリペプチドをコードする。トランスフェクトし、薬剤選択した細胞からの馴化培地を前記したごとくに生産した。
１３３３−８２：
0004657388.tif 000029
１３５６−１３：
0004657388.tif 000030
このプライマー対はＯＰＧリーディングフレーム（ｂｐ  ２９８−６７２）をコードするネズミＯＰＧ  ｃＤＮＡ領域を増幅し、リシンコドン（Ｋ１９４）の直後の人工的停止コドンを含有し、これに続いて人工的にＳａｌＩ制限エンドヌクレアーゼ部位がある。予測される産物は予め存在するベクターへサブクローンするのに有用な内部ＥｃｏＲＩ制限部位を含有する。ＰＣＲ増幅後、得られた精製産物をＥｃｏＲＩおよびＳａｌＩ制限エンドヌクレアーゼで切断し、大きな断片をゲル精製した。次いで、精製産物を前記したｐＢｌｕｅｓｃｒｉｐｔ−ｍｕＯＰＧ．Ｆ１．ＦｃのＥｃｏＲＩおよびＳａｌＩ消化物の大きな制限断片にサブクローンした。得られたプラスミドをＨｉｄＩＩＩおよびＸｈｏＩで消化し、小さな断片をゲル精製した。残基１−１８５をコードするオープンリーディングフレームを含有するこの断片を次いで発現ベクターｐＣＥＰ４のＨｉｄＩＩＩおよびＸｈｏＩ消化物にサブクローンした。得られたベクターｐｍｕＯＰＧ［１−１８５］は１９４位におけるリシンで終わる切形ＯＰＧポリペプチドをコードする。トランスフェクトし、薬剤選択した細胞からの馴化培地を前記したごとくに生産した。
残基２２ないし３２の間のＯＰＧのアミノ酸置換または欠失を導入するいくつかの突然変異をｈｕＯＰＨ［２２−４０１］−Ｆｃ遺伝子の５’末端に生じさせた。全ての突然変異は、製造業者の推奨する条件を用い、「ＱｕｉｃｋＣｈａｎｇｅTM部位特異的突然変異誘発キット」（Ｓｔｒａｔａｇｅｎｅ，Ｓａｎ  Ｄｉｅｇｏ，ＣＡ）で生じさせた。略言すれば、ｈｕＯＰＧ［２２−４０１］−ＦｃプラスミドＤＮＡ鋳型および突然変異原性プライマーを含有する反応ミックスををデオキシヌクレオチドの存在下でＰｆｕポリメラーゼで処理し、次いで、前記したごとくにサーモサイクラーで増幅した。次いで、反応のアリコットを、熱ショックによってコンピテント・イー・コリＸＬ１−Ｂｌｕｅにトランスフェクトし、次いで平板培養した。トランスフェクタントからのプラスミドＤＮＡを配列決定して突然変異を確認した。
以下のプライマー対を用いて、ヒトＯＰＧ遺伝子の残基２２−２６を欠失し、ｈｕＯＰＧ［２７−４０１］−Ｆｃ融合蛋白質が産生された。
１４３６−１１：
0004657388.tif 000031
１４３６−１２：
0004657388.tif 000032
以下のプライマー対を用いてヒトＯＰＧ遺伝子の残基２２−２８を欠失し、その結果、ｈｕＯＰＧ［２９−４０１］−Ｆｃ融合蛋白質が産生された。
１４３６−１７：
0004657388.tif 000033
１４３６−１８：
0004657388.tif 000034
以下のプライマー対を用いて、ヒトＯＰＧ遺伝子の残基２２−３１を欠失させ、その結果、ｈｕＯＰＧ［３２−４０１］−Ｆｃ融合蛋白質が産生された。
１４３６−２７：
0004657388.tif 000035
１４３６−２８：
0004657388.tif 000036
以下のプライマー対を用いて、ヒトＯＰＧ遺伝子のコドンを変化させてチロシン残基２８をフェニルアラニンに変えた。その結果、ｈｕＯＰＧ［２２−４０１］−Ｆｃ  Ｙ２８Ｆ融合蛋白質が産生された。
１４３６−２９：
0004657388.tif 000037
１４３６−３０：
0004657388.tif 000038
以下のプライマー対を用いて、ヒトＯＰＧ遺伝子のコドンを変えて、プロリン残基２６をアラニンコドンに変化させた。その結果、ｈｕＯＰＧ［２２−４０１］−Ｆｃ  Ｐ２６Ａ融合蛋白質が産生された。
１４２９−８３：
0004657388.tif 000039
１４２９−８４：
0004657388.tif 000040
次いで、適当な突然変異を含有する各得られたｍｕＯＰＧ［２２−４０１］−Ｆｃプラスミドをヒト２９３細胞にトランスフェクトし、前記したごとく突然変異体ＯＰＧ−Ｆｃ融合蛋白質を馴化培地から精製した。各蛋白質の生物学的活性を実施例１１に記載したイン・ビトロ破骨細胞形成アッセイで評価した。
実施例８
イー・コリにおけるＯＰＧの発現
Ａ．細菌発現ベクター
ｐＡＭＧ２１
発現プラスミドｐＡＭＧ２１は、米国特許第４，７１０，４７３号に記載されたＡｍｇｅｎ発現ベクターから誘導されるＡｍｇｅｎ発現ベクターｐＣＦＭ１６５６（ＡＴＣＣ番号６９５７６）から誘導できる。ｐＣＦＭ１６５６プラスミドは、記述されているｐＣＦＭ８３６プラスミド（米国特許第４，７１０，４７３号）から次のように誘導できる：（ａ）Ｔ４ポリメラーゼ酵素で末端を満たし、続いて平滑末端連結することによって２つの内因性ＮｄｅＩ制限部位を破壊し、次いで、（ｂ）合成ＰLプロモーターを含有する唯一のＡａｔＩＩおよびＣｌａＩ制限部位の間のＤＮＡ配列を、ＰＬプロモーターを含有するｐＣＦＭ６３６（米国特許第４，７１０，４７３号）から得られた同様の断片で置き換え、
0004657388.tif 000041
次いで、（ｃ）唯一のＣｌａＩおよびＫｐｎＩ制限部位の間の小さな配列を以下のオリゴヌクレオチド：
0004657388.tif 000042
で置き換える。
次いで、発現プラスミドｐＡＭＧ２１は、ＰＣＲ重複オリゴ突然変異誘発およびＤＮＡ配列置換によって、一連の部位特異的塩基変化を作成することによりｐＣＦＭ１６５６から誘導できる。プラスミド複製プロモーターＰｃｏｐＢの直ぐ５’側のＢｇｌＩＩ部位（プラスミドｂｐ＃１８０）で出発し、プラスミド複製遺伝子に向けて進行し、塩基対変化は以下の通りである。
0004657388.tif 000043
唯一のＡａｔＩＩ（ｐＣＦＭ１６５６中位置＃４３６４）およびＳａｃＩＩ（ｐＣＦＭ１６５６中位置＃４５８５）制限部位の間のＤＮＡ配列を以下のＤＮＡ配列で置き換える。
0004657388.tif 000044
0004657388.tif 000045
この置換ＤＮＡ配列の粘着末端の連結の間に、ＡｔａＩＩおよびＳａｃＩＩ部位の外部は破壊される。置換ＤＮＡには唯一のＡａｔＩＩおよびＳａｃＩＩ部位がある。
ｐＡＭＧ２２−Ｈｉｓ
発現プラスミドｐＡＭＧ２２−Ｈｉｓは、ｐＡＭＦ２２の唯一のＮｄｅＩ（＃４７９５）およびＥｃｏＲＩ（＃４８１８）制限部位の間の小さなＤＮＡ配列を以下のオリゴヌクレオチドデュプレックスで置き換えることによって、Ａｍｇｅｎ発現ベクターｐＡＭＧ２２から誘導できる。
0004657388.tif 000046
ｐＡＭＧ２２
発現プラスミドｐＡＭＧ２２は、１９８７年１２月１日に許可された米国特許第４，７１０，４７３号に記載されたＡｍｇｅｎ発現ベクター系から誘導されるＡｍｇｅｎ発現ベクターｐＣＦＭ１６５６（ＡＴＣＣ＃６９５７６）から誘導できる。ｐＣＦＭ１６５６プラスミドは、記述されているｐＣＦＭ８３６（特許番号第４，７１０，４７３号）から次のように誘導できる：（ａ）Ｔ４ポリメラーゼ酵素で末端を満たし、続いて平滑末端連結することによって２つの内因性ＮｄｅＩ制限部位を破壊し、次いで、（ｂ）合成ＰLプロモーターを含有する唯一のＡａｔＩＩおよびＣｌａＩ制限部位の間のＤＮＡ配列を、ＰＬプロモーターを含有するｐＣＦＭ６３６（米国特許第４，７１０，４７３号）から得られた同様の断片で置き換え、
0004657388.tif 000047
次いで、（ｃ）唯一のＣｌａＩおよびＫｐｎＩ制限部位の間の小さな配列を以下のオリゴヌクレオチド：
0004657388.tif 000048
で置き換える。
次いで、発現プラスミドｐＡＭＧ２２は、ＰＣＲ重複オリゴ突然変異誘発およびＤＮＡ配列置換によって一連の部位特異的塩基変化を作成することによりｐＣＦＭ１６５６から誘導できる。プラスミド複製プロモーターＰｃｏｐＢの直ぐ５’側のＢｇｌＩＩ部位（プラスミドｂｐ＃１８０）で出発し、プラスミド複製遺伝子に向けて進行し、塩基対変化は以下の通りである。
0004657388.tif 000049
唯一のＡａｔＩＩ（ｐＣＦＭ１６５６における位置＃４３６４）およびＳａｃＩＩ（ｐＣＦＭ１６５６における位置＃４５８５）の間のＤＮＡ配列を以下のＤＮＡ配列で置き換える。
0004657388.tif 000050
この置換ＤＮＡ配列の粘着末端の連結の間に、ＡａｔＩＩおよびＳａｃＩＩ部位の外部は破壊される。置換ＤＮＡには唯一のＡａｔＩＩおよびＳａｃＩＩ部位がある。
Ｂ．ヒトＯＰＧ  Ｍｅｔ［３２−４０１］
この実施例では、使用した発現ベクターはｐＡＭＧ２１、すなわちｌｕｘ  ＰＲプロモーター（ｌｕｘ発現系の記載については米国特許第５，１６９，３１８号参照）から下流の遺伝子の挿入のための適当な制限部位を含有するｐＣＦＭ１６５６（ＡＴＣＣ受託番号６９５７６）の誘導体であった。使用した宿主細胞はＧＭ１２０（ＡＴＣＣ受託番号５５７６４）であった。この宿主はｌａｃＩＱプロモーターおよび原核生物イー・コリＫ１２宿主の宿主染色体中の第２の部位に挿入されたｌａｃＩ遺伝子を有する。他の通常に使用されるイー・コリ発現ベクターおよび宿主細胞も発現に適する。
Ｎ−末端メチオニンおよびヒトＯＰＧポリペプチドのアミノ酸３２−４０１につきコードするＤＮＡ配列を、以下のごとく、プラスミド発現ベクターｐＡＭＧ２１中のｌｕｘＰＲプロモーターの制御下に置いた。これを達成するために、ヒトＯＰＧ  ｃＤＮＡを含有するプラスミドｐＲｃＣＭＶ−Ｈｕ  ＯＰＧ  ＤＮＡを鋳型として用い、各サイクルが２０秒間の９４℃、続いて３０秒間の３７℃、続いて３０秒間の７２℃である３０サイクルの熱サイクルを行い、オリゴヌクレオチド＃１２５７−２０および＃１２５７−１９をプライマーとして用いるＰＣＲを行った。得られたＰＣＲ試料をアガロースゲル上で分離し、ＰＣＲ産物を切り出し、精製し、ＫｐｎＩおよびＢａｍＨＩ制限エンドヌクレアーゼで制限消化し、精製した。Ｔ４ポリヌクレオチドキナーゼおよびＡＴＰを用い、合成オリゴヌクレオチド＃１２５７−２１および＃１２５７−２２を個々にリン酸化し、次いで、一緒に混合し、９４℃で加熱し、ゆっくりと室温まで冷却して、ＮｄｅＩおよびＫｐｎＩ粘着末端を含有するオリゴヌクレオチドリンカーデュプレックスを形成させた。ＮｄｅＩおよびＫｐｎＩ粘着末端（図１４Ａ参照）ならびにオリゴプライマー＃１２５７−２０および＃１２５７−１９（前記参照）を用いて生じたＫｐｎＩおよびＢａｍＨＩ消化の精製ＰＣＲ産物を含有するオリゴヌクレオチド＃１２５７−２１および＃１２５７−２２の間に形成されたリン酸化リンカーデュプレックスを、標準的に組換えＤＮＡ法（図１４Ａおよび後記配列参照）を用い、プラスミドベクターの２つの部位、すなわちＮｄｅＩ部位およびＢａｍＨＩ部位の間に方向付けて挿入した。合成リンカーはコー・コリのコドンを利用し、Ｎ−末端メチオニンを供した。
２つのクローンを選択し、プラスミドＤＮＡを単離し、ヒトＯＰＧインサートを引き続いて配列決定して確認した。枠内でメチオニンが直前に先行するヒトＯＰＧポリペプチドのアミノ酸３２−４０１を含有する得られたｐＡＭＧ２１プラスミドをｐＡＭＧ２１−ｈｕＯＰＧ  ｍｅｔ［３２−４０１］またはｐＡＭＧ２１−ｈｕＯＰＧ  ｍｅｔ［３２−４０１］という。
0004657388.tif 000051
誘導に先立って、イー・コリＧＭ１２０中のｐＡＭＧ２１−ｈｕＯＰＧ  ｍｅｔ［３２−４０１］の２０μｇ／ｍｌカナマイシンを含有する２ＸＹＴ培地中培養物を３０℃でインキュベートした。ｌｕｘＰＲプロモーターからのｈｕＯＰＧ  ｍｅｔ［３２−４０１］遺伝子産物の誘導は、合成自己誘導剤Ｎ−（３−オキソヘキサノイル）−ＤＬ−ホモセリンラクトンを３０ｎｇ／ｍｌの最終濃度まで培養培地に添加することによって達成され、培養物をさらに６時間、３０℃または３７℃いずれかでインキュベートした。６時間後、この細菌培養物を封入体の存在について顕微鏡によって調べ、次いで、遠心によってペレット化した。屈折性封入体が誘導された培養中に観察され、これは、組換えｈｕＯＰＧ  ｍｅｔ［３２−４０１］遺伝子産物がイー・コリ中で不溶性にて産生されたことを示す。細菌ペレットを１０ｍＭトリス−ＨＣｌ／ｐＨ８、１ｍＭ  ＥＤＴＡに再懸濁し、２×Ｌａｅｍｌｌｉ試料緩衝液を１×最終まで、およびβ−メルカプトエタノールを５％最終濃度まで添加することによって直接溶解させ、ＳＤＳ−ＰＡＧＥによって分析した。３０℃で未誘導の培養の全細胞溶解物であるレーン２と比較し、３０℃および３７℃で誘導された培養の全細胞溶解物を含有するＳＤＳ−ＰＡＧＥで実質的により大きい強度のクーマシー染色されたほぼ４２ｋＤａのバンドが観察された（図１４Ｂ）。予期の遺伝子産物は長さが３７０アミノ酸で、約４２．２ｋＤａの予期の分子量を有するであろう。３７℃における６時間の誘導に続き、さらなる培養をペレット化し、封入体の単離のために加工するか（後記参照）、あるいはマクロ流動化によって加工した。ミクロ流動化のために加工したペレットを２５ｍＭトリス−ＨＣｌ／ｐＨ８、０．５Ｍ  ＮａＣｌ緩衝液に再懸濁し、Ｍｉｃｒｏｆｌｕｉｄｉｚｅｒ  Ｍｏｄｅｌ  １１０８（Ｍｉｃｒｏｆｌｕｉｄｉｃｓ  Ｃｏｒｐ．）を２０回通し、収集した。アリコットを収集試料（ミクロ流動化した全溶解物）から取り出し、残りを２０，０００×ｇで２０分間ペレット化した。遠心後に上清を取り出し（ミクロ流動化可溶性画分）、ペレットを２５ｍＭトリス−ＨＣｌ／ｐＨ８、０．５Ｍ  ＮａＣｌ、６Ｍ尿素溶液に再懸濁した（ミクロ流動化不溶性画分）。全可溶性または不溶性画分いずれかのアリコットに等容量の２×Ｌａｅｍｌｌｉ試料緩衝液とβ−メルカプトエタノールを５％最終濃度まで添加した。次いで、試料をＳＤＳ−ＰＡＧＥによって分析した。有意量の組換えｈｕＯＰＧ  ｎｅｔ［３２−４０１］遺伝子産物が不溶性画分で見い出されたようであった。組換え蛋白質を精製するために、以下のごとくに封入体を精製した。４，９００×ｇ、４℃にて、ＪＳ−４．２ローターを装備したＢｅｃｋｍａｎ  Ｊ−６Ｂ遠心機中、密度勾配遠心によって１５分間で細菌細胞を培地から分離した。細菌ペレットを水５ｍｌに再懸濁し、次いで、水で１０ｍｌの最終容量に希釈した。この懸濁液を、氷中で冷却したステンレス鋼カップに移し、標準チップを装備したＢｒａｓｏｎ  Ｓｏｎｉｆｉｅｒを用い、音波破壊に付した（出力セッティング＝５、衝撃周波＝９５％、８０噴出）。音波処理した細胞懸濁液を、１９５，０００×ｇ、２３℃にて、ＴＬＡ  １００．３ローターを���備したＢｅｃｋｍａｎ  Ｏｐｔｉｍａ  ＴＬＸ超遠心機で５ないし１０分間遠心した。上清を捨て、ペレットをスクワートボトルからの水流ですすいだ。ペレットをミクロスパチュラで掻くことによって集め、ガラス製ホモゲナイザー（１５ｍｌ容量）に移した。Ｐｅｒｃｏｌｌ溶液（７５％液体Ｐｅｒｃｏｌｌ、０．１５Ｍ塩化ナトリウム）５ｍｌをホモゲナイザーに添加し、内容物が均一に懸濁するまでホモゲナイズした。Ｐｅｒｃｏｌｌ溶液の添加によって容量を１９．５ｍｌまで増加させ、混合し、３つのＢｅｃｋｍａｎ  Ｑｕｉｃｋ−Ｓｅａｌチューブ（１３×３２ｍｍ）に分配した。製造業者の指示に従ってチューブをシールした。２３℃、２０，０００ｒｐｍ（２１，６００×ｇ）にて、Ｂｅｃｋｍａｎ  ＴＬＡ１００．３ローター中でチューブを３０分間回転させた。チューブを適当なバンドパターンにつき調べた。屈折性封入体を回収するために、密度画分を回収し、プールし、次いで水で希釈した。遠心によって封入体をベレット化し、ＳＤＳ−ＰＡＧＥによって蛋白質濃度を見積もった。
後記するごとく単離した封入体のアリコットを５％β−メルカプトエタノールを含有する１×Ｌａｅｍｌｌｉ試料緩衝液に溶解させ、ＳＤＳ−ＰＡＧＥで分離し、単離した封入体は高度に精製された組換えｈｕＯＰＧ［３２−４０１］遺伝子産物を供する。封入体をＳＤＤ−ポリアクリルアミドゲルで分離した後に観察された主要〜４２ｋＤａバンドを別のゲルから切り出し、実質的には記載されているごとくに（Ｍａｔｓｕｄａｉｒａら，Ｊ．Ｂｉｏｌ．Ｃｈｅｍ．  ２６２，１０−３５（１９８７））Ｎ−末端アミノ酸配列を決定した。以下の配列を１９サイクル後に決定した。
ＮＨ2−ＭＤＥＥＴＳＨＱＬＬＣＤＫＣＰＰＧＴＹ−ＣＯＯＨ（配列番号：６２）
この配列は、細菌発現ベクターによって供されたメチオニン残基によって生じた、ｐＡＭＧ２１  Ｈｕ−ＯＰＧ  ｍｅｔ［３２−４０１］発現ベクターによってコードされた最初の１９アミノ酸と同一であることが判明した。
Ｃ．ヒトＯＰＧ  ｍｅｔ［２２−４０１］
Ｎ−末端メチオニンおよびヒトＯＰＧのアミノ酸２２ないし４０１をコードするＤＮＡ配列を、以下のごとく、原核生物プラスミド発現ベクターｐＡＭＧ２１中のｌｕｘＰＲプロモーターの制御下に置いた。ｐＡＭＧ２１−ｈｕＯＰＧ  ｍｅｔ［３２−４０１］（セクションＢ参照）の単離されたプラスミドＤＮＡをＫｐｎＩおよびＢａｍＨＩ制限エンドヌクレアーゼで切断し、得られた断片をアカゲロースゲルで分離した。Ｂ断片（〜１０６４ｍｐ断片）を標準的な方法を用いてゲルから単離した。セクションＢに記載された方法を用い、合成オリゴヌクレオチド（オリゴ）＃１２６７−０６および＃１２６７−０７を個々にリン酸化し、ＮｄｅＩおよびＫｐｎＩ粘着末端を含有する、オリゴリンカーデュプレックスを形成させた。合成リンカーデュプレックスはイー・コリのコドンを利用し、Ｎ−末端メチオニンを供した。ＮｄｅＩおよびＫｐｎＩ粘着末端を含有するリン酸化オリゴリンカーおよびＫｐｎＩおよびＢａｍＨＩ制限エンドヌクレアーゼで消化したｐＡＭＧ２１−ｈｕＯＰ  ｍｅｔ［３２−４０１］の単離された〜１０６４ｂｐ断片を、標準的な組換えＤＮＡ法を用い、ｐＡＭＧ２１のＮｄｅＩおよびＢａｍＨＩ部位の間に方向付けて挿入した。製造業者のプロトコルを利用する電気泳動によって、連結混合物をイー・コリ宿主３９３に形質転換した。クローンを選択し、プラスミドＤＮＡを単離し、ＤＮＡ配列決定を行って、ｈｕＯＰＧ−ｍｅｔ［２２−４０１］遺伝子のＤＮＡ配列を確認した。
0004657388.tif 000052
イー・コリ宿主３９３中ｐＡＭＧ２１−ｈｕＯＰＨ−ｍｅｔ［２２−４０１］の培養物を２０μｇ／ｍｌカナマイシンを含有する２ＸＹＴ培地中に置き、誘導に先立って、３０℃でインキュベートした。ベクターｐＡＭＧ２１のｌｕｘＰＲプロモーターからの組換え遺伝子産物発現の誘導は、合成自己誘導剤Ｎ−（３−オキサヘキサノイル）−ＤＬ−ホモセリンラクトンを３０ｎｇ／ｍｌの最終濃度まで培養培地に添加し、さらに６時間、３０℃または３７℃でインキュベーションすることによって達成した。６時間後、細菌培養を遠心によってペレット化した（＝３０℃  Ｉ＋６または３７℃  Ｉ＋６）。また、この細菌培養物をインキュベーションの直前にペレット化し、あるいは別法として、自己誘導剤を別の培地に添加せず、これを３０℃でさらに６時間インキュベートして未誘導（ＵＩ）培養（３０℃ＵＩ）を得た。３０℃  ＰｒｅＩ、３０℃ＵＩ、３０℃Ｉ＋６、または３７℃Ｉ＋６いずれかの細菌ペレットを再懸濁し、溶解させ、セクションＢに記載したごとくにＳＤＳ−ポリアクリルアミド電気泳動によって分析した。ポリアクリルアミドゲルをクーマシーブルーで染色しおよび／またはニトロセルロースにウェスタン転移させ、実施例１０に記載したごとくにウサギ抗−ｍｕ  ＯＰＧ−Ｆｃポリクローナル抗体で免疫プローブした。誘導後の遺伝子産物のレベルを未誘導（３０℃ＵＩ）またはプレ誘導（３０℃  ＰｒｅＩ）試料いずれかと比較した。
Ｄ．ネズミＯＰＧ  ｍｅｔ［２２−４０１］
Ｎ−末端メチオニンおよびネズミ（ｍｕ）ＯＰＧ（ＯＰＧ）ポリペプチドのアミノ酸２２ないし４０１をコードするＤＮＡ配列を、以下のごとく、原核生物プラスミド発現ベクターｐＡＭＧ２１中のｌｕｘＰＲプロモーターの制御下に置いた。オリゴヌクレオチド＃１２５７−１６および＃１２５７−１５をプライマーとして、プラスミドｐＲｃＣＭＶ−Ｍｕ  ＯＰＧ  ＤＮＡを鋳型として用い、セクションＢに記載した熱サイクリング条件を用い、ＰＣＲを行った。ＰＣＲ産物を精製し、セクションＢに記載したごとくにＫｐｎＩおよびＢａｍＨＩ制限エンドヌクレアーゼで切断した。合成オリゴ＃１２６０−６１および＃１２６０−８２を個々にリン酸化し、セクションＢに記載した方法を用い、ＮｄｅＩおよびＫｐｎＩ粘着末端でオリゴリンカーデュプレックスを形成させた。合成リンカーデュプレックスはイー・コリのコドンを利用し、Ｎ−末端メチオニンを供した。ＮｄｅＩおよびＫｐｎＩ粘着末端ならびにオリゴプライマー＃１２５７−１６および＃１２５７−１５を用いて創製されたＫｐｎＩおよびＢａｍＨＩ消化され精製されたＰＣＲ産物を含有するオリゴ＃１２６０−６１および＃１２６０−８２の間に形成されたリン酸化リンカーデュプレックスを標準的な方法を用いてｐＭＡＧ２１のＮｄｅＩおよびＢａｍＨＩ部位の間に方向付けて挿入した。連結混合物を製造業者のプロトコルを利用するエレクトロポレーションによってイー・コリ宿主３９３に形質転換した。クローンを選択し、プラスミドＤＮＡを単離し、ＤＮＡ配列決定を行ってＭｕＯＰＧ  ｍｅｔ［２２−４０１］遺伝子のＤＮＡ配列を確認した。
誘導後におけるプラスミドｐＡＭＧ２１−ＭｕＯＰＧ  ｍｅｔ［２２−４０１］を保有する３９３細胞の培養からの組換えＭｕＯＰＧ  ｍｅｔ［２２−４０１］ポリペプチドの発現をセクションＣに記載した方法を用いて測定した。
0004657388.tif 000053
Ｅ．ネズミＯＰＧ  ｍｅｔ［３２−４０１］
Ｎ−メチオニンおよびネズミＯＰＧのアミノ酸３２ないし４０１をコードするＤＮＡ配列を、以下のごとく、原核生物プラスミド発現ベクターｐＡＭＧ２１中のｌｕｘＰＲプロモーターの制御下に置いた。これを達成するために、オリゴヌクレオチド＃１２６７−０８および＃１２６７−０９を個々にリン酸化し、セクションＢに記載した方法を用いてオリゴリンカーデュプレックスを形成させた。合成リンカーデュプレックスはイー・コリのコドンを利用し、Ｎ−末端メチオニンを供した。ＮｄｅＩおよびＫｐｎＩ粘着末端ならびに前記した（セクションＤ参照）ＫｐｎＩおよびＢａｍＨＩ消化された精製されたＰＣＲ産物を含有するオリゴ＃１２６７−０８および＃１２６７−０９の間に形成されたリン酸化リンカーデュプレックスを標準的な方法を用いてｐＭＡＧ２１のＮｄｅＩおよびＢａｍＨＩ部位の間に方向付けて挿入した。連結混合物を製造業者のプロトコルを利用するエレクトロポレーションによってイー・コリ宿主３９３に形質転換した。クローンを選択し、プラスミドＤＮＡを単離し、ＤＮＡ配列決定を行ってＭｕＯＰＧ  ｍｅｔ［３２−４０１］遺伝子のＤＮＡ配列を確認した。
誘導後におけるｐＡＭＧ２１組換えプラスミドを保有する３９３細胞の培養からの組換えｍｕＯＰＧ  ｍｅｔ［３２−４０１］ポリペプチドの発現をセクションＣに記載した方法を用いて測定した。
0004657388.tif 000054
Ｆ．ネズミＯＰＧ  ｍｅｔ−ｌｙｓ［２２−４０１］
Ｎ−メチオニン、続いてのネズミＯＰＧのアミノ酸２２ないし４０１をコードするＤＮＡ配列を、原核生物発現ベクターｐＡＭＧ２１中のｌｕｘ  ＰＲプロモーターの制御下に置いた。合成オリゴ＃１２８２−９５および＃１２８２−９６を個々にリン酸化し、セクションＢに記載した方法を用いてオリゴリンカーデュプレックスを形成させた。合成リンカーデュプレックスはイー・コリのコドンを利用し、Ｎ−末端メチオニンを供した。ＮｄｅＩおよびＫｐｎＩ粘着末端ならびにセクションＤに記載したＫｐｎＩおよびＢａｍＨＩ消化され精製されたＰＣＲ産物を含有するオリゴ＃１２８１−９５および＃１２８２−９６の間に形成されたリン酸化リンカーデュプレックスを標準的な方法を用いてｐＭＡＧ２１のＮｄｅＩおよびＢａｍＨＩ部位の間に方向付けて挿入した。連結混合物を製造業者のプロトコルを利用するエレクトロポレーションによってイー・コリ宿主３９３に形質転換した。クローンを選択し、プラスミドＤＮＡを単離し、ＤＮＡ配列決定を行ってＭｕＯＰＧ  Ｍｅｔ−Ｌｙｓ［２２−４０１］遺伝子のＤＮＡ配列を確認した。
誘導後における組換えｐＡＭＧ２１プラスミドを保有する形質転換３９３細胞からの組換えＭｕＯＰＧ  Ｍｅｔ−Ｌｙｓ［２２−４０１］ポリペプチドの発現をセクションＣに記載した方法を用いて測定した。
0004657388.tif 000055
Ｇ．ネズミＯＰＧ  ｍｅｔ−ｌｙｓ−（ｈｉｓ）7［２２−４０１］
Ｎ−末端残基Ｍｅｔ−Ｌｙｓ−Ｈｉｓ−Ｈｉｓ−Ｈｉｓ−Ｈｉｓ−Ｈｉｓ−Ｈｉｓ−Ｈｉｓ（＝ＭＫＨ）、続いてのネズミＯＰＧのアミノ酸２２ないし４０１をコードするＤＮＡ配列を、以下のごとくに、原核生物発現ベクターｐＡＭＧ２１中のｌｕｘ  ＰＲプロモーターの制御下に置いた。オリゴヌクレオチド＃１３００−５０および＃１２５７−１５をプライマーとしておよびプラスミドｐＡＭＧ２１−ｍｕＯＰＧ−ｍｅｔ［２２−４０１］ＤＮＡを鋳型として用いてＰＣＲを行った。熱サイクリング条件はセクションＢに記載した通りである。得られたＰＣＲ産物をアガロースゲルで分離し、ＰＣＲ産物を切り出し、精製し、ＮｄｅＩおよびＢａｍＨＩ制限エンドヌクレアーゼで切断し、精製した。オリゴプライマー＃１３００−５０および＃１２５７−１５を用いて生じたＮｄｅＩおよびＢａｍＨＩ消化し精製したＰＣＲ産物を標準的な方法を用いてｐＭＡＧ２１のＮｄｅＩおよびＢａｍＨＩ部位の間に方向付けて挿入した。連結混合物を製造業者のプロトコルを利用するエレクトロポレーションによってイー・コリ宿主３９３に形質転換した。クローンを選択し、プラスミドＤＮＡを単離し、ＤＮＡ配列決定を行ってｍｕＯＰＧ  ＭＫＨ［２２−４０１］遺伝子のＤＮＡ配列を確認した。
誘導後における組換えｐＡＭＧ２１プラスミドを保有する形質転換３９３細胞からの組換えＭｕＯＰＧ  ＭＫＨ［２２−４０１］ポリペプチドの発現をセクションＣに記載した方法を用いて測定した。
0004657388.tif 000056
Ｈ．ネズミＯＰＧ  ｍｅｔ−ｌｙｓ［２２−４０１］（ｈｉｓ）7
Ｎ−末端ｍｅｔ−ｌｙｓ、アミノ酸２２ないし４０１ネズミＯＰＧ、およびアミノ酸４０１に続く７個のヒスチジン残基（ｍｕＯＰＧ  ＭＫ［２２−４０１］−Ｈ7）をコードするＤＮＡ配列を、以下のごとくに、原核生物発現ベクターｐＡＭＧ２１中のｌｕｘ  ＰＲプロモーターの制御下に置いた。オリゴヌクレオチド＃１３００−４９および＃１３００−５１をプライマーとしておよびプラスミドｐＡＭＧ２１−ｍｕＯＰＧ−ｍｅｔ［２２−４０１］ＤＮＡを鋳型として用いてＰＣＲを行った。熱サイクリング条件はセクションＢに記載した通りである。得られたＰＣＲ産物をアガロースゲルで分離し、ＰＣＲ産物を切り出し、精製し、ＮｄｅＩおよびＢａｍＨＩ制限エンドヌクレアーゼで切断し、精製した。ＮｄｅＩおよびＢａｍＨＩ消化し精製したＰＣＲ産物を標準的な方法を用いてｐＭＡＧ２１のＮｄｅＩおよびＢａｍＨＩ部位の間に方向付けて挿入した。連結混合物を製造業者のプロトコルを利用するエレクトロポレーションによってイー・コリ宿主３９３に形質転換した。クローンを選択し、プラスミドＤＮＡを単離し、ＤＮＡ配列決定を行ってｍｕＯＰＧ  ＭＫ［２２−４０１］−Ｈ7遺伝子のＤＮＡ配列を確認した。
誘導後における組換えｐＡＭＧ２１プラスミドを保有する形質転換３９３細胞からの組換えｍｕＯＰＧ  ＭＫ−［２２−４０１］−Ｈ7ポリペプチドの発現をセクションＣに記載した方法を用いて測定した。
0004657388.tif 000057
Ｉ．ネズミＯＰＧ  ｍｅｔ［２７−４０１］
Ｎ−末端メチオニンおよびネズミＯＰＧのアミノ酸２７ないし４０１をコードするＤＮＡ配列を、以下のごとくに、原核生物発現ベクターｐＡＭＧ２１中のｌｕｘ  ＰＲプロモーターの制御下に置いた。オリゴヌクレオチド＃１３０９−７４および＃１２５７−１５をプライマーとしておよびプラスミドｐＡＭＧ２１−ｍｕＯＰＧ−ｍｅｔ［２２−４０１］ＤＮＡを鋳型として用いてＰＣＲを行った。熱サイクリング条件はセクションＢに記載した通りである。得られたＰＣＲ産物をアガロースゲルで分離し、ＰＣＲ産物を切り出し、精製し、ＮｄｅＩおよびＢａｍＨＩ制限エンドヌクレアーゼで切断し、精製した。ＮｄｅＩおよびＢａｍＨＩ消化し精製したＰＣＲ産物を標準的な方法を用いてｐＭＡＧ２１のＮｄｅＩおよびＢａｍＨＩ部位の間に方向付けて挿入した。連結混合物を製造業者のプロトコルを利用するエレクトロポレーションによってイー・コリ宿主３９３に形質転換した。クローンを選択し、プラスミドＤＮＡを単離し、ＤＮＡ配列決定を行ってｍｕＯＰＧ−ｍｅｔ［２７−４０１］遺伝子のＤＮＡ配列を確認した。
誘導後における組換えｐＡＭＧ２１プラスミドを保有する形質転換３９３細胞からの組換えｍｕＯＰＧ−ｍｅｔ［２７−４０１］ポリペプチドの発現をセクションＣに記載した方法を用いて測定した。
0004657388.tif 000058
Ｊ．ヒトＯＰＧ  ｍｅｔ［２７−４０１］
Ｎ−末端メチオニンおよびネズミＯＰＧのアミノ酸２７ないし４０１をコードするＤＮＡ配列を、以下のごとくに、原核生物発現ベクターｐＡＭＧ２１中のｌｕｘ  ＰＲプロモーターの制御下に置いた。オリゴヌクレオチド＃１３０９−７５および＃１３０９−７６をプライマーとしておよびプラスミドｐＡＭＧ２１−ｈｕＯＰＧ−ｍｅｔ［２７−４０１］ＤＮＡを鋳型として用いてＰＣＲを行った。熱サイクリング条件はセクションＢに記載した通りである。得られたＰＣＲ産物をアガロースゲルで分離し、ＰＣＲ産物を切り出し、精製し、ＡｓｅＩおよびＢａｍＨＩ制限エンドヌクレアーゼで制限切断し、精製した。ＡｓｅＩおよびＢａｍＨＩ消化し精製したＰＣＲ産物を標準的な方法を用いてｐＭＡＧ２１のＮｄｅＩおよびＢａｍＨＩ部位の間に方向付けて挿入した。連結混合物を製造業者のプロトコルを利用するエレクトロポレーションによってイー・コリ宿主３９３に形質転換した。クローンを選択し、プラスミドＤＮＡを単離し、ＤＮＡ配列決定を行ってｈｕＯＰＧ−ｍｅｔ［２２−４０１］遺伝子のＤＮＡ配列を確認した。
組換えｐＡＭＧ２１プラスミドを保有するトランスフェクトした３９３細胞からの誘導後における組換えｈｕＯＰＧ−ｍｅｔ［２７−４０１］ポリペプチドの発現をセクションＣに記載した方法を用いて測定した。
0004657388.tif 000059
Ｋ．ネズミＯＰＧ  ｍｅｔ［２２−１８０］
Ｎ−末端メチオニンおよびネズミＯＰＧのアミノ酸２２ないし１８０をコードするＤＮＡ配列を、以下のごとくに、原核生物発現ベクターｐＡＭＧ２１のｌｕｘ  ＰＲプロモーターの制御下に置いた。オリゴヌクレオチド＃１３０９−７２および＃１３０９−７３をプライマーとしておよびプラスミドｐＡＭＧ２１−ｍｕＯＰＧ−ｍｅｔ［２２−４０１］ＤＮＡを鋳型として用いてＰＣＲを行った。熱サイクリング条件はセクションＢに記載した通りである。得られたＰＣＲ産物をアガロースゲルで分離し、ＰＣＲ産物を切り出し、精製し、ＮｄｅＩおよびＢａｍＨＩ制限エンドヌクレアーゼで制限切断し、精製した。ＮｄｅＩおよびＢａｍＨＩ消化し精製した前記ＰＣＲ産物を標準的な方法を用いてｐＭＡＧ２１のＮｄｅＩおよびＢａｍＨＩ部位の間に方向付けて挿入した。連結物を製造業者のプロトコルを利用するエレクトロポレーションによってイー・コリ宿主３９３に形質転換した。クローンを選択し、プラスミドＤＮＡを単離し、ＤＮＡ配列決定を行ってｍｕＯＰＧ−ｍｅｔ［２２−１８０］遺伝子のＤＮＡ配列を確認した。
誘導後における組換えｐＡＭＧ２１プラスミドを保有する形質転換３９３細胞からの組換えｍｕＯＰＧ−ｍｅｔ［２２−１８０］ポリペプチドの発現をセクションＣに記載した方法を用いて測定した。
0004657388.tif 000060
Ｌ．ネズミＯＰＧ  ｍｅｔ［２７−１８０］
Ｎ−末端メチオニンおよびネズミＯＰＧのアミノ酸２７ないし１８０をコードするＤＮＡ配列を、以下のごとくに、原核生物発現ベクターｐＡＭＧ２１のｌｕｘ  ＰＲプロモーターの制御下に置いた。オリゴヌクレオチド＃１３０９−７４（セクションＩ参照）および＃１３０９−７３（セクションＫ参照）をプライマーとしておよびプラスミドｐＡＭＧ２１−ｍｕＯＰＧ  ｍｅｔ［２２−４０１］ＤＮＡを鋳型として用いてＰＣＲを行った。熱サイクリング条件はセクションＢに記載した通りである。得られたＰＣＲ産物をアガロースゲルで分離し、ＰＣＲ産物を切り出し、精製し、ＮｄｅＩおよびＢａｍＨＩ制限エンドヌクレアーゼで制限切断し、精製した。ＮｄｅＩおよびＢａｍＨＩ消化し精製した前記ＰＣＲ産物を標準的な方法を用いてｐＭＡＧ２１のＮｄｅＩおよびＢａｍＨＩ部位の間に方向付けて挿入した。連結混合物を製造業者のプロトコルを利用するエレクトロポレーションによってイー・コリ宿主３９３に形質転換した。クローンを選択し、プラスミドＤＮＡを単離し、ＤＮＡ配列決定を行ってｍｕＯＰＧ  ｍｅｔ［２７−１８０］遺伝子のＤＮＡ配列を確認した。
誘導後における組換えｐＡＭＧ２１プラスミドを保有する形質転換３９３細胞の培養からの組換えｍｕＯＰＧ  ｍｅｔ［２７−１８０］ポリペプチドの発現をセクションＣに記載した方法を用いて測定した。
Ｍ．ネズミＯＰＧ  ｍｅｔ［２２−１８９］およびｍｅｔ［２２−１９４］
Ｎ−末端メチオニンおよびネズミＯＰＧのアミノ酸２２ないし１８９、または２２ないし１９４いずれかをコードするＤＮＡ配列を、以下のごとくに、原核生物発現ベクターｐＡＭＧ２１のｌｕｘ  ＰＲプロモーターの制御下に置いた。セクションＢに記載した方法を用い、合成オリゴヌクレオチド＃１３３７−９２および＃１３３７−９３（＝ｍｕＯＰＧ−１８９リンカー）または＃１３３３−５７および＃１３３７−５８（＝ｍｕＯＰＧ−１９４リンカー）の対を個々にリン酸化して、オリゴリンカーデュプレックス対を形成させた。ｐＡＭＧ２１−ｍｕＯＰＧ−ｍｅｔ［２２−４０１］の精製プラスミドＤＮＡをＫｐｎＩおよびＢｓｐＥＩ制限エンドヌクレアーゼで切断し、得られたＤＮＡ断片をアガロースゲルで分離した。標準的なＤＮＡ方法を用いて〜４１３ｂｐ  Ｂ断片を単離した。ＢｓｐＥＩおよびＢａｍＨＩ粘着末端、および前記ＫＰｎＩおよびＢｓｐＥＩ制限エンドヌクレアーゼで消化したプラスミドｐＡＭＧ２１−ｍｕＯＰＧ−ｍｅｔ［２２−４０１］の単離された〜４１３ｂｐ  Ｂ断片を含有するオリゴ＃１３３７−９２および＃１３３７−９３（ｍｕＯＰＧ−１８９リンカー）またはオリゴ＃１３３３−５７および＃１３３３−５８（ｍｕＯＰＧ−１９４リンカー）いずれかの間に形成されたリン酸化オリゴリンカーデュプレックスを標準的な方法を用いてｐＡＭＧ２１−ｍｕＯＰＧ−ｍｅｔ［２２−４０１］のＫＰｎＩおよびＢａｍＨＩ部位の間に方向付けて挿入した。各連結混合物を製造業者のプロトコルを利用するエレクトロポレーションによってイー・コリ宿主３９３に形質転換した。クローンを選択し、プラスミドＤＮＡを単離し、ＤＮＡ配列決定を行ってｍｕＯＰＧ−ｍｅｔ［２２−１８９］またはｍｕＯＰＧ−ｍｅｔ［２２−１９４］遺伝子のＤＮＡ配列を確認した。
３９３細胞に形質転換した組換えｐＡＭＧ２１プラスミドからの組換えｍｕＯＰＧ−ｍｅｔ［２２−１８９］およびｍｕＯＰＧ−ｍｅｔ［２２−１９４］の発現をセクションＣに記載した方法を用いて測定した。
0004657388.tif 000061
Ｎ．ネズミＯＰＧ  ｍｅｔ［２７−１８９］およびｍｅｔ［２７−１９４］
Ｎ−末端メチオニンおよびネズミＯＰＧのアミノ酸２７ないし１８９、または２７ないし１９４いずれかをコードするＤＮＡ配列を、以下のごとくに、原核生物発現ベクターｐＡＭＧ２１のｌｕｘ  ＰＲプロモーターの制御下に置いた。ＢｓｐＥＩｅおよびＢａｍＨＩ粘着末端、およびＫｐｎＩおよびＢｓｐＥＩ制限エンドヌクレアーゼで消化したプラスミドｐＡＭＧ２１−ｍｕＯＰＧ−ｍｅｔ［２２−４０１］の単離された〜４１３ｂｐ  Ｂ断片を含有するリン酸化オリゴリンカー「ｍｕＯＰＧ−１８９リンカー」または「ｍｕＯＰＧ−１９４リンカー」（セクションＭ参照）いずれかを標準的な方法を用いてプラスミドｐＡＭＧ２１−ｍｕＯＰＧ−ｍｅｔ［２７−４０１］のＫｐｎＩおよびＢａｍＨＩ部位の間に方向付けて挿入した。各連結物を製造業者のプロトコルを利用するエレクトロポレーションによってイー・コリ宿主３９３に形質転換した。クローンを選択し、プラスミドＤＮＡを単離し、ＤＮＡ配列決定を行ってｍｕＯＰＧ−ｍｅｔ［２７−１８９］またはｍｕＯＰＧ−ｍｅｔ［２７−１９４］遺伝子のＤＮＡ配列を確認した。
組換えｐＡＭＧ２１プラスミドを保有する３９３細胞の誘導後における組換えｍｕＯＰＧ−ｍｅｔ［２７−１８９］およびｍｕＯＰＧ−ｍｅｔ［２７−１９４］の発現をセクションＣに記載した方法を用いて測定した。
Ｏ．ヒトＯＰＧ  ｍｅｔ［２２−１８５］、ｍｅｔ［２２−１８９］、ｍｅｔ［２２−１９４］
Ｎ−末端メチオニンおよびヒトＯＰＧのアミノ酸２２ないし１８５、２２ないし１８９、または２２ないし１９４いずれかをコードするＤＮＡ配列を、以下のごとくに、原核生物発現ベクターｐＡＭＧ２１のｌｕｘ  ＰＲプロモーターの制御下に置いた。セクションＢに記載した方法を用い、合成オリゴヌクレオチド＃１３３１−８７および＃１３３１−８８（＝ｈｕＯＰＧ−１８５リンカー）、＃１３３１−８９および＃１３３１−９０（＝ｈｕＯＰＧ−１８９リンカー）、または＃１３３１−９１  ＆  ＃１３３１−９１（＝ｈｕＯＰＧ−１９４リンカー）の対を個々にリン酸化して、各々、オリゴリンカーデュプレックス対を形成させた。ｐＡＭＧ２１−ｈｕＯＰＧ−ｍｅｔ［２７−４０１］の精製プラスミドＤＮＡをＫｐｎＩおよびＮｄｅＩ制限エンドヌクレアーゼで制限切断し、得られたＤＮＡ断片をアガロースゲルで分離した。標準的な組換えＤＮＡ法を用いて〜４０７ｂｐ  Ｂ断片を単離した。オリゴ＃１３３１−８７および＃１３３１−８８（ｈｕＯＰＧ−１８５リンカー）、オリゴ＃１３３１−８９および＃１３３１−９０（ｈｕＯＰＧ−１８９リンカー）、またはオリゴ＃１３３１−９１および＃１３３１−９２（ｈｕＯＰＧ−１９４リンカー）［各リンカーはＮｄｅＩおよびＢａｍＨＩ粘着末端を含有する］いずれかと、前記ＫｐｎＩおよびＮｄｅＩ制限エンドヌクレアーゼで消化したプラスミドｐＡＭＧ−ｈｕＯＰＧ−ｍｅｔ［２７−４０１］の単離された〜４０７ｂｐ  Ｂ断片との間に形成させたリン酸化オリゴリンカーデュプレックスを標準的な方法を用いてプラスミドｐＡＭＧ２１−ｈｕＯＰＧ−ｍｅｔ［２２−４０１］のＫｐｎＩおよびＢａｍＨＩ部位の間に方向付けて挿入した。各連結物を製造業者のプロトコルを利用するエレクトロポレーションによってイー・コリ宿主３９３に形質転換した。クローンを選択し、プラスミドＤＮＡを単離し、ＤＮＡ配列決定を行ってｈｕＯＰＧ−ｍｅｔ［２２−１８５］、ｈｕＯＰＧ−ｍｅｔ［２２−１８９］、またはｈｕＯＰＧ−ｍｅｔ［２２−１９４］遺伝子のＤＮＡ配列を確認した。
誘導後における組換えｐＡＭＧ２１プラスミドを保有する形質転換３９３細胞における組換えｈｕＯＰＧ−ｍｅｔ［２２−１８５］、ｈｕＯＰＧ−ｍｅｔ［２２−１８９］、またはｈｕＯＰＧ−ｍｅｔ［２２−１９４］の発現をセクションＣに記載した方法を用いて測定した。
0004657388.tif 000062
Ｐ．ヒトＯＰＧ  ｍｅｔ［２７−１８５］、ｍｅｔ［２７−１８９］、ｍｅｔ［２７−１９４］
Ｎ−末端メチオニンおよびヒトＯＰＧポリペプチドのアミノ酸２７ないし１８５、２７ないし１８９、または２７ないし１９４いずれかをコードするＤＮＡ配列を、以下のごとくに、原核生物発現ベクターｐＡＭＧ２１のｌｕｘ  ＰＲプロモーターの制御下に置いた。各々ＮｄｅＩおよびＢａｍＨＩ粘着末端を含有するリン酸化オリゴリンカー「ｈｕＯＰＧ−１８５リンカー」、「ｈｕＯＰＨ−１８９リンカー」、または「ｈｕＯＰＧ−１９４リンカー」（セクションＯ参照）、およびＫｐｎＩおよびＮｄｅＩ制限エンドヌクレアーゼで消化したプラスミドｐＡＭＧ２１−ｈｕＯＰＧ−ｍｅｔ［２７−４０１］の単離された〜４０７ｂｐ  Ｂ断片（セクションＯ参照）を標準的な方法を用いてプラスミドｐＡＭＧ２１−ｈｕＯＰＧ−ｍｅｔ［２２−４０１］のＫＰｎＩおよびＢａｍＨＩ部位の間に方向付けて挿入した（セクションＪ参照）。各連結物を製造業者のプロトコルを利用するエレクトロポレーションによってイー・コリ宿主３９３に形質転換した。クローンを選択し、プラスミドＤＮＡを単離し、ＤＮＡ配列決定を行ってｈｕＯＰＧ−ｍｅｔ［２７−１８５］、ｈｕＯＰＧ−ｍｅｔ［２７−１８９］、またはｈｕＯＰＧ−ｍｅｔ［２７−１９４］遺伝子のＤＮＡ配列を確認した。
組換えｐＡＭＧ２１プラスミドからの組換えｈｕＯＰＧ−ｍｅｔ［２７−１８５］、ｈｕＯＰＧ−ｍｅｔ［２７−１８９］、またはｈｕＯＰＧ−ｍｅｔ［２７−１９４］の発現をセクションＣに記載した方法を用いて測定した。
Ｑ．ネズミＯＰＧ  ｍｅｔ［２７−４０１］（Ｐ３３Ｅ、Ｇ３６Ｓ、Ａ４５Ｐ）
Ｎ−末端メチオニンおよびヒトＯＰＧのアミノ酸２７ないし４８、続いてネズミＯＰＧのアミノ酸４９ないし４０１をコードするＤＮＡ配列を、以下のごとくに、原核生物発現ベクターｐＡＭＧ２１のｌｕｘ  ＰＲプロモーターの制御下に置いた。ｐＡＭＧ２１−ｈｕＯＰＧ−ｍｅｔ［２７−４０１］の精製プラスミドＤＮＡ（セクションＪ参照）をＡａｔＩＩおよびＫｐｎＩ制限エンドヌクレアーゼで切断し、標準的なＤＮＡ法を用いて、アカゲロースゲルから〜１０７５ｂｐ  Ｂ断片を単離した。さらに、プラスミドｐＡＭＧ２１−ｍｕＯＰＧ−ｍｅｔ［２２−４０１］ＤＮＡ（セクションＤ参照）をＫｐｎＩおよびＢａｍＨＩ制限エンドヌクレアーゼで消化し、前記したごとくに〜１０６４ｂｐ  Ｂ断片を単離した。ＡａｔＩＩ及びＫｐｎＩ粘着末端を含有する単離された〜１０７５ｂｐ  ｐＡＭＧ２１−ｈｕＯＰＧ−ｍｅｔ［２７−４０１］制限断片（前記参照）、ＫｐｎＩおよびＢａｍＨＩ粘着末端を含有する〜１０６４ｂｐ  ｐＡＭＧ２１−ｍｕＯＰＧ−ｍｅｔ［２２−４０１］制限断片、およびＡａｔＩＩおよびＢａｍＨＩ粘着末端を含有し、ＡａｔＩＩ及びＢａｍＨＩの間のｐＡＭＧ２１の核酸配列に対応する〜５０４３ｂｐ制限断片を標準的なＤＮＡ法を用いて連結した。連結物を製造業者のプロトコルを利用するエレクトロポレーションによってイー・コリ宿主３９３に形質転換した。標準的なＤＮＡ法を用い、クローンを選択し、プラスミド中の組換えインサートの存在を確認した。ｍｕＯＰＧ−２７−４０１（Ｐ３３Ｅ、Ｇ３６５、Ａ４５Ｐ）遺伝子。ｍｕＯＰＧ残基２７ないし４８の、ｈｕＯＰＧ残基２７ないし４８での置換から、プロリン−３３からグルタミン酸−３３への、グリシン−３６からセリン−３６への、およびアラニン−４５からプロリン−４５へのｍｕＯＰＧにおけるアミノ酸変化が得られた。
組換えｐＡＭＧ２１プラスミドを保有する形質転換３９３細胞からの組換えｍｕＯＰＧ−ｍｅｔ［２７−４０１］（Ｐ３３Ｅ、Ｇ３６５、Ａ４５Ｐ）の発現をセクションＣに記載した方法を用いて測定した。
Ｒ．ネズミＯＰＧ  ｍｅｔ−ｌｙｓ−（ｈｉｓ）7−ａｌａ−ｓｅｒ−（ａｓｐ）4−ｌｙｓ［２２−４０１］（Ａ４５Ｔ）
Ｎ−末端Ｈｉｓタッグおよび（ＮＨ2からＣＯＯＨ末端へ）Ｍｅｔ−Ｌｙｓ−Ｈｉｓ−Ｈｉｓ−Ｈｉｓ−Ｈｉｓ−Ｈｉｓ−Ｈｉｓ−Ｈｉｓ−Ａｌａ−Ｓｅｒ−Ａｓｐ−Ａｓｐ−Ａｓｐ−Ａｓｐ−Ｌｙｓ（＝ＨＥＫ）であるエントロキナーゼ認識配列、続いてネズミＯＰＧポリペプチドのアミノ酸２２ないし４０１をコードするＤＮＡ配列を以下のごとくにｌａｃリプレッサー調節Ｐｓ４プロモーターの制御下に置いた。ｐＡＭＧ２２−Ｈｉｓ（セクションＡ参照）をＮｈｅＩおよびＢａｍＨＩ制限エンドヌクレアーゼで消化し、標準的なＤＮＡ法を用いて大きな断片（Ａ断片）をアガロースゲルから単離した。先に記載した方法（セクションＢ参照）を用いて、オリゴヌクレオチド＃１２８２−９１および＃１２８２−９２を個々にリン酸化して、オリゴリンカーデュプレックスを形成させた。標準的なＤＮＡ法を用い、ＮｈｅＩおよびＫｐｎＩ粘着末端を含有するオリゴ＃１２８２−９１および＃１２８２−９２の間に形成されたリン酸化リンカーデュプレックス、前記したＫｐｎＩおよびＢａｍＨＩ消化し精製したＰＣＲ産物（セクションＤ参照）、およびＮｈｅＩおよびＢａｍＨＩで消化したベクターｐＡＭＧ２２−ＨｉｓのＡ断片を連結した。連結物を製造業者のプロトコルを利用するエレクトロポレーションによってイー・コリ宿主ＧＭ１２０に形質転換した。クローンを選択し、プラスミドＤＮＡを単離し、ＤＮＡ配列決定を行って、ｍｕＯＰＧ−ＨＥＫ［２２−４０１］遺伝子のＤＮＡ配列を確認した。ＤＮＡ配列決定により、ｍｕＯＰＧポリペプチドのアラニン−４５のトレオニンへの単一アミノ酸変化が結果となる天然ｍｕＯＰＧ配列における擬似突然変異が明らかとされた。
合成自己誘導剤の添加の代わりにＩＰＴＧを最終０．４ｍＭに添加して誘導を達成する以外は、セクションＣに記載されのと同様の方法を用い、組換えｐＡＭＧ２１プラスミドを保有するＧＭ１２０細胞からの組換えｍｕＯＰＧ−ＨＥＫ［２２−４０１］（Ａ４５Ｔ）の発現を測定した。
0004657388.tif 000063
Ｓ．ヒトＯＰＧ  ｍｅｔ−ａｒｇ−ｇｌｙ−ｓｅｒ−（ｈｉｓ）6［２２−４０１］
８つのオリゴヌクレオチド（後記で示す１３３８−０９ないし１３３８−１６）を設計して、重複する二本鎖ＤＮＡとして１７５塩基の断片を得た。オリゴをアニールし、連結し、５’および３’オリゴをＰＣＲプライマーとして用いて、大量の１７５塩基断片を得た。最終ＰＣＲ遺伝子産物を制限エンドヌクレアーゼで消化して断片が得られ、これはヒトＯＰＧのＮ−末端２８コドンが置き換えられている。ＣｌａＩおよびＫｐｎＩ消化のＰＣＲ産物を、やはりＣｌａＩおよびＫｐｎＩで切断されているｐＡＭＧ２１−ｈｕＯＰＧ［２７−４０１］に挿入した。連結したＤＮＡをイー・コリ株３９３のコンピテント宿主細胞に形質転換した。組換え蛋白質産物を生成し、正しいヌクレオチド配列を有する遺伝子融合を保有する能力につきクローンをスクリーニングした。蛋白質発現レベルを５０ｍｌの振盪フラスコ実験により測定した。全細胞溶解物および音波処理ペレットを、ネズミ抗−ＯＰＧ抗体を用い、クーマシー染色ＰＡＧＥおよびウェスタン分析によって、構築体の発現につき分析した。その結果大きな封入体および蛋白質が形成されるｈｕＯＰＧ  Ｍｅｔ−Ａｒｇ−Ｇｌｙ−Ｓｅｒ−（Ｈｉｓ）6［２２−４０１］の発現を不溶性（ペレット）画分に突き止めた。
0004657388.tif 000064
Ｔ．ヒトＯＰＧ  ｍｅｔ−ｌｙｓ［２２−４０１］およびｍｅｔ（ｌｙｓ）3［２２−４０１］
ヒトＯＰＧ［２２−４０１］のｍｅｔ−ｌｙｓおよびｍｅｔ−（ｌｙｓ）3バージョンを構築するために、重複するオリゴヌクレオチドを設計して、適当な数のリシン残基を付加した。各構築体につき２つのオリゴを設計して、重複させ、最終産物を得るための２ラウンドのＰＣＲが可能となった。第１のＰＣＲ反応についての鋳型はヒトＯＰＧ２２−４０１遺伝子を含有するプラスミドＤＮＡ調製であった。第１のＰＣＲはリシン残基を付加した。第２のＰＣＲは第１ラウンドの生成物を使用し、第１の制限部位ＣｌａＩに配列を逆付加した。
最終ＣＲ遺伝子産物を制限エンドヌクレアーゼＣｌａＩおよびＫｐｎＩで消化し、これはｈｕ  ＯＰＧのＮ−末端の２８コドンを置き換た。次いで、やはり２つの制限エンドヌクレアーゼで消化してあるプラスミドｐＡＭＧ２１−ｈｕ  ＯＰＧ［２７−４０１］に連結した。連結したＤＮＡをイー・コリ株３９３のコンピテント宿主細胞に形質転換した。組換え蛋白質産物を生成し、正しいヌクレオチド配列を有する遺伝子融合を保有する能力につきクローンをスクリーニングした。蛋白質発現レベルを５０ｍｌの振盪フラスコ実験により測定した。全細胞溶解物および音波処理ペレットを、ネズミ抗−ＯＰＧ抗体を用い、クーマシー染色ＰＡＧＥおよびウェスタン分析によって、構築体の発現につき分析した。いずれの構築体も蛋白質発現の検出可能なレベルを有さず、封入体は見えなかった。ＤＮＡ配列はＤＮＡ配列決定法によって確認した。
0004657388.tif 000065
Ｕ．ヒトおよびネズミＯＰＧ［２２−４０１］／Ｆｃ融合
ヒトＩｇＧ１のＦｃ領域をヒトもしくはネズミいずれかのオステオプロテゲリンアミノ酸２２ないし４０１のＮ−末端において（Ｆｃ／ＯＰＧ［２２−４０１］という）、またはＣ−末端において（ＯＰＧ［２２−４０１］／Ｆｃという）融合して、４つのＯＰＧ−Ｆｃ融合を構築した。Ｆｃ融合は実施例７に記載した融合ベクターｐＦｃ−Ａ３を用いて構築した。
全ての融合遺伝子は、標準的なＰＣＲ技術を用いて構築した。ＰＣＲ反応用の鋳型は標的遺伝子を含有するプラスミドであった。重複するオリゴを設計して、１の遺伝子のＣ−末端部分と他の遺伝子のＮ−末端部分を合わせた。このプロセスにより、適当なＰＣＲ反応が行われた後に、２つの遺伝子が一緒になって正しい読枠にて融合される。最初に、各遺伝子についての１つの「融合」オリゴを、標的遺伝子を担うベクター用にユニバーサルプライマーを用いるＰＣＲ反応に付した。相補的「融合」オリゴを他の遺伝子をＰＣＲに付すためのユニバーサルプライマーと共に用いた。この第１のＰＣＲ反応の終わりに、２つの別々の産物が得られ、各個々の遺伝子は存在する融合部位を有し、ＰＣＲの第２ラウンドを駆動し、所望の融合を生じるのに十分な重複を得た。ＰＣＲの第２ラウンドにおいて、第１の２つのＰＣＲ産物を、ユニバーサルプライマーと共に、重複領域を介して合わせ、全長融合ＤＮＡ配列が生成した。
最終ＰＣＲ遺伝子産物を制限エンドヌクレアーゼＸｂａＩおよびＢａｍＨＩで消化し、次いで、やはり２つの制限エンドヌクレアーゼで消化してあるベクターｐＡＭＧ２１に連結した。連結されたＤＮＡをイー・コリ株３９３のコンピテント宿主細胞に形質転換した。組換え蛋白質産物を生成し、正しいヌクレオチド配列を有する遺伝子融合を保有する能力につきクローンをスクリーニングした。蛋白質発現レベルを５０ｍｌの振盪フラスコ実験により測定した。全細胞溶解物、音波処理ペレット、および上清を、ネズミ抗−ＯＰＧ抗体を用い、クーマシー染色ＰＡＧＥゲルおよびウェスタン分析によって、融合の発現につき分析した。
Ｆｃ／ｈｕＯＰＧ［２２−４０１］
Ｆｃ／ｈｕ  ＯＰＧ［２２−４０１］融合ペプチドの発現がクーマシー染色ＰＡＧＥゲルおよびウェスタンブロットで検出された。細胞は非常に大きな封入体を有し、大部分の産物は不溶性（ペレット）画分にある。以下のプライマーを用いてこのＯＰＧ−Ｆｃ融合を構築した。
0004657388.tif 000066
Ｆｃ／ｍｕＯＰＧ［２２−４０１］
融合ペプチドの発現はクーマシー染色ゲルおよびウェスタンブロットで検出された。細胞は非常に大きな封入体を有し、大部分の産物は不溶性（ペレット）画分にある。以下のプライマーを用いてこのＯＰＧ−Ｆｃ融合を構築した。
0004657388.tif 000067
ｍｕＯＰＧ［２２−４０１／Ｆｃ］
融合ペプチドの発現はクーマシー染色ゲルおよびウェスタンブロットで検出された。組換え産物の量は、Ｎ−末端位にＦｃ領域を有するＯＰＧ融合蛋白質よりも少なかった。明らかな封入体は検出されなかった。産物のほとんどは不溶性（ペレット）画分にあるようであった。以下のプライマーを用いてＯＰＧ−Ｆｃ融合を構築した。
0004657388.tif 000068
ｈｕＯＰＧ［２２−４０１］／Ｆｃ
融合蛋白質の発現はクーマシー染色ゲルでは検出されなにかったが、かすかなウェスタン陽性シグナルが存在した。明らかな封入体は検出されなかった。以下のプライマーを用いてこのＯＰＧ−Ｆｃ融合を調製した。
0004657388.tif 000069
Ｖ．ヒトＯＰＧ  ｍｅｔ［２２−４０１］−Ｆｃ融合（Ｐ２５Ａ）
本構築体は、２５位におけるプロリンからアラニンへのアミノ酸変化（Ｐ２５Ａ）をｈｕＯＰＧ  ｍｅｔ［２２−４０１］−Ｆｃ融合と組み合わせたものである。プラスミドを、当該遺伝子のＮ−末端の２８コドンを除去する制限エンドヌクレアーゼＣｌａＩおよびＫｐｎＩで消化し、得られた小さな（２００塩基対未満）断片をゲル精製した。次いで、プロリンからアラニンへの変化を含むこの断片を、該２つの制限エンドヌクレアーゼで消化してあるプラスミドｐＡＭＧ２１−ｈｕＯＰＧ［２２−４０１］−Ｆｃ融合に連結した。連結したＤＮＡをイー・コリ株３９３のコンピテント宿主細胞に形質転換した。組換え蛋白質産物を生成し、正しいヌクレオチド配列を有する遺伝子融合を保有する能力につきクローンをスクリーニングした。蛋白質発現レベルを５０ｍｌの振盪フラスコ実験により測定した。全細胞溶解物および音波処理ペレットを、ネズミ抗−ＯＰＧ抗体を用い、クーマシー染色ＰＡＧＥゲルおよびウェスタン分析によって、融合の発現につき分析した。融合蛋白質の発現レベルがクーマシー染色ＰＡＧＥゲルおよびウェスタンブロットで検出された。蛋白質は不溶性（ペレット）画分にあった。細胞は大きな封入体を有していた。
Ｗ．ヒトＯＰＧ  ｍｅｔ［２２−４０１］（Ｐ２５Ａ）
原核生物発現ベクターｐＡＭＧ２１中のｌｕｘ  ＰRプロモーターの制御下にある、Ｎ−末端メチオニンおよび２５位のプロリンがアラニンによって置換されたヒトＯＰＧのアミノ酸２２ないし４０１をコードするＤＮＡ配列を以下のごとくに構築した。合成オリゴ＃１２８９−８４および１２８９−８５をアニールして、ＸｂａＩおよびＫｐｎＩ粘着末端を持つオリゴリンカーデュプレックスを形成させた。合成リンカーデュプレックスは最適なイー・コリのコドンを利用し、Ｎ−末端メチオニンをコードする。また、該リンカーは元の配列には存在していなかったＳｐｅＩ制限部位を含んでいた。標準的な方法を用い、該リンカーデュプレックスをｐＡＭＧ２１−ｈｕＯＰＧ−２２−４０１におけるＸｂａＩおよびＫｐｎＩ部位の間に方向付けて挿入した。連結混合物を形質転換によってイー・コリ宿主ＧＭ２２１に導入した。クローンをまず組換え蛋白質の産生につきスクリーニングした。プラスミドＤＮＡを陽性クローンから単離し、ＤＮＡ配列決定を行って、ＨｕＯＰＧ−Ｍｅｔ［２２−４０１］（Ｐ２５Ａ）遺伝子のＤＮＡ配列を確認した。以下のオリゴヌクレオチドを用いてＸｂａＩ−ＫｐｎＩリンカーを生成させた。
0004657388.tif 000070
Ｘ．ヒトＯＰＧ  ｍｅｔ［２２−４０１］（Ｐ２６Ａ）および（Ｐ２６Ｄ）
原核生物発現ベクターｐＡＭＧ２１中のｌｕｘ  ＰRプロモーターの制御下にある、Ｎ−末端メチオニンおよび２６位のプロリンがアラニンによって置換されたヒトＯＰＧのアミノ酸２２ないし４０１をコードするＤＮＡ配列を以下のごとくに構築した。合成オリゴ＃１２８９−８６および１２８９−８７をアニールして、ＸｂａＩおよびＳｐｅＩ粘着末端を持つオリゴリンカーデュプレックスを形成させた。合成リンカーデュプレックスは最適なイー・コリのコドンを利用し、Ｎ−末端メチオニンをコードした。標準的な方法を用い、該リンカーデュプレックスをｐＡＭＧ２１−ｈｕＯＰＧ［２２−４０１］におけるＸｂａＩおよびＳｐｅＩ部位の間に方向付けて挿入した。連結混合物を形質転換によってイー・コリ宿主ＧＭ２２１に導入した。クローンをまず組換え蛋白質の産生につきスクリーニングした。プラスミドＤＮＡを陽性クローンから単離し、ＤＮＡ配列決定を行って、ｈｕＯＰＧ−ｍｅｔ［２２−４０１］（Ｐ２６Ａ）遺伝子のＤＮＡ配列を確認した。配列決定したクローンのうちの１つは、２６位のプロリンがアラニンではなくむしろアスパラギン酸によって置換されていることが判明し、このクローンをｈｕＯＰＧ−ｍｅｔ［２２−４０１］（Ｐ２６Ｄ）と命名した。以下のオリゴヌクレオチドを用いてＸｂａＩ−ＳｐｅＩリンカーを生成させた。
0004657388.tif 000071
Ｙ．ヒトＯＰＧ  ｍｅｔ［２２−１９４］（Ｐ２５Ａ）
原核生物発現ベクターｐＡＭＧ２１中のｌｕｘ  ＰRプロモーターの制御下にある、Ｎ−末端メチオニンおよび２５位のプロリンがアラニンによって置換されたヒトＯＰＧのアミノ酸２２ないし１９４につきコードするＤＮＡ配列を以下のごとくに構築した。プラスミドｐＡＭＧ２１−ｈｕＯＰＧ［２７−１９４］およびｐＡＭＧ２１−ｈｕＯＰＧ［２２−４０１］（Ｐ２５Ａ）を、各々、ＫｐｎＩおよびＢａｍＨＩエンドヌクレアーゼで消化した。４５０ｂｐ断片をｐＡＭＧ２１−［２７−４０１］から単離し、６．１ｋｂｐ断片をｐＡＭＧ２１−ｈｕＯＰＧ［２２−４０１］（Ｐ２５Ａ）から単離した。これらの断片を一緒に連結し、形質転換によってイー・コリ宿主ＧＭ２２１に導入した。クローンをまず組換え蛋白質の産生につきスクリーニングした。プラスミドＤＮＡを陽性クローンから単離し、ＤＮＡ配列決定を行って、ｈｕＯＰＧ−Ｍｅｔ［２２−１９４］（Ｐ２５Ａ）遺伝子のＤＮＡ配列を確認した。
実施例９
ＯＰＧモノマーの会合
ｍｕＯＰＧ［２２−４０１］を過剰発現するように設計されたＣＨＯ細胞を用いて、ウサギ抗−ＯＰＧポリクローニル抗体を用い、分泌された組換えＯＰＧの分析用の馴化培地を得た。馴化培地のアリコットを２０−倍濃縮し、次いで、還元性および非還元性ＳＤＳ−ＰＡＧＥによって分析した（図１５）。還元性条件下では、蛋白質は、成熟蛋白質がその１以上のコンセンサスＮ−結合糖鎖付加部位において糖鎖付加されているであろう予測されるがごとくに、Ｍｒ５０−５５ｋｄポリペプチドとして移動した。驚くべきことに、同試料を非還元性ＳＤＳ−ＰＡＧＥによって分析すると、大部分の蛋白質はほぼ１００ｋｄポリペプチド（還元された蛋白質のサイズの２倍）として移動した。加えて、少量のＭｒ５０−５５ｋｄポリペプチドがあった。ＳＤＳ−ＰＡＧＥでの移動のこのパターンは、ＯＰＧ産物は遊離スルフヒドリル基の酸化を介してダイマーを形成しているという認識と合致した。
予測された成熟ＯＰＧポリペプチドは２３個のシステイン残基を含み、そのうち１８個が、４つのシステイン−リッチのドメインよりなる鎖内ジスルフィド架橋の形成に関与すると予測された（図１２Ａ）。５つの残りのＣ−末端システイン残基は、他のＴＮＲＦファミリーメンバーとの相同性に基づいて予測できる第２次構造に関与しない。総じて、正味の一様でない数のシステイン残基があり、形式的には、少なくとも１つの残基は遊離していて、２つのＯＰＧモノマーの間で分子間ジスルフィド結合を形成する可能性がある。
ＯＰＧ動性およびモノマー会合のパターンの解明を助けるために、パルス−追跡標識実験を行った。35Ｓメチオニンおよびシステインを含有する無血清培地中、ｍｕＯＰＧ［２２−４０１］を発現するＣＨＯ細胞を前記したごとく３０分間代謝的に標識した。この時間の後、培地を取り出し、未標識メチオニンおよびシステインを放射性アミノ酸の元の濃度に対してほぼ２，０００−倍過剰のレベルにて含有する完全培地で取り替えた。添加後３０分、１時間、２時間、４時間、６時間および１２時間において、馴化培地を取り出して培養物を収穫し、馴化培地の溶解物および接着性単層を調製した。培地および細胞溶解物を前記したごとくに清澄化し、次いで、前記したごとくに抗−ＯＰＧ抗体を用いて免疫沈降させた。免疫沈降物を洗浄した後、非還元性ＳＤＳ−ＰＡＧＥ緩衝液中で沸騰させることによってそれらを遊離させ、次いで２つの等しい半分物に分けた。１つの半分物に還元剤β−メルカプトエタノールを５％（ｖ／ｖ）最終濃度まで添加し、他方、他の半分物を非還元性条件に維持した。両セットの免疫沈降物を前記したごとくにＳＤＳ−ＰＡＧＥによって分析し、次いで、オートラジオグラフィー用に加工し、フィルムに暴露した。結果を図１６に示す。還元性ＳＤＳ−ＰＡＧＥによって分析した試料を底部の２つのパネルに示す。合成の後、ＯＰＧポリペプチドをわずかにより大きいポリペプチド（これは、恐らくはＮ−結合糖鎖付加による修飾を表す）へと迅速に加工処理された。ほぼ１−２時間後、細胞中のＯＰＧのレベルは劇的に低下し、同時に培養上清に出現する。これは経時的な細胞から培地へのＯＰＧの定方向的輸送の結果であると考えられ、ＯＰＧが天然では分泌蛋白質であるという認識と合致する。非還元条件下での同免疫沈降物の分析により、ＯＰＧダイマーの形成と馴化培地への分泌との間の関係がわかる（図１６、上方パネル）。最初の３０−６０分において、ＯＰＧモノマーは、明らかな糖鎖付加によって細胞中で加工され、続いてダイマーが形成される。時間が経つと、大量のＯＰＧモノマーがダイマーへと誘導され、これは引き続いて細胞から消失する。合成後約６０分から始まり、ＯＰＧダイマーが馴化培地に出現し、実験の継続中にわたって蓄積する。この時期の後、ＯＰＧダイマーが形成され、これは次いで培養培地中に分泌される。全経過でＯＰＧモノマーは細胞内で低レベルのままでおり、また、少量が培地中に出現する。これは共有結合ＯＰＧの分解の結果のようには見えず、むしろ、細胞中での化学量的の量のモノマーの産生および引き続いての分泌の結果のようである。
トランスフェクトされたＣＨＯ細胞から組換えにより産生されたＯＰＧは圧倒的にダイマーのようである。二量体化がＯＰＧ合成における天然のプロセスであるか否かを判断するために、本発明者らは、天然でＯＰＧを発現することが見い出されている細胞系の馴化培地を分析した。ＣＴＬＬ−２細胞、ネズミ細胞傷害性Ｔリンパ球細胞系（ＡＴＣＣ受託番号ＴＩＢ−２１４）は組織および細胞系ＲＮＡのスクリーニングにおいてＯＰＧ  ｍＲＮＡを発現することが判明した。ＯＰＧ転写体は腎臓から同定されたクローン化され配列決定された２．５−３．０ｋｂ  ＲＮＡと同一であることが判明し、また、分泌される分子をコードすることが判明した。ＣＴＬＬ−２細胞から得られた馴化培地のウェスタンブロット分析は、全てではないにせよ、分析されたＯＰＧ蛋白質のほとんどはダイマーであることを示す（図１７）。これはＯＰＧの二量体化および分泌が細胞系における過剰発現の人工的なものではなく、発現細胞によってそれが産生されるごとく、産物の主要な形態であるらしいことを示唆する。
正常およびトランスジェニックマウスの組織および血清を分析して、ＯＰＧトランスジェニックマウスで発現されたＯＰＧ分子の性質を決定した。ラットＯＰＧ  ｃＤＮＡは肝細胞制御エレメントの制御下で発現されたので、非還元性条件下で対照およびトランスジェニックマウスの異常発育組織から作成された抽出物を分析した（図１８）。対照マウスからではなくトランスジェニックマウスからの抽出物において、化学量論的量のモノマーと共にＯＰＧダイマーが容易に検出される。ＯＰＧダイマーおよびモノマーは遺伝子工学により作成されたＣＨＯ細胞で発現された組換えネズミ蛋白質と同一のようである。これは、ＯＰＧダイマーが、事実、遺伝子産物の天然形態であって、鍵となる活性成分であることを強く示唆する。対照およびトランズジェニックマウスから得られた血清試料を同様にウェスタンブロット分析によって分析した。対照マウスにおいて、大部分のＯＰＧ蛋白質はダイマーとして移動し、他方、少量のモノマーも検出される。加えて、有意量のより大きいＯＰＧ関連蛋白質が検出され、これは共有結合トリマーの予測されるサイズと一致する相対的分子量にて移動する。かくして、組換えＯＰＧはＯＰＧトランスジェニックマウスにおいて、圧倒的にダイマー蛋白質として発現され、ダイマー形態はＯＰＧマウスにおける大理石骨病表現型に対する基礎となるであろう。また、ＯＰＧ組換え蛋白質はより高分子量の「トリマー」形態でも存在し得る。
ＯＰＧの５つのＣ−末端システイン残基がホモダイマー化において役割を演じるか否かを判断するために、前記したＱｉｏｃｋＣｈａｎｇｅTM部位特異的突然変異誘発キット（Ｓｔｒａｔａｇｅｎｅ，Ｓａｎ  Ｄｉｅｇｏ，ＣＡ）を用い、システイン残基１９５（Ｃ１９５）、Ｃ２０２、Ｃ２７７、Ｃ３１９、およびＣ４００に対するネズミＯＰＧコドンをセリンに変化させた。ｍｕＯＰＧ遺伝子をｐｃＤＮＡ３．１（＋）ベクター（Ｉｎｖｉｔｒｏｇｅｎ，Ｓａｎ  Ｄｉｅｇｏ，ＣＡ）のＮｏｔＩおよびＸｂａＩ部位の間にサブクローンした。得られたプラスミド、ｐｃＤＮＡ３．１−ｍｕＯＰＧ、および突然変異原性プライマーをデオキシヌクレオチドの存在下でＰｆｕポリメラーゼで処理し、次いで、前記したごとくサーモサクラーで増幅した。次いで、反応のアリコットを熱ショックによってコンピテント・イー・コリＸＬ１−Ｂｌｕｅにトランスフェクトし、次いで、平板培養した。次いで、トランスフェクタントからのプラスミドＤＮＡを配列決定して突然変異を確認した。
以下のプライマー対を用いて、ネズミＯＰＧ遺伝子のコドンをシステイン残基１９５からセリンに変化させ、その結果、ｍｕＯＰＧ［２２−４０１］Ｃ１９５Ｓ蛋白質が産生した。
0004657388.tif 000072
以下のプライマー対を用いて、ネズミＯＰＧ遺伝子のコドンをシステイン残基２０２からセリンに変化させ、ｍｕＯＰＧ［２２−４０１］Ｃ２０２Ｓ蛋白質が産生した。
0004657388.tif 000073
以下のプライマー対を用いて、ネズミＯＰＧ遺伝子のコドンをシステイン残基２７７からセリンに変化させ、ｍｕＯＰＧ［２２−４０１］Ｃ２７７Ｓ蛋白質が産生した。
0004657388.tif 000074
以下のプライマー対を用いて、ネズミＯＰＧ遺伝子のコドンをシステイン残基３１９からセリンに変化させ、ｍｕＯＰＧ［２２−４０１］Ｃ３１９Ｓ蛋白質が産生した。
0004657388.tif 000075
以下のプライマー対を用いて、ネズミＯＰＧ遺伝子のコドンをシステイン残基４００からセリンに変化させ、ｍｕＯＰＧ［２２−４０１］Ｃ４００Ｓ蛋白質が産生した。
0004657388.tif 000076
次いで、適当な突然変異を含有する各得られたｍｕＯＰＧ［２２−４０１］プラスミドをヒト２９３細胞にトランスフェクトし、突然変異体ＯＰＧ−Ｆｃ融合蛋白質を前記したごとくに馴化培地から精製した。各蛋白質の生物学的活性を実施例１１に記載したごとくにイン・ビトロ破骨細胞形成アッセイで評価した。各トランスフェクタントからの馴化培地を非還元性ＳＤＳ−ＰＡＧＥおよび抗−ＯＰＧ抗体を用いるウェスタンブロッティングによって分析した。
５つのＣ−末端システイン残基のいずれの突然変異も、その結果、圧倒的な（＞９０％）モノマー５５ｋｄＯＰＧ分子の産生となった。これは、Ｃ−末端システイン残基が一緒になってＯＰＧホモダイマー化で役割を演じていることを強く示唆する。
ＯＰＧホモダイマー化に重要なＯＰＧ  Ｃ−末端ドメインの領域をマップするために、Ｃ−末端ＯＰＧ欠失突然変異体を構築した。これらのＯＰＧ突然変異体は、未成熟停止翻訳シグナルをネズミＯＰＧのＣ−末端領域に導入するプライマーを用い、ＰＣＲ増幅によって構築した。５’オリゴはＭｕＯＰＧ開始コドン（ＨｉｎｄＩＩＩ制限部位）に対して設計し、３’オリゴヌクレオチド（停止コドンおよびＸｈｏＩ部位を含有）は、トレオニン残基２００（ＣＴ２００）、プロリン２１２（ＣＴ２１２）、グルタミン酸２９３（ＣＴ−２０９）、またはセリン３５５（ＣＴ−３５５）いずれかにおいて終わるｍｕＯＰＧのＣ−末端領域切形（trancate）となるように設計した。
以下のプライマーを用いて、ｍｕＯＰＧｉ［２２−２００］を構築した。
0004657388.tif 000077
以下のプライマーを用いて、ｍｕＯＰＧ［２２−２１２］を構築した。
0004657388.tif 000078
以下のプライマーを用いて、ｍｕＯＰＧ［２２−２９３］を構築した。
0004657388.tif 000079
以下のプライマーを用いて、ｍｕＯＰＧ［２２−３５５］を構築した。
0004657388.tif 000080
次いで、適切な切形を含有する各得られたｍｕＯＰＧ−ＣＴプラスミドをヒト２９３細胞にトランスフェクトし、突然変異体ＯＰＧ−Ｆｃ融合蛋白質を前記したごとくに馴化培地から精製した。各蛋白質の生物学的活性を実施例１１に記載したイン・ビトロ破骨細胞形成アッセイで評価した。また、非還元性ＳＤＳ−ＰＡＧＥおよび抗−ＯＰＧ抗体を用いるウェスタンブロッティングによって馴化培地を分析した。
ＯＰＧのＣ−末端領域の切形（trancation）はホモダイマーを形成するＯＰＧの能力に影響する。ＣＴ３５５は圧倒的にモノマーであるが、いくらかのダイマーが形成される。ＣＴ２９３は等モル量のモノマーおよびダイマーであるように見えるものを形成し、また、高分子量が集合する。しかしながら、ＣＴ２１２およびＣＴ２００はモノマーである。
実施例１０
ＯＰＧの精製
Ａ．哺乳動物ＯＰＧ−Ｆｃ融合蛋白質の精製
ＯＰＧ−Ｆｃ融合蛋白質を発現する２９３細胞からの馴化培地５Ｌを以下のごとくに調製した。細胞の凍結試料を１０ｍｌの２９３Ｓ培地（ＤＭＥＭ−高グルコース、１×Ｌ−グルタミン、１０％加熱不活化胎児ウシ血清（ＦＡＢ）および１００μｇ／ｍｌヒグロマイシン）に解凍し、１日後に新鮮な培地を供給した。３日後、細胞を１：１０および１：２０希釈にて、２つのＴ１７５フラスコに分けた。２つのさらなる１：１０分割を行って、２００のＴ１７５フラスコにスケールアップした。細胞はこの時点で解凍の５日後であった。細胞をほとんど密集まで増殖させ（約３日）、その時点で血清含有培地を吸引し、細胞をフラスコ当たり２５ｍｌのＰＢＳで１回洗浄し、２５ｍｌのＳＦ培地（ＤＭＥＭ−高グルコース、１×Ｌ−グルタミン）を各フラスコに添加した。細胞を３日間、５％ＣＯ2中に維持し、その時点で培地を収穫し、遠心し、０．２５ｍ硝酸セルロースフィルター（Ｃｏｒｎｉｎｇ）を通して濾過した。
ＰＢＳ中で平衡化させたプロテインＧ  Ｓｅｐｈａｒｏｓｅカラム（Ｐｈａｒｍａｃｉａ）を用い、ＯＰＧ−Ｆｃ融合蛋白質を精製した。カラムサイズは出発培地の容量に応じて変化させた。前記したごとくに調製した馴化培地を該カラムに負荷し、カラムをＰＢＳで洗浄し、１００ｍＭグリシン、ｐＨ２．７を用いて純粋な蛋白質を溶出させた。１ＭトリスｐＨ９．２を含有する試験管に画分を収集して、出来る限り素早く中和した。蛋白質含有画分をプールし、Ａｍｉｃｏｎ  ＣｅｎｔｒｉｃｏｎまたはＣｅｎｔｒｉｐｒｅｐ１０いずれかで濃縮し、ＰＢＳに透析濾過した。純粋な蛋白質を−８０℃で保存した。
ネズミ［２２−４０１］−Ｆｃ、ネズミ［２２−１８０］−Ｆｃ、ネズミ［２２−１９４］−Ｆｃ、ヒト［２２−４０１］−Ｆｃおよびヒト［２２−２０１］−Ｆｃをこの手法によって精製した。ネズミ［２２−１８５］−Ｆｃはこの手法によって精製される。
Ｂ．抗−ＯＰＧ抗体の調製
３匹のＮｅｗ  Ｚｅａｌａｎｄ  Ｗｈｉｔｅウサギ（初期体重５−８  ｌｂｓ）にｍｕＯＰＧ［２２−４０１］−Ｆｃ融合蛋白質を皮下注射した。等容量のフロイントの完全アジュバント中に乳化した５０μｇ抗原で各ウサギを第１日に免疫化した。フロイントの不完全アジュバントで置き換えて、同一手法によって、さらにブースト（第１４日および２８日）注射を行った。抗体の力価をＥＩＡによってモニターした。第２ブーストの後、抗血清は高抗体力価を示し、２５ｍｌの生じた血液を各動物から得た。該血清を、まず、ネズミＯＰＧ−Ｆｃを固定化したアフィニティーカラムに通した。抗−ＯＰＧ抗体を、１％氷酢酸を含有するＰｉｅｒｃｅ温和溶出緩衝液（Ｇｅｎｔｌｅ  Ｅｌｕｔｉｏｎ  Ｂｕｆｆｅｒ）で溶出させた。次いで、溶出した蛋白質をＰＢＳに透析し、Ｆｃカラムに通して、ＯＰＧ融合蛋白質のＦｃ部分に対して特異的ないずれの抗体も除去した。抗−ＯＰＧ特異的抗体を含有する画分を通じての実験物をＰＢＳに透析した。
Ｃ．ネズミＯＰＧ［２２−４０１］の精製
抗体アフィニティークロマトグラフィー
アフィニティー精製した抗−ＯＰＧ抗体をカップリング緩衝液（０．１Ｍ炭酸ナトリウム、ｐＨ８．３、０．５Ｍ  ＮａＣｌ）に透析濾過し、室温にて２時間、ＣＮＢｒ−活性化セフアロースビーズ（Ｐｈａｒｍａｃｉａ）と混合した。次いで、１９Ｍエタノールアミン（ｐＨ８．０）で未カップリング部位をブロックする前に、室温にて樹脂をカップリング緩衝液で十分に２時間洗浄した。次いで、樹脂を低ｐＨ（０．１Ｍ酢酸ナトリウム、ｐＨ４．０、０．５Ｍ  ＮａＣｌ）、続いて高ｐＨ洗液（０．１Ｍ  トリス−ＨＣｌ、ｐＨ８．０、０．５Ｍ  ＮａＣｌ）で洗浄した。最後の洗浄を３回反復した。カラムに充填する前に、樹脂を最後にＰＢＳで平衡化させた。充填後一度、樹脂をＰＢＳで洗浄した。０．１Ｍ  グリシン−ＨＣｌ（ｐＨ２．５）でブランク溶出を行い、続いてＰＢＳで再平衡化させた。
ｍｕＯＰＧ［２２−４１０］を発現するＣＨＯ細胞からの濃縮された馴化培地を低液速でカラムに適用した。２８０ｎｍで測定したＵＶ吸収がベースラインに復帰するまでカラムをＰＢＳで洗浄した。蛋白質をまず０．１Ｍグリシン−ＨＣｌ（ｐＨ２．５）でカラムから溶出させ、ＰＢＳで再平衡化させ、第２緩衝液（０．１Ｍ  ＣＡＰＳ、ｐＨ１０．５、１Ｍ  ＮａＣｌ）で溶出させた。２回の溶出プールを別々にＰＢＳに透析濾過し、−２０℃で凍結する前に滅菌濾過した。
通常のクロマトグラフィー
ＣＨＯ細胞馴化培地をＡｍｉｃｏｎラセン巻カートリッジ（Ｓ１０Ｙ１０）にて２３×に濃縮し、２０ｍＭトリスｐＨ８．０に透析濾過した。次いで、透析濾過した培地を、２０ｍＭトリスｐＨ８．０で平衡化してあるＱ−セファロースＨ（Ｐｈａｒｍａｃｉａ）カラムに適用した。次いで、カラムを２８０ｎｍにおける吸収がベースラインに到達するまで洗浄した。蛋白質を２０カラム容量のトリスｐＨ８．０中の０−３００ｍＭ  ＮａＣｌグラジエントで溶出させた。カラム画分のウェスタンブロットを用いてＯＰＧ蛋白質を検出した。
ＯＰＧを含有する画分をプールし、３００ｍＭ  ＮａＣｌ、０．２ｍＭ  ＤＴＴの最終濃度に持って行った。ＮｉＮＴＡスーパーローズ（Ｑｉａｇｅｎ）カラムを２０ｍＭトリスｐＨ８．０、３００ｍＭ  ＮａＣｌ、０．２ｍＭ  ＤＴＴで平衡化させ、しかる後、プールして画分を適用した。ベースライン吸収に到達するまで、カラムを平衡化緩衝液で洗浄した。平衡化緩衝液中の０−３０ｍＭイミダゾールグラジエントで蛋白質をカラムから溶出させた。残存する蛋白質を１Ｍイミダゾールでカラムから洗い出した。再度、ウェスタンブロットを用いてＯＰＧ含有画分を検出した。
ＮｉＮＴＡカラムからのプールした画分を１０ｍｍ  リン酸カリウムｐＨ７．０、０．２ｍＭ  ＤＴＴに透析した。次いで、透析したプールを、１０ｍＭリン酸緩衝液で平衡化させてあるセラミックヒドロキシアパタイトカラム（Ｂｉｏ−Ｒａｄ）に適用した。カラム洗浄の後、２０カラム容量にわたって１０−１００ｍＭリン酸カリウムグラジエントで蛋白質を溶出させた。これに続いて、２０カラム容量の１００−４００ｍＭリン酸塩のグラジエントを行った。
ＳＤＳ−ポリアクリルアミドゲルのクーマシーブルー染色によっておよびウエスタンブロッティングによってＯＰＧを検出した。画分をプールし、ＰＢＳに透析濾過し、−８０℃で凍結させた。精製した蛋白質はモノマーとして泳動し、ＰＢＳへの透析濾過後でもそのままであろう。モノマーは４℃でｐＨ５にて凍結保存した場合にも安定である。しかしながら、もしＰＢＳ中、４℃で保存すると、ダイマーならびにトリマーおよびテトラマーであるらしいものが１週間後に形成されるであろう。
Ｄ．イー・コリからのヒトＯＰＧ  ｍｅｔ［２２−４０１］の精製
５℃にて低剪断ホモゲナイザーを用い、細菌細胞ペーストを１５％（ｗ／ｖ）の濃度になるように１０ｍＭ  ＥＤＴＡに懸濁させた。次いで、各５℃で１５，０００ｐｓｉにての２回のホモゲナイズ化によって細胞を破壊した。得られたホモゲネートを５℃にて５，０００×ｇで１時間遠心した。遠心ペレットを、元のホモゲナイズ化容量の水への低剪断ホモゲナイズ化によって洗浄し、続いて前記したごとくに遠心した。次いで、雰囲気温度にて、洗浄したペレットを、６Ｍ塩酸グアニジン、１０ｍＭジチオスレイトール、１０ｍＭ  トリスＨＣｌ、ｐＨ８．５の溶液（最終濃度）によって１５％（ｗ／ｖ）まで３０分間で可溶化した。この溶液を、５０ｍＭ  ＣＡＰＳ、ｐＨ１０．５、１ｍＭ還元型グルタチオンを含有する２Ｍ尿素に３０倍希釈し、次いで、５℃で７２時間撹拌した。まず酢酸でｐＨ４．５に調整し、次いで２５ｍＭ酢酸ナトリウム、ｐＨ４．５で平衡化させたＳＰ−ＨＰＳｅｐｈａｒｏｓｅ樹脂のカラムでのクロマトグラフィーに付すことによってＯＰＧを２５℃でこの溶液から精製した。カラム溶出は、０．１カラム容量／分の液速にて２０カラム容量を用い、同緩衝液中５０ｍＭないし５５０ｍＭの塩化ナトリウムの直線グラジエントで行った。所望のＯＰＧ形態のみを含有するピーク画分をプールし、５℃で保存するか、あるいは緩衝液をリン酸緩衝化生理食塩水に交換し、限外濾過によって濃縮し、次いで５℃で保存した。この物質を、逆相ＨＰＬＣ、ＳＤＳ−ＰＡＧＥ、エンドトキシンの存在についてのカブトガニ遊走細胞溶解物アッセイ、およびＮ−末端配列決定によって分析した。加えて、質量分析、ｐＨ／温度安定性、蛍光、円二色性、示差走査熱分析、およびプロテアーゼプロフィリングアッセイのごとき技術を用いて蛋白質の折り畳まれた特性を調べることもできる。
実施例１１
組換えＯＰＧの生物学的活性
組織学および組織形態学に基づくと、トランスジェニックマウスにおけるＯＰＧの肝臓での過剰発現は破骨細胞の数を顕著に減少させ、骨組織の顕著な増加に至るようであった（実施例４参照）。このイン・ビボ効果の基礎となる可能なメカニズムへのさらなる洞察を得るために、種々の形態の組換えＯＰＧを、破骨細胞形成のイン・ビトロ培養モデル（破骨細胞形成アッセイ）でテストした。この培養系は元々Ｕｄａｇａｗａ（Ｕｓａｇａｗａら，Ｅｎｄｏｃｒｉｎｏｌｏｇｙ  １２５，１８０５−１８１３（１９８９），Ｐｒｏｃ．Ｎａｔｌ．Ａｃａｄ．Ｓｃｉ．ＵＳＡ  ８７，７２６０−７２６４（１９９０））によって考案されたもので、骨髄細胞および骨髄支質細胞系からの細胞の組合せを使用する。これらの実験で使用した培養系の修飾の記載は従前に公開されている（Ｌａｃｅｙら，Ｅｎｄｏｃｒｉｎｏｌｏｇｙ  １３６，２３６７−２３７６（１９９５））。この方法においては、マウスからの大腿骨および脛骨から満たした骨髄細胞を、５００Ｕ／ｍｌ  ＣＳＦ−１（コロニー刺激因子１、Ｍ−ＣＳＦとも呼ばれる）、単球／マクロファージファミリー系統の細胞に対して特異的な造血成長因子を補足した、培養培地（１０％の加熱不活化胎児ウシ血清を含むアルファＭＥＭ）中で一晩培養する。このインキュベーションに続き、非接着性細胞を収集し、グラジエント精製に付し、次いで、骨髄細胞系ＳＴ２からの細胞と共培養する（１×１０6非接着性細胞：１×１０5  ＳＴ２細胞／ｍｌ培地）。デキサメタゾン（１００ｎＭ）および１，２５ジヒドロキシビタミンＤ３としても知られているビタミンＤ３の生物学的に活性な代謝産物（１，２５（ＯＨ）2  Ｄ３，１０ｎＭ）を培地に補足する。破骨細胞の出現を増強するために、プロスタグランジンＥ２（２５０ｎＭ）をいくつかの培養に添加する。共培養期間は通常８−１０日の範囲であり、新たに添加した全ての補足物と共に培地を３−４日毎に新しくする。種々の間隔で、組織化学染色（Ｓｉｇｍａ  キット番号３８７Ａ，Ｓｉｇｍａ，Ｓｔ．  Ｌｏｕｉｓ，ＭＯ）またはＴＲＡＰ溶液アッセイいずれかを用い、培養を、酒石酸酸性ホスファターゼ（ＴＲＡＰ）の存在につき評価する。このＴＲＡＰ組織化学方法により、ＴＲＡＰ＋であり多核化された（≧３核）細胞である破骨細胞の表現型を同定できる。溶液アッセイは、０．１％トリトンＸ−１００を含有するクエン酸緩衝液（１００ｍＭ、ｐＨ５．０）中で破骨細胞含有培養物を溶解することを含む。次いで、室温で３−５分間のインキュベーションの間に起こる、８０ｍＭ酒石酸ナトリウムの存在下におけるｐ−ニトロフェニルホスフェート（２０ｎＭ）からｐ−ニトロフェノールへの変換に基づいて、酒石酸耐性酸性ホスファターゼ活性を測定する。０．５Ｍの最終濃度までＮａＯＨを添加することによって反応を終了させる。４０５ｎｍにおける光学密度を測定し、結果をプロットする。
破骨細胞形成アッセイを用いる従前の研究（Ｕｄａｇａｗａら，前掲）は、これらの細胞は、125Ｉ−カルシトニン（オートラジオグラフィー）に対する受容体を発現し、骨表面に小窩を作ることができ、これをＴＲＡＰ陽性性と組み合わせると、多核化細胞は破骨細胞表現型を有することが確認されることを、示している。破骨細胞形成アッセイにおいてイン・ビトロで生起する多核化細胞の破骨細胞表現型を支持するさらなる証拠は、免疫組織化学法によりαｖおよびβ３インテグリンをならびにイン・サイチュ・ハイブリダイゼーション（ＩＳＨ）によりカルシトニン受容体およびＴＲＡＰ  ｍＲＮＡを発現するということである。
ｈｕＯＰＧ［２２−４０１］−Ｆｃ融合をＣＨＯ細胞馴化培地から精製し、引き続いて破骨細胞形成アッセイに用いた。ｈｕＯＰＧ［２２−４０１］−Ｆｃの１００ｎｇ／ｍｌで、破骨細胞形成は実質的に１００％阻害された（図１９Ａ）。マイクロタイタープレートウェル中の溶解した培養物で測定されたＴＲＡＰのレベルもＯＰＧの存在下で阻害され、ＩＤ50はほぼ３ｎｇ／ｍｌであった（図２０）。溶解物におけるＴＲＡＰ活性のレベルはＴＲＡＰ細胞化学法によって観察された破骨細胞の相対数と相関しているようであった（図１９Ａ−１９Ｇおよび２０を比較されたし）。また、精製されたヒトＩｇＧ１およびＴＮＦｂｐは、このモデルでテストしたところ、阻害もしくは刺激効果を有しないことが判明し、ｈｕＯＰＧ［２２−４０１］−Ｆｃの阻害効果は融合蛋白質のＯＰＧ部分によるものであることが示唆された。さらなる形態のヒトおよびネズミ分子をテストし、蓄積されたデータを表１にまとめる。
0004657388.tif 000081
蓄積されたデータは、Ｆｃドメインに融合させた場合または融合させなかった場合、ネズミおよびヒトＯＰＧアミノ酸配列２２−４０１はイン・ビトロで十分活性であることを示す。それらは用量依存的に阻害し、２−１０ｎｇ／ｍｌ範囲の半最大活性を保有する。トレオニン残基１８０におけるネズミＣ−末端の切形は分子を不活化させ、他方、システイン１８５におけるおよびそれを越えての切形は十分な活性を有する。１８５位に位置するシステイン残基はＯＰＧのドメイン４領域においてＳＳ３結合を形成すると予測される。他のＴＮＲＦ−関連蛋白質におけるこの残基の除去は、生物学的活性を阻害することが従前に示されている（Ｙａｎら，Ｊ．Ｂｉｏｌ．Ｃｈｅｍ．２６６，１２０９９−１２１０４（１９９４））。ｍｕＯＰＧ［２２−１８０］−Ｆｃは不活性であるが、ｍｕＯＰＧ［２２−１８５］−Ｆｃは活性であるとする１つの知見は、これらの知見と一致する。これは、アミノ酸残基２２−１８５はＯＰＧ活性についての領域を規定することを示唆する。
これらの知見は、トランスジェニカルに発現されたＯＰＧと同様に、組換えＯＰＧ蛋白質も破骨細胞形成アッセイでテストしたときに破骨細胞形成を抑制することを示す。ＯＰＧに連続的に暴露された培養物におけるＴＲＡＰ＋細胞、β３＋細胞、Ｆ４８０＋細胞の出現を調べる経時的実験は、ＯＰＧがＴＲＡＰ＋およびβ３＋細胞の出現を阻止するが、Ｆ４８０＋細胞の出現は阻止しないことを示す。対照的に、ＴＲＡＰ＋およびβ３＋細胞は対照培養において培養樹立後４日のように早くに出現し始める。Ｆ４８０＋細胞のみがＯＰＧ−処理培養で見い出すことができ、それは質的に対照培養と同数で存在するようである。かくして、イン・ビトロにおけるＯＰＧ効果のメカニズムは、単球−マクロファージの出現以後ＴＲＡＰもしくはβ３インテグリンいずれかを発現する細胞の出現以前において、破骨細胞分化の阻止を含むようである。総括的に、これらの知見は、ＯＰＧが骨髄からの単球−マクロファージ前駆体の一般的増殖および分化に干渉しなく、むしろ単球−マクロファージ前駆体からの破骨細胞の選択的分化を特異的に阻止することを、示唆する。
破骨細胞分化経路においていつＯＰＧが阻害的であるかをより厳密に決定するために、イン・ビトロ培養方法の変形法を用いた。Ｌａｃｅｙら（前掲）に記載されているこの変形法は破骨細胞前駆体として骨髄マクロファージを使用する。ＣＳＦ−１／Ｍ−ＣＳＦ中で一晩インキュベーションを行った後、非接着性骨髄細胞を採取し、１，０００〜２，０００Ｕ／ｍｌ  ＣＳＦ−１にてさらに４日間細胞を培養することによって破骨細胞前駆体を誘導する。増殖相と呼ばれる４日の培養の後、非接着細胞を除去する。次いで、骨髄マクロファージである接着性細胞を、２日までの間、１，０００−２，０００Ｕ／ｍｌ  ＣＳＦ−１の存在下で、種々の処理に暴露することができる。この２日の期間は中間分化期間と呼ばれる。しかる後、細胞溶解物を再度すすぎ、次いで、終末分化期間と呼ばれる最後の８日間に、ＳＴ−２細胞（１×１０5細胞／ｍｌ）、デキサメタゾン（１００ｎＭ）および１，２５（ＯＨ）2  Ｄ３（１０ｎＭ）を添加する。テスト剤を同様にこの終末期間に添加することができる。破骨細胞の表現型マーカーの獲得がその終末期間の間に獲得される（Ｌａｃｅｙら，前掲）。
ｈｕＯＰＧ［２２−４０１］−Ｆｃ（１００ｎｇ／ｍｌ）を、それを中間、終末期間いずれか、あるいは別法として両分化期間に添加することによって、このモデルにおける破骨細胞形成に対する効果につきテストした。ＴＲＡＰ細胞化学法および溶液アッセイ双方を行った。溶液アッセイの結果を図２１に示す。ｈｕＯＰＧ［２２−４０１］−Ｆｃは、中間および終末双方、または終末分化相のみに添加した場合に、ＴＲＡＰ活性の出現を阻害した。中間相に添加し、次いですすぐことによって培養から除去した場合には、ｈｕＯＰＧ［２２−４０１］−Ｆｃは培養溶解物においてＴＲＡＰ活性の出現を阻止しなかった。細胞化学法の結果は溶液アッセイデータと足並みをそろえている。総括的には、これらの観察は、ｈｕＯＰＧ［２２−４０１］−Ｆｃに破骨細胞形成への抑制効果の全てを発揮させるには、終末分化期間に存在させる必要があるのみであることを示す。
Ｂ．イン・ビボＩＬ１−αおよびＩＬ１−β攻撃（challenge）実験
ＩＬ１は、マウスの頭蓋冠に皮下注射すると、全身的および局所的双方にて骨吸収を増大させる（Ｂｏｙｃｅら，Ｅｎｄｏｃｒｉｎｏｌｏｇｙ  １２５，１１４２−１１５０（１９８９））。全身効果は、高カルシウム血症の程度によって評価でき、局所的効果は破骨細胞−媒介応答の相対的大きさを評価することによって組織学的に評価できる。これらの実験の目的は、組換えｍｕＯＰＧ［２２−４０１］−Ｆｃが、ＩＬ１と同一の頭蓋冠領域に皮下注射された場合にＩＬ１の局所および／または全身作用を修飾できるか否かを判断することにある。
ＩＬ−１β実験
４週齢の雄マウス（ＩＣＲ  Ｓｗｉｓｓ  ｗｈｉｔｅ）を以下の処理群（群当たり５匹のマウス）：対照群：ＩＬ１処理動物（マウスは２．５μｇのＩＬ１−βの１注射／日を与えた）；低用量ｍｕＯＰＧ［２２−４０１］−Ｆｃ処理動物（マウスは１μｇのｍｕＯＰＧ［２２−４０１］−Ｆｃの３注射／日を与えた）；低用量ｍｕＯＰＧ［２２−４０１］−ＦｃおよびＩＬ１−β；高用量ｍｕＯＰＧ［２２−４０１］−Ｆｃ処理動物（マウスは１０μｇｍｕＯＰＧ［２２−４０１］−Ｆｃの３注射／日を与えた）；高用量ｍｕＯＰＧ［２２−４０１］−ＦｃおよびＩＬ１−βに分けた。全てのマウスに活性因子またはビヒクル（リン酸緩衝化生理食塩水中０．１％ウシ血清アルブミン）の同一合計数の注射を与えた。最後の注射後の日に全群を犠牲にする。最初の注射の前、第２の注射の４時間後、および第３のＩＬ１注射の２４時間後、動物を犠牲にする直前に体重および血中イオン化カルシウムレベルを測定する。犠牲にした後、頭蓋冠を摘出し、パラフィン切片化のために加工した。
ＩＬ１−α実験
４週齢の雄マウス（ＩＣＲ  Ｓｗｉｓｓ  ｗｈｉｔｅ）を以下の処理群（群当たり５匹のマウス）：対照群：ＩＬ１アルファ処理動物（マウスは５μｇのＩＬ１−アルファの１注射／日を与えた）；低用量ｍｕＯＰＧ［２２−４０１］−Ｆｃ処理動物（マウスは１０μｇのｍｕＯＰＧ［２２−４０１］−Ｆｃの１注射／日を与えた）；低用量ｍｕＯＰＧ［２２−４０１］−ＦｃおよびＩＬ１−アルファ、（用量は前記）；高用量ｍｕＯＰＧ［２２−４０１］−Ｆｃ処理動物（マウスは１０μｇ  ｍｕＯＰＧ［２２−４０１］−Ｆｃの３注射／日を与えた）；高用量ｍｕＯＰＧ［２２−４０１］−ＦｃおよびＩＬ１−αに分けた。全てのマウスに活性因子またはビヒクルの同一合計数の注射／日を与えた。最後の注射後の日に全群を犠牲にした。最初の注射の前、第２の注射の４時間後、および第３のＩＬ１注射の２４時間後、動物を犠牲にする直前に血中イオン化カルシウムレベルを測定した。最初の注射の前、第２の注射の４時間後および第３のＩＬ１注射の２４時間後、動物を犠牲にする直前に動物の体重を測定した。犠牲にした後、頭蓋冠を摘出し、パラフィン切片化のために加工した。
組織学的方法
頭蓋冠骨試料を亜鉛ホルマリン中で固定し、ギ酸中で脱灰し、エタノールにより脱水し、パラフィン中に埋めた。ラムダ縫合に隣接する頭蓋冠により切片（５μｍ厚さ）を切断し、ヘマトキシリンおよびエオシンで染色するか、あるいは酒石酸耐性酸性ホスファターゼ活性につき反応させ（Ｓｉｇｍａキット番号３８７Ａ）、ヘマトキシリンで逆染色した。最も明るいカメラを取り付けた顕微鏡を用い、デジタル化プラテンへの組織学的特徴を追跡することによって、Ｏｓｔｅｏｍｅａｓｕｒｅ（Ｏｓｔｅｏｍｅｔｒｉｃｓ，Ａｔｌａｎｔａ，ＧＡ）を用い、組織形態学的方法によりＩＬ１−α処理マウスにおいて骨吸収を評価した。頭蓋冠骨の骨髄腔において、破骨細胞数、破骨細胞でライニングされた表面、および腐食された表面を測定した。頭蓋冠の注射および非注射側を別々に測定した。
結果
ＩＬ１−αおよびＩＬ１−βは、恐らくは、全身的骨吸収の増加によって、特に第２日において、使用した用量で高カルシウム血症を生じた。高カルシウム血症応答はＩＬ１−ベータ処理マウスにおいてｍｕＯＰＧ［２２−４０１］−Ｆｃによって阻止され、ＩＬ１−アルファで処理したマウスでは有意に減少し、効果は第２日に最も現れた（図２２Ａ−２２Ｂ）。
ＩＬ１−アルファおよびベータで処理したマウスの頭蓋冠の組織学的分析は、ＩＬ１処理単独では、破骨細胞数、破骨細胞でライニングされた表面、および腐食された表面（破骨細胞作用のため深い波形形成を示す表面）を含めた骨吸収の指標において顕著な増加が生じた（図２３Ｂ、表２）。ＩＬ１−αまたはＩＬ１−βに応答して、骨吸収の増加は頭蓋冠の注射および非注射側で同様であった。ｍｕＯＰＧ［２２−４０１］−Ｆｃ注射は、ＩＬ１−アルファおよびベータ処理マウス双方において、およびビヒクル単独を摂取したマウスにおいて、骨吸収を低下させたが、この低下は頭蓋冠のｍｕＯＰＧ［２２−４０１］−Ｆｃ注射側でのみ観察された。
これらの観察についての最もありそうな説明は、ｍｕＯＰＧ［２２−４０１］−Ｆｃが骨吸収を阻害したということであり、ｍｕＯＰＧ［２２−４０１］−Ｆｃ注射側に隣接した頭蓋冠の領域において、全破骨細胞数および骨吸収を受ける利用可能な骨表面のパーセンテージ双方の低下によって支持される結論である。ｍｕＯＰＧ［２２−４０１］−Ｆｃの作用は組織学的方法によって局所的に最も顕著なようであり、ｍｕＯＰＧ［２２−４０１］−ＦｃはＩＬ１−誘導高カルシウム血症の効果をなくするという事実は、ｍｕＯＰＧ［２２−４０１］−Ｆｃが全身的な骨吸収に対してより敏感な効果を有することを示唆する。
0004657388.tif 000082
Ｃ．ｍｕＯＰＧ［２２−４０１］−Ｆｃの成長するマウスにおける全身効果
９．２−１５．７ｇの体重範囲の３−４週齢雄ＢＤＦ１マウスを群当たり１０匹の群に分けた。これらのマウスに生理食塩水またはｍｕＯＰＧ［２２−４０１］−Ｆｃ  ２．５ｍｇ／ｋｇ試行を１４日間（５ｍｇ／ｋｇ／日）皮下注射した。マウスを処理前、第７日および第１４日にＸ−線撮影した。最終の注射の２４時間後にマウスを犠牲にした。右大腿骨を摘出し、亜鉛ホルマリン中で固定し、ギ酸中で脱灰し、パラフィンに埋めた。遠位大腿骨幹端および大腿骨幹の中央領域を通って切片を切断した。組織形態学による骨密度を、成長板の骨幹端境界から一次および二次海綿を通って大腿骨幹（幹）まで伸びる６つの隣接領域において測定した。各領域は０．５×０．５ｍｍ2であった。
Ｘ−線写真の変化
処理の７日後に、対照で観察されたそれに対してＯＰＧ処理マウスにおける成長板に関連した海綿において骨密度が増加したゾーンの証拠があった。該効果は遠位大腿骨および近位脛骨中期で特に顕著であった（図２４Ａ−２４Ｂ）。しかしながら、増加した密度のバンドは椎体、腸骨稜および遠位脛骨ででも現れた。第１４日において、不透明な領域が大腿骨および脛骨幹まで広がったが、Ｘ−線不透過の強度は減少した。加えて、実験の完了時における大腿骨の長さにおいて、または実験の継続中にわたっての長さの変化において差異はなく、これはＯＰＧは骨成長を変化させないことを意味する。
組織学的変化
遠位大腿骨幹端は成長板からの距離１．１ないし２．６５ｍｍの距離の領域において骨密度の増加を示した（図２５および２６Ａ−２６Ｂ）。これは、マウスにおいて破骨細胞−媒介骨吸収によって骨が迅速に除去されている領域である。これらの迅速に成長している若いマウスにおいて、ＯＰＧ処理で観察されたこの領域における骨の増加は、骨吸収の阻害と一致する。
Ｄ．ラットにおける卵巣摘出によって誘導された骨喪失に対するオステオプロテゲリンの効果
１２週齢の雌Ｆｉｓｈｅｒラットを卵巣摘出し（ＯＶＸ）、あるいは偽手術し、遠位大腿骨幹端における骨密度につきデュアルＸ−線吸収実験（ＤＥＸＡ）を行った。回復期間の３日後、動物に以下のごとくに１４日間の間毎日注射した：１０匹の偽手術動物はビヒクル（リン酸緩衝化生理食塩水）を与えた；１０匹のＯＶＸ動物にはビヒクル（リン酸緩衝化生理食塩水）を与えた；６匹のＯＶＸ動物にはＯＰＧ−Ｆｃ  ５ｍｇ／ｋｇを皮下投与した；６匹のＯＶＸ動物にはパミドロネート（ＰＡＭ）５ｍｇ／ｋｇを皮下投与した；６匹のＯＶＸ動物にはエストロゲン（ＥＳＴＲ）４０μｇ／ｋｇを皮下投与した。処理の７および１４日後、動物をＤＥＸＡによって骨密度を測定した。最後の注射の２日後に動物を殺し、右脛骨および大腿骨を組織学的評価のために摘出した。
骨密度のＤＥＸＡ測定は、ＯＰＧ−Ｆｃによって阻止された卵巣摘出後の骨減少低下の傾向を示した。その効果は公知の抗再吸収剤のエストロゲンおよびパノドロメネートと同様であった（図２７）。組織形態学的分析により、未処理ＯＶＸラットで観察されたものよりも有意に高いＯＶＸにおける骨密度を生じるＯＰＧ−Ｆｃ処理での観察が確認された。これらの結果により、卵巣摘出後による内因性エストロゲンの中止に伴う骨喪失におけるＯＰＧの活性が確認された。
イン・ビボの要約
組換えＯＰＧのイン・ビボ作用はＯＰＧトランスジェニックマウスで観察された変化と対応する。ＯＰＧトランスジェニックマウスで観察された破骨細胞数の減少は、正常マウスおよびＩＬ１−αまたはＩＬ１−βで処理したマウス双方における頭蓋冠に局所的に組換えＯＰＧを注射することによって再現された。ＯＰＧトランスジェニックマウスは、大理石骨病に罹り、誕生から第１日に向けて、骨髄は成長板から伸びる骨および再形成されていない軟骨で進行的に充填される。また、正常な第３週齢（成長する）マウスにおいて、ＯＰＧ処理は、軟骨内骨形成の領域において、骨および再形成されていない軟骨の保持を導き、これはＸ−線撮影によって観察された効果であり、組織学的に確認された。かくして、組換えＯＰＧはトランスジェニック動物で観察されたものと同様の正常動物における表現型変化を生じ、該変化は骨吸収のＯＰＧ−誘導阻害と一致する。破骨細胞形成のイン・ビトロアッセイに基づくと、この阻害のうちの有意な割合が損じられた破骨細胞形成によるものである。この仮説と一致して、ＯＰＧはラットにおいて卵巣摘出誘導骨粗鬆症を阻止する。このモデルにおける骨喪失は活性化された破骨細胞によって媒介されることが知られており、これは、一次骨粗鬆症の治療におけるＯＰＧについての役割を示唆する。
実施例１２
ＯＰＧのＰＥＧ化誘導体
還元的アルキル化によるＮ−末端ＰＥＧ−ＯＰＧコンジュゲートの調製
ｈｕＯＰＧ  ｍｅｔ［２２−１９４］  Ｐ２５Ａを２５−５０ｍＭ  ＮａＯＡｃ、ｐＨ４．５−４．８に緩衝液交換し、２−５ｍｇ／ｍｌまで濃縮した。この溶液を用いて、５−７℃にて単官能性ＰＥＧアルデヒドでのＯＰＧ還元的アルキル化を行った。ＰＥＧ単官能性アルデヒド（線状または分岐状、ＭＷ＝１ないし５７ｋＤａ）（Ｓｈｅａｒｗａｔｅｒ  Ｐｏｌｙｍｅｒｓから入手可能）を、ＯＰＧ１モル当たりＰＥＧアルデヒド２−４モルを構成する量にて、固体として、ＯＰＧ溶液に添加した。蛋白質溶液へのポリマーの溶解の後、シアノ水素化ホウ素ナトリウムを添加して、冷ＤＩ水中で１−１．６Ｍの新たに調製したストック溶液からの反応混合物中、１５ないし２０ｍＭの最終濃度とした。反応の進行およびＯＰＧ  ＰＥＧ化の程度は、１００ｍＭ  ＮａＰＯ4、０．５Ｍ  ＮａＣｌ、１０％エタノール、ｐＨ６．９で溶出するＧ３０００ＳＷXLカラム（Ｔｏｓｏ  Ｈａａｓ）でのサイズ排除ＨＰＬＣによってモニターした。典型的には、反応を１６−１８時間進行させ、しかる後、反応混合物を６−８倍希釈し、ｐＨを３．５−４まで低下させた。反応混合物を、３０ｃｍ／ｈの流速で２５カラム容量にわたる０．７５Ｍ  ＮａＣｌまでの直線グラジエントにて２０ｍＭ  ＮａＯＡｃ  ｐＨ４で溶出するイオン交換クロマトグラフィー（ＨＰ  ＳＰ  ＨｉＬｏａｄ  １６／１０、Ｐｈａｒｍａｃｉａ）によって分画した。モノ−、ジ−またはＰＥＧ化ＯＰＧの画分をプールし、ＳＥＣ  ＨＰＬＣおよびＳＤＳ−ＰＡＧＥによって性質を調べ特徴付けた。Ｎ−末端配列決定によって、モノＰＥＧ−ＯＰＧコンジジュゲート（ほとんどの場合における主要反応生成物）は９８％Ｎ−末端ＰＥＧ−修飾ＯＰＧであると判断された。
この手法は、一般に、以下のＮ−末端ＰＥＧ−ＯＰＧコンジョゲート（ここに、ＯＰＧはｈｕＯＰＧ  ｍｅｔ［２２−１９４］Ｐ２５Ａであった）を調製するのに使用した：５ｋＤ  モノＰＥＧ、１０ｋＤ  モノ分岐ＰＥＧ、１２ｋＤ  モノＰＥＧ、２０ｋＤ  モノＰＥＧ、２０ｋＤ  モノ分岐ＰＥＧ、２５ｋＤ  モノＰＥＧ、３１ｋＤ  モノＰＥＧ、５７ｋＤ  モノＰＥＧ、１２ｋＤ  ジＰＥＧ、２５ｋＤ  ジＰＥＧ、３１ｋＤ  ジＰＥＧ、５７ｋＤ  ジＰＥＧ、２５ｋＤ  トリＰＥＧ。
アシル化によるＰＥＧ−ＯＰＧコンジョゲートの調製
ｈｕＯＰＧ  ｍｅｔ［２２−１９４］  Ｐ２５Ａを５０ｍＭ  ＢＩＣＩＮＥ緩衝液、ｐＨ８に緩衝液交換し、２−３ｍｇ／ｍｌまで濃縮した。この溶液を用いて、室温にて、単官能性ＰＥＧ  Ｎ−ヒドロキシスクシニンイミジルエステルによるＯＰＧアシル化を行った。ＰＥＧ  Ｎ−ヒドロキシスクシニンイミジルエステル（線状または分岐状、ＭＷ＝１ないし５７ｋＤａ）（Ｓｈｅａｒｗａｔｅｒ  Ｐｏｌｙｍｅｒｓから入手可能）を、ＯＰＧ１モル当たりＰＥＧ  Ｎ−ヒドロキシスクシニンイミジルエステル４−８モルを構成する量にて、固体として、ＯＰＧ溶液に添加した。反応の進行およびＯＰＧ  ＰＥＧ化の程度は、１００ｍＭ  ＮａＰＯ4、０．５Ｍ  ＮａＣｌ、１０％エタノール、ｐＨ６．９で溶出するＧ３０００ＳＷXLカラム（Ｔｏｓｏ  Ｈａａｓ）でのサイズ排除ＨＰＬＣによってモニターした。典型的には、反応を１時間進行させ、しかる後、反応混合物を６−８倍希釈し、ｐＨを３．５−４まで低下させた。反応混合物を、３０ｃｍ／ｈの流速で２５カラム容量にわたる０．７５Ｍ  ＮａＣｌまでの直線グラジエントにて２０ｍＭ  ＮａＯＡｃ  ｐＨ４で溶出するイオン交換クロマトグラフィー（ＨＰ  ＳＰ  ＨｉＬｏａｄ  １６／１０、Ｐｈａｒｍａｃｉａ）によって分画した。モノ−、ジ−またはＰＥＧ化ＯＰＧの画分をプールし、ＳＥＣ  ＨＰＬＣおよびＳＤＳ−ＰＡＧＥによって性質を調べた。
この手法は、一般に、以下のＮ−末端ＰＥＧ−ＯＰＧコンジョゲートを調製するのに使用した：５ｋＤ  ポリＰＥＧ、２０ｋＤ  ポリＰＥＧ、４０ｋＤ  ポリ分岐ＰＥＧ、５０ｋＤ  ポリＰＥＧ。
ダイマーＰＥＧ−ＯＰＧの調製
中性に近いｐＨにてリン酸緩衝液中、ｈｕＯＰＧ  ｍｅｔ［２２−１９４］  Ｐ２５Ａを１−３ｍｇ／ｍｌにてチオール化のために調製する。ｐＨを７．０に維持し、４℃で２時間ｒｘｎ撹拌しつつ、Ｓ−アセチルメルカプトコハク酸無水物（ＡＭＳＡ）を３−７倍モル過剰で添加する。イオン交換クロマトグラフィーによってモノチオール化−ＯＰＧを未修飾およびポリチオール化ＯＰＧから分離し、保護チオールをヒドロキシルアミンでの処理によって脱保護する。脱保護の後、ヒドロキシルアミンをゲル濾過によって除去し、得られたモノチオール化−ＯＰＧを種々のチオール特異的架橋化学法に付す。ジスルフィド結合ダイマーを生成させるために、＞１ｍｇ／ｍｌのチオール化ＯＰＧを、わずかに塩基性のリン酸緩衝液中での透析によって空気酸化を受けさせる。ｐＨ６．５のリン酸緩衝液中、架橋剤：ＯＰＧの０．６ｘモル比にて、ビス−マレイミド架橋剤、Ｎ，Ｎ−ビス（３−マレイミドプロピアニル）−２−ヒドロキシ１，３−プロパンを＞１ｍｇ／ｍｌのチオール化ＯＰＧと反応させることによって、共有結合チオエーテルＯＰＧダイマーを調製する。同様に、ｐＨ６．５のリン酸緩衝液中、化学量論的量のビス−マレイミドＰＥＧ架橋剤を＞１ｍｇ／ｍｌのチオール化ＯＰＧと反応させることによってＰＥＧダンベルを生成させる。前記ダイマーコンジュゲートのいずれも、イオン交換もしくはサイズ排除クロマトグラフィーいずれかを用いてさらに精製できる。
ダイマーＰＥＧ−ＯＰＧコンジュゲート（ここに、ＯＰＧは前記手法を用いて調製したｈｕＯＰＧ  ｍｅｔ［２２−１９４］  Ｐ２５Ａである）はジスルフィド−結合ＯＰＧダイマー、脂肪族アミン型架橋剤との共有結合チオエーテルＯＰＧダイマー、３．４ｋＤおよび８ｋＤ  ＰＥＧダンベルおよびモノベルを含む。
実施例１１Ａに記載した破骨細胞成熟化アッセイを用いてイン・ビトロに活性につき、および実施例１１Ｃに記載したごとくマウスへの注射の後に骨密度の増加を測定することによってイン・ビボ活性につき、ＰＥＧ−ＯＰＧコンジュゲートをテストした。イン・ビボ活性は以下の表３に示す。
0004657388.tif 000083
本発明を何がその好ましい具体例であるかにつき記載してきたが、本発明は開示の具体例に限定されるものではなく、その反対に、添付の請求の範囲の精神および範囲内に含まれる種々の修飾および同等物をカバーさせる意図であり、その範囲はかかる修飾および同等物を含むように最も広い解釈が容認されるべきである。
配列表
配列番号：１
配列の特徴
配列の長さ：３６塩基対
配列の型：核酸
鎖の数：一本鎖
トポロジー：直鎖状
配列の種類：ｃＤＮＡ
配列の記載：配列番号：１
0004657388.tif 000084
配列番号：２
配列の特徴
配列の長さ：１６塩基対
配列の型：核酸
鎖の数：一本鎖
トポロジー：直鎖状
配列の種類：ｃＤＮＡ
配列の記載：配列番号：２
0004657388.tif 000085
配列番号：３
配列の特徴
配列の長さ：１２塩基対
配列の型：核酸
鎖の数：一本鎖
トポロジー：直鎖状
配列の種類：ｃＤＮＡ
配列の記載：配列番号：３
0004657388.tif 000086
配列番号：４
配列の特徴
配列の長さ：１８塩基対
配列の型：核酸
鎖の数：一本鎖
トポロジー：直鎖状
配列の種類：ｃＤＮＡ
配列の記載：配列番号：４
0004657388.tif 000087
配列番号：５
配列の特徴
配列の長さ：１８塩基対
配列の型：核酸
鎖の数：一本鎖
トポロジー：直鎖状
配列の種類：ｃＤＮＡ
配列の記載：配列番号：５
0004657388.tif 000088
配列番号：６
配列の特徴
配列の長さ：２０塩基対
配列の型：核酸
鎖の数：一本鎖
トポロジー：直鎖状
配列の種類：ｃＤＮＡ
配列の記載：配列番号：６
0004657388.tif 000089
配列番号：７
配列の特徴
配列の長さ：２３塩基対
配列の型：核酸
鎖の数：一本鎖
トポロジー：直鎖状
配列の種類：ｃＤＮＡ
配列の記載：配列番号：７
0004657388.tif 000090
配列番号：８
配列の特徴
配列の長さ：２３塩基対
配列の型：核酸
鎖の数：一本鎖
トポロジー：直鎖状
配列の種類：ｃＤＮＡ
配列の記載：配列番号：８
0004657388.tif 000091
配列番号：９
配列の特徴
配列の長さ：３０塩基対
配列の型：核酸
鎖の数：一本鎖
トポロジー：直鎖状
配列の種類：ｃＤＮＡ
配列の記載：配列番号：９
0004657388.tif 000092
配列番号：１０
配列の特徴
配列の長さ：４５塩基対
配列の型：核酸
鎖の数：一本鎖
トポロジー：直鎖状
配列の種類：ｃＤＮＡ
配列の記載：配列番号：１０
0004657388.tif 000093
配列番号：１１
配列の特徴
配列の長さ：２１塩基対
配列の型：核酸
鎖の数：一本鎖
トポロジー：直鎖状
配列の種類：ｃＤＮＡ
配列の記載：配列番号：１１
0004657388.tif 000094
配列番号：１２
配列の特徴
配列の長さ：２１塩基対
配列の型：核酸
鎖の数：一本鎖
トポロジー：直鎖状
配列の種類：ｃＤＮＡ
配列の記載：配列番号：１２
0004657388.tif 000095
配列番号：１３
配列の特徴
配列の長さ：２４塩基対
配列の型：核酸
鎖の数：一本鎖
トポロジー：直鎖状
配列の種類：ｃＤＮＡ
配列の記載：配列番号：１３
0004657388.tif 000096
配列番号：１４
配列の特徴
配列の長さ：２４塩基対
配列の型：核酸
鎖の数：一本鎖
トポロジー：直鎖状
配列の種類：ｃＤＮＡ
配列の記載：配列番号：１４
0004657388.tif 000097
配列番号：１５
配列の特徴
配列の長さ：２４塩基対
配列の型：核酸
鎖の数：一本鎖
トポロジー：直鎖状
配列の種類：ｃＤＮＡ
配列の記載：配列番号：１５
0004657388.tif 000098
配列番号：１６
配列の特徴
配列の長さ：２４塩基対
配列の型：核酸
鎖の数：一本鎖
トポロジー：直鎖状
配列の種類：ｃＤＮＡ
配列の記載：配列番号：１６
0004657388.tif 000099
配列番号：１７
配列の特徴
配列の長さ：３３塩基対
配列の型：核酸
鎖の数：一本鎖
トポロジー：直鎖状
配列の種類：ｃＤＮＡ
配列の記載：配列番号：１７
0004657388.tif 000100
配列番号：１８
配列の特徴
配列の長さ：３１塩基対
配列の型：核酸
鎖の数：一本鎖
トポロジー：直鎖状
配列の種類：ｃＤＮＡ
配列の記載：配列番号：１８
0004657388.tif 000101
配列番号：１９
配列の特徴
配列の長さ：２４塩基対
配列の型：核酸
鎖の数：一本鎖
トポロジー：直鎖状
配列の種類：ｃＤＮＡ
配列の記載：配列番号：１９
0004657388.tif 000102
配列番号：２０
配列の特徴
配列の長さ：２４塩基対
配列の型：核酸
鎖の数：一本鎖
トポロジー：直鎖状
配列の種類：ｃＤＮＡ
配列の記載：配列番号：２０
0004657388.tif 000103
配列番号：２１
配列の特徴
配列の長さ：２４塩基対
配列の型：核酸
鎖の数：一本鎖
トポロジー：直鎖状
配列の種類：ｃＤＮＡ
配列の記載：配列番号：２１
0004657388.tif 000104
配列番号：２２
配列の特徴
配列の長さ：３３塩基対
配列の型：核酸
鎖の数：一本鎖
トポロジー：直鎖状
配列の種類：ｃＤＮＡ
配列の記載：配列番号：２２
0004657388.tif 000105
配列番号：２３
配列の特徴
配列の長さ：３３塩基対
配列の型：核酸
鎖の数：一本鎖
トポロジー：直鎖状
配列の種類：ｃＤＮＡ
配列の記載：配列番号：２３
0004657388.tif 000106
配列番号：２４
配列の特徴
配列の長さ：３９塩基対
配列の型：核酸
鎖の数：一本鎖
トポロジー：直鎖状
配列の種類：ｃＤＮＡ
配列の記載：配列番号：２４
0004657388.tif 000107
配列番号：２５
配列の特徴
配列の長さ：４５塩基対
配列の型：核酸
鎖の数：一本鎖
トポロジー：直鎖状
配列の種類：ｃＤＮＡ
配列の記載：配列番号：２５
0004657388.tif 000108
配列番号：２６
配列の特徴
配列の長さ：３８塩基対
配列の型：核酸
鎖の数：一本鎖
トポロジー：直鎖状
配列の種類：ｃＤＮＡ
配列の記載：配列番号：２６
0004657388.tif 000109
配列番号：２７
配列の特徴
配列の長さ：４３塩基対
配列の型：核酸
鎖の数：一本鎖
トポロジー：直鎖状
配列の種類：ｃＤＮＡ
配列の記載：配列番号：２７
0004657388.tif 000110
配列番号：２８
配列の特徴
配列の長さ：３８塩基対
配列の型：核酸
鎖の数：一本鎖
トポロジー：直鎖状
配列の種類：ｃＤＮＡ
配列の記載：配列番号：２８
0004657388.tif 000111
配列番号：２９
配列の特徴
配列の長さ：２４塩基対
配列の型：核酸
鎖の数：一本鎖
トポロジー：直鎖状
配列の種類：ｃＤＮＡ
配列の記載：配列番号：２９
0004657388.tif 000112
配列番号：３０
配列の特徴
配列の長さ：３１塩基対
配列の型：核酸
鎖の数：一本鎖
トポロジー：直鎖状
配列の種類：ｃＤＮＡ
配列の記載：配列番号：３０
0004657388.tif 000113
配列番号：３１
配列の特徴
配列の長さ：１９アミノ酸
配列の型：アミノ酸
鎖の数：一本鎖
トポロジー：直鎖状
配列の種類：蛋白質
配列の記載：配列番号：３１
0004657388.tif 000114
配列番号：３２
配列の特徴
配列の長さ：２１塩基対
配列の型：核酸
鎖の数：一本鎖
トポロジー：直鎖状
配列の種類：ｃＤＮＡ
配列の記載：配列番号：３２
0004657388.tif 000115
配列番号：３３
配列の特徴
配列の長さ：３４塩基対
配列の型：核酸
鎖の数：一本鎖
トポロジー：直鎖状
配列の種類：ｃＤＮＡ
配列の記載：配列番号：３３
0004657388.tif 000116
配列番号：３４
配列の特徴
配列の長さ：２１塩基対
配列の型：核酸
鎖の数：一本鎖
トポロジー：直鎖状
配列の種類：ｃＤＮＡ
配列の記載：配列番号：３４
0004657388.tif 000117
配列番号：３５
配列の特徴
配列の長さ：３４塩基対
配列の型：核酸
鎖の数：一本鎖
トポロジー：直鎖状
配列の種類：ｃＤＮＡ
配列の記載：配列番号：３５
0004657388.tif 000118
配列番号：３６
配列の特徴
配列の長さ：３７塩基対
配列の型：核酸
鎖の数：一本鎖
トポロジー：直鎖状
配列の種類：ｃＤＮＡ
配列の記載：配列番号：３６
0004657388.tif 000119
配列番号：３７
配列の特徴
配列の長さ：３８塩基対
配列の型：核酸
鎖の数：一本鎖
トポロジー：直鎖状
配列の種類：ｃＤＮＡ
配列の記載：配列番号：３７
0004657388.tif 000120
配列番号：３８
配列の特徴
配列の長さ：３７塩基対
配列の型：核酸
鎖の数：一本鎖
トポロジー：直鎖状
配列の種類：ｃＤＮＡ
配列の記載：配列番号：３８
0004657388.tif 000121
配列番号：３９
配列の特徴
配列の長さ：３３塩基対
配列の型：核酸
鎖の数：一本鎖
トポロジー：直鎖状
配列の種類：ｃＤＮＡ
配列の記載：配列番号：３９
0004657388.tif 000122
配列番号：４０
配列の特徴
配列の長さ：３５塩基対
配列の型：核酸
鎖の数：一本鎖
トポロジー：直鎖状
配列の種類：ｃＤＮＡ
配列の記載：配列番号：４０
0004657388.tif 000123
配列番号：４１
配列の特徴
配列の長さ：４０塩基対
配列の型：核酸
鎖の数：一本鎖
トポロジー：直鎖状
配列の種類：ｃＤＮＡ
配列の記載：配列番号：４１
0004657388.tif 000124
配列番号：４２
配列の特徴
配列の長さ：２１塩基対
配列の型：核酸
鎖の数：一本鎖
トポロジー：直鎖状
配列の種類：ｃＤＮＡ
配列の記載：配列番号：４２
0004657388.tif 000125
配列番号：４３
配列の特徴
配列の長さ：３５塩基対
配列の型：核酸
鎖の数：一本鎖
トポロジー：直鎖状
配列の種類：ｃＤＮＡ
配列の記載：配列番号：４３
0004657388.tif 000126
配列番号：４４
配列の特徴
配列の長さ：２１塩基対
配列の型：核酸
鎖の数：一本鎖
トポロジー：直鎖状
配列の種類：ｃＤＮＡ
配列の記載：配列番号：４４
0004657388.tif 000127
配列番号：４５
配列の特徴
配列の長さ：３５塩基対
配列の型：核酸
鎖の数：一本鎖
トポロジー：直鎖状
配列の種類：ｃＤＮＡ
配列の記載：配列番号：４５
0004657388.tif 000128
配列番号：４６
配列の特徴
配列の長さ：１５３７塩基対
配列の型：核酸
鎖の数：一本鎖
トポロジー：直鎖状
配列の種類：ｃＤＮＡ
配列の記載：配列番号：４６
0004657388.tif 000129
配列番号：４７
配列の特徴
配列の長さ：４８塩基対
配列の型：核酸
鎖の数：一本鎖
トポロジー：直鎖状
配列の種類：ｃＤＮＡ
配列の記載：配列番号：４７
0004657388.tif 000130
配列番号：４８
配列の特徴
配列の長さ：５５塩基対
配列の型：核酸
鎖の数：一本鎖
トポロジー：直鎖状
配列の種類：ｃＤＮＡ
配列の記載：配列番号：４８
0004657388.tif 000131
配列番号：４９
配列の特徴
配列の長さ：４９塩基対
配列の型：核酸
鎖の数：一本鎖
トポロジー：直鎖状
配列の種類：ｃＤＮＡ
配列の記載：配列番号：４９
0004657388.tif 000132
配列番号：５０
配列の特徴
配列の長さ：１５４６塩基対
配列の型：核酸
鎖の数：一本鎖
トポロジー：直鎖状
配列の種類：ｃＤＮＡ
配列の記載：配列番号：５０
0004657388.tif 000133
配列番号：５１
配列の特徴
配列の長さ：４７塩基対
配列の型：核酸
鎖の数：一本鎖
トポロジー：直鎖状
配列の種類：ｃＤＮＡ
配列の記載：配列番号：５１
0004657388.tif 000134
配列番号：５２
配列の特徴
配列の長さ：４９塩基対
配列の型：核酸
鎖の数：一本鎖
トポロジー：直鎖状
配列の種類：ｃＤＮＡ
配列の記載：配列番号：５２
0004657388.tif 000135
配列番号：５３
配列の特徴
配列の長さ：１４１塩基対
配列の型：核酸
鎖の数：一本鎖
トポロジー：直鎖状
配列の種類：ｃＤＮＡ
配列の記載：配列番号：５３
0004657388.tif 000136
配列番号：５４
配列の特徴
配列の長さ：１４７塩基対
配列の型：核酸
鎖の数：一本鎖
トポロジー：直鎖状
配列の種類：ｃＤＮＡ
配列の記載：配列番号：５４
0004657388.tif 000137
配列番号：５５
配列の特徴
配列の長さ：５５塩基対
配列の型：核酸
鎖の数：一本鎖
トポロジー：直鎖状
配列の種類：ｃＤＮＡ
配列の記載：配列番号：５５
0004657388.tif 000138
配列番号：５６
配列の特徴
配列の長さ：４９塩基対
配列の型：核酸
鎖の数：一本鎖
トポロジー：直鎖状
配列の種類：ｃＤＮＡ
配列の記載：配列番号：５６
0004657388.tif 000139
配列番号：５７
配列の特徴
配列の長さ：６６８塩基対
配列の型：核酸
鎖の数：一本鎖
トポロジー：直鎖状
配列の種類：ｃＤＮＡ
配列の記載：配列番号：５７
0004657388.tif 000140
配列番号：５８
配列の特徴
配列の長さ：７２６塩基対
配列の型：核酸
鎖の数：一本鎖
トポロジー：直鎖状
配列の種類：ｃＤＮＡ
配列の記載：配列番号：５８
0004657388.tif 000141
配列番号：５９
配列の特徴
配列の長さ：４４塩基対
配列の型：核酸
鎖の数：一本鎖
トポロジー：直鎖状
配列の種類：ｃＤＮＡ
配列の記載：配列番号：５９
0004657388.tif 000142
配列番号：６０
配列の特徴
配列の長さ：２７塩基対
配列の型：核酸
鎖の数：一本鎖
トポロジー：直鎖状
配列の種類：ｃＤＮＡ
配列の記載：配列番号：６０
0004657388.tif 000143
配列番号：６１
配列の特徴
配列の長さ：１０２塩基対
配列の型：核酸
鎖の数：一本鎖
トポロジー：直鎖状
配列の種類：ｃＤＮＡ
配列の記載：配列番号：６１
0004657388.tif 000144
配列番号：６２
配列の特徴
配列の長さ：１９アミノ酸
配列の型：アミノ酸
鎖の数：一本鎖
トポロジー：直鎖状
配列の種類：蛋白質
配列の記載：配列番号：６２
0004657388.tif 000145
配列番号：６３
配列の特徴
配列の長さ：８４塩基対
配列の型：核酸
鎖の数：一本鎖
トポロジー：直鎖状
配列の種類：ｃＤＮＡ
配列の記載：配列番号：６３
0004657388.tif 000146
配列番号：６４
配列の特徴
配列の長さ：７８塩基対
配列の型：核酸
鎖の数：一本鎖
トポロジー：直鎖状
配列の種類：ｃＤＮＡ
配列の記載：配列番号：６４
0004657388.tif 000147
配列番号：６５
配列の特徴
配列の長さ：４４塩基対
配列の型：核酸
鎖の数：一本鎖
トポロジー：直鎖状
配列の種類：ｃＤＮＡ
配列の記載：配列番号：６５
0004657388.tif 000148
配列番号：６６
配列の特徴
配列の長さ：３８塩基対
配列の型：核酸
鎖の数：一本鎖
トポロジー：直鎖状
配列の種類：ｃＤＮＡ
配列の記載：配列番号：６６
0004657388.tif 000149
配列番号：６７
配列の特徴
配列の長さ：８４塩基対
配列の型：核酸
鎖の数：一本鎖
トポロジー：直鎖状
配列の種類：ｃＤＮＡ
配列の記載：配列番号：６７
0004657388.tif 000150
配列番号：６８
配列の特徴
配列の長さ：７８塩基対
配列の型：核酸
鎖の数：一本鎖
トポロジー：直鎖状
配列の種類：ｃＤＮＡ
配列の記載：配列番号：６８
0004657388.tif 000151
配列番号：６９
配列の特徴
配列の長さ：５４塩基対
配列の型：核酸
鎖の数：一本鎖
トポロジー：直鎖状
配列の種類：ｃＤＮＡ
配列の記載：配列番号：６９
0004657388.tif 000152
配列番号：７０
配列の特徴
配列の長さ：４８塩基対
配列の型：核酸
鎖の数：一本鎖
トポロジー：直鎖状
配列の種類：ｃＤＮＡ
配列の記載：配列番号：７０
0004657388.tif 000153
配列番号：７１
配列の特徴
配列の長さ：８７塩基対
配列の型：核酸
鎖の数：一本鎖
トポロジー：直鎖状
配列の種類：ｃＤＮＡ
配列の記載：配列番号：７１
0004657388.tif 000154
配列番号：７２
配列の特徴
配列の長さ：８１塩基対
配列の型：核酸
鎖の数：一本鎖
トポロジー：直鎖状
配列の種類：ｃＤＮＡ
配列の記載：配列番号：７２
0004657388.tif 000155
配列番号：７３
配列の特徴
配列の長さ：７１塩基対
配列の型：核酸
鎖の数：一本鎖
トポロジー：直鎖状
配列の種類：ｃＤＮＡ
配列の記載：配列番号：７３
0004657388.tif 000156
配列番号：７４
配列の特徴
配列の長さ：４３塩基対
配列の型：核酸
鎖の数：一本鎖
トポロジー：直鎖状
配列の種類：ｃＤＮＡ
配列の記載：配列番号：７４
0004657388.tif 000157
配列番号：７５
配列の特徴
配列の長さ：７６塩基対
配列の型：核酸
鎖の数：一本鎖
トポロジー：直鎖状
配列の種類：ｃＤＮＡ
配列の記載：配列番号：７５
0004657388.tif 000158
配列番号：７６
配列の特徴
配列の長さ：４７塩基対
配列の型：核酸
鎖の数：一本鎖
トポロジー：直鎖状
配列の種類：ｃＤＮＡ
配列の記載：配列番号：７６
0004657388.tif 000159
配列番号：７７
配列の特徴
配列の長さ：４３塩基対
配列の型：核酸
鎖の数：一本鎖
トポロジー：直鎖状
配列の種類：ｃＤＮＡ
配列の記載：配列番号：７７
0004657388.tif 000160
配列番号：７８
配列の特徴
配列の長さ：４０塩基対
配列の型：核酸
鎖の数：一本鎖
トポロジー：直鎖状
配列の種類：ｃＤＮＡ
配列の記載：配列番号：７８
0004657388.tif 000161
配列番号：７９
配列の特徴
配列の長さ：４０塩基対
配列の型：核酸
鎖の数：一本鎖
トポロジー：直鎖状
配列の種類：ｃＤＮＡ
配列の記載：配列番号：７９
0004657388.tif 000162
配列番号：８０
配列の特徴
配列の長さ：４３塩基対
配列の型：核酸
鎖の数：一本鎖
トポロジー：直鎖状
配列の種類：ｃＤＮＡ
配列の記載：配列番号：８０
0004657388.tif 000163
配列番号：８１
配列の特徴
配列の長さ：１８塩基対
配列の型：核酸
鎖の数：一本鎖
トポロジー：直鎖状
配列の種類：ｃＤＮＡ
配列の記載：配列番号：８１
0004657388.tif 000164
配列番号：８２
配列の特徴
配列の長さ：１８塩基対
配列の型：核酸
鎖の数：一本鎖
トポロジー：直鎖状
配列の種類：ｃＤＮＡ
配列の記載：配列番号：８２
0004657388.tif 000165
配列番号：８３
配列の特徴
配列の長さ：３０塩基対
配列の型：核酸
鎖の数：一本鎖
トポロジー：直鎖状
配列の種類：ｃＤＮＡ
配列の記載：配列番号：８３
0004657388.tif 000166
配列番号：８４
配列の特徴
配列の長さ：３０塩基対
配列の型：核酸
鎖の数：一本鎖
トポロジー：直鎖状
配列の種類：ｃＤＮＡ
配列の記載：配列番号：８４
0004657388.tif 000167
配列番号：８５
配列の特徴
配列の長さ：１２塩基対
配列の型：核酸
鎖の数：一本鎖
トポロジー：直鎖状
配列の種類：ｃＤＮＡ
配列の記載：配列番号：８５
0004657388.tif 000168
配列番号：８６
配列の特徴
配列の長さ：１４塩基対
配列の型：核酸
鎖の数：一本鎖
トポロジー：直鎖状
配列の種類：ｃＤＮＡ
配列の記載：配列番号：８６
0004657388.tif 000169
配列番号：８７
配列の特徴
配列の長さ：２１塩基対
配列の型：核酸
鎖の数：一本鎖
トポロジー：直鎖状
配列の種類：ｃＤＮＡ
配列の記載：配列番号：８７
0004657388.tif 000170
配列番号：８８
配列の特徴
配列の長さ：２３塩基対
配列の型：核酸
鎖の数：一本鎖
トポロジー：直鎖状
配列の種類：ｃＤＮＡ
配列の記載：配列番号：８８
0004657388.tif 000171
配列番号：８９
配列の特徴
配列の長さ：３６塩基対
配列の型：核酸
鎖の数：一本鎖
トポロジー：直鎖状
配列の種類：ｃＤＮＡ
配列の記載：配列番号：８９
0004657388.tif 000172
配列番号：９０
配列の特徴
配列の長さ：３８塩基対
配列の型：核酸
鎖の数：一本鎖
トポロジー：直鎖状
配列の種類：ｃＤＮＡ
配列の記載：配列番号：９０
0004657388.tif 000173
配列番号：９１
配列の特徴
配列の長さ：１００塩基対
配列の型：核酸
鎖の数：一本鎖
トポロジー：直鎖状
配列の種類：ｃＤＮＡ
配列の記載：配列番号：９１
0004657388.tif 000174
配列番号：９２
配列の特徴
配列の長さ：９２塩基対
配列の型：核酸
鎖の数：一本鎖
トポロジー：直鎖状
配列の種類：ｃＤＮＡ
配列の記載：配列番号：９２
0004657388.tif 000175
配列番号：９３
配列の特徴
配列の長さ：２６塩基対
配列の型：核酸
鎖の数：一本鎖
トポロジー：直鎖状
配列の種類：ｃＤＮＡ
配列の記載：配列番号：９３
0004657388.tif 000176
配列番号：９４
配列の特徴
配列の長さ：５０塩基対
配列の型：核酸
鎖の数：一本鎖
トポロジー：直鎖状
配列の種類：ｃＤＮＡ
配列の記載：配列番号：９４
0004657388.tif 000177
配列番号：９５
配列の特徴
配列の長さ：５０塩基対
配列の型：核酸
鎖の数：一本鎖
トポロジー：直鎖状
配列の種類：ｃＤＮＡ
配列の記載：配列番号：９５
0004657388.tif 000178
配列番号：９６
配列の特徴
配列の長さ：４９塩基対
配列の型：核酸
鎖の数：一本鎖
トポロジー：直鎖状
配列の種類：ｃＤＮＡ
配列の記載：配列番号：９６
0004657388.tif 000179
配列番号：９７
配列の特徴
配列の長さ：２６塩基対
配列の型：核酸
鎖の数：一本鎖
トポロジー：直鎖状
配列の種類：ｃＤＮＡ
配列の記載：配列番号：９７
0004657388.tif 000180
配列番号：９８
配列の特徴
配列の長さ：５０塩基対
配列の型：核酸
鎖の数：一本鎖
トポロジー：直鎖状
配列の種類：ｃＤＮＡ
配列の記載：配列番号：９８
0004657388.tif 000181
配列番号：９９
配列の特徴
配列の長さ：４９塩基対
配列の型：核酸
鎖の数：一本鎖
トポロジー：直鎖状
配列の種類：ｃＤＮＡ
配列の記載：配列番号：９９
0004657388.tif 000182
配列番号：１００
配列の特徴
配列の長さ：５０塩基対
配列の型：核酸
鎖の数：一本鎖
トポロジー：直鎖状
配列の種類：ｃＤＮＡ
配列の記載：配列番号：１００
0004657388.tif 000183
配列番号：１０１
配列の特徴
配列の長さ：５９塩基対
配列の型：核酸
鎖の数：一本鎖
トポロジー：直鎖状
配列の種類：ｃＤＮＡ
配列の記載：配列番号：１０１
0004657388.tif 000184
配列番号：１０２
配列の特徴
配列の長さ：４８塩基対
配列の型：核酸
鎖の数：一本鎖
トポロジー：直鎖状
配列の種類：ｃＤＮＡ
配列の記載：配列番号：１０２
0004657388.tif 000185
配列番号：１０３
配列の特徴
配列の長さ：３１塩基対
配列の型：核酸
鎖の数：一本鎖
トポロジー：直鎖状
配列の種類：ｃＤＮＡ
配列の記載：配列番号：１０３
0004657388.tif 000186
配列番号：１０４
配列の特徴
配列の長さ：５９塩基対
配列の型：核酸
鎖の数：一本鎖
トポロジー：直鎖状
配列の種類：ｃＤＮＡ
配列の記載：配列番号：１０４
0004657388.tif 000187
配列番号：１０５
配列の特徴
配列の長さ：５４塩基対
配列の型：核酸
鎖の数：一本鎖
トポロジー：直鎖状
配列の種類：ｃＤＮＡ
配列の記載：配列番号：１０５
0004657388.tif 000188
配列番号：１０６
配列の特徴
配列の長さ：３１塩基対
配列の型：核酸
鎖の数：一本鎖
トポロジー：直鎖状
配列の種類：ｃＤＮＡ
配列の記載：配列番号：１０６
0004657388.tif 000189
配列番号：１０７
配列の特徴
配列の長さ：４４塩基対
配列の型：核酸
鎖の数：一本鎖
トポロジー：直鎖状
配列の種類：ｃＤＮＡ
配列の記載：配列番号：１０７
0004657388.tif 000190
配列番号：１０８
配列の特徴
配列の長さ：４４塩基対
配列の型：核酸
鎖の数：一本鎖
トポロジー：直鎖状
配列の種類：ｃＤＮＡ
配列の記載：配列番号：１０８
0004657388.tif 000191
配列番号：１０９
配列の特徴
配列の長さ：４５塩基対
配列の型：核酸
鎖の数：一本鎖
トポロジー：直鎖状
配列の種類：ｃＤＮＡ
配列の記載：配列番号：１０９
0004657388.tif 000192
配列番号：１１０
配列の特徴
配列の長さ：３９塩基対
配列の型：核酸
鎖の数：一本鎖
トポロジー：直鎖状
配列の種類：ｃＤＮＡ
配列の記載：配列番号：１１０
0004657388.tif 000193
配列番号：１１１
配列の特徴
配列の長さ：３６塩基対
配列の型：核酸
鎖の数：一本鎖
トポロジー：直鎖状
配列の種類：ｃＤＮＡ
配列の記載：配列番号：１１１
0004657388.tif 000194
配列番号：１１２
配列の特徴
配列の長さ：３４塩基対
配列の型：核酸
鎖の数：一本鎖
トポロジー：直鎖状
配列の種類：ｃＤＮＡ
配列の記載：配列番号：１１２
0004657388.tif 000195
配列番号：１１３
配列の特徴
配列の長さ：３６塩基対
配列の型：核酸
鎖の数：一本鎖
トポロジー：直鎖状
配列の種類：ｃＤＮＡ
配列の記載：配列番号：１１３
0004657388.tif 000196
配列番号：１１４
配列の特徴
配列の長さ：３５塩基対
配列の型：核酸
鎖の数：一本鎖
トポロジー：直鎖状
配列の種類：ｃＤＮＡ
配列の記載：配列番号：１１４
0004657388.tif 000197
配列番号：１１５
配列の特徴
配列の長さ：１０２塩基対
配列の型：核酸
鎖の数：一本鎖
トポロジー：直鎖状
配列の種類：ｃＤＮＡ
配列の記載：配列番号：１１５
0004657388.tif 000198
配列番号：１１６
配列の特徴
配列の長さ：９４塩基対
配列の型：核酸
鎖の数：一本鎖
トポロジー：直鎖状
配列の種類：ｃＤＮＡ
配列の記載：配列番号：１１６
0004657388.tif 000199
配列番号：１１７
配列の特徴
配列の長さ：６２塩基対
配列の型：核酸
鎖の数：一本鎖
トポロジー：直鎖状
配列の種類：ｃＤＮＡ
配列の記載：配列番号：１１７
0004657388.tif 000200
配列番号：１１８
配列の特徴
配列の長さ：６２塩基対
配列の型：核酸
鎖の数：一本鎖
トポロジー：直鎖状
配列の種類：ｃＤＮＡ
配列の記載：配列番号：１１８
0004657388.tif 000201
配列番号：１１９
配列の特徴
配列の長さ：５１アミノ酸
配列の型：アミノ酸
鎖の数：一本鎖
トポロジー：直鎖状
配列の種類：蛋白質
配列の記載：配列番号：１１９
0004657388.tif 000202
配列番号：１２０
配列の特徴
配列の長さ：２４３２塩基対
配列の型：核酸
鎖の数：一本鎖
トポロジー：直鎖状
配列の種類：ｃＤＮＡ
（ｉｘ）配列の特徴：
配列を表す記号：ＣＤＳ
存在位置：１２４．．１３２６
配列の記載：配列番号：１２０
0004657388.tif 000203
0004657388.tif 000204
0004657388.tif 000205
配列番号：１２１
配列の特徴
配列の長さ：４０１アミノ
酸配列の型：アミノ酸
トポロジー：直鎖状
配列の種類：蛋白質
配列の記載：配列番号：１２１
0004657388.tif 000206
0004657388.tif 000207
配列番号：１２２
配列の特徴
配列の長さ：１３２４塩基対
配列の型：核酸
鎖の数：一本鎖
トポロジー：直鎖状
配列の種類：ｃＤＮＡ
（ｉｘ）配列の特徴
配列を表す記号：ＣＤＳ
存在位置：９０．．１２９２
配列の記載：配列番号：１２２
0004657388.tif 000208
0004657388.tif 000209
0004657388.tif 000210
配列番号：１２３
配列の特徴
配列の長さ：４０１アミノ酸
配列の型：アミノ酸
トポロジー：直鎖状
配列の種類：蛋白質
配列の記載：配列番号：１２３
0004657388.tif 000211
0004657388.tif 000212
配列番号：１２４
配列の特徴
配列の長さ：１３５５塩基対
配列の型：核酸
鎖の数：一本鎖
トポロジー：直鎖状
配列の種類：ｃＤＮＡ
（ｉｘ）配列の特徴：
配列を表す記号：ＣＤＳ
存在位置：９４．１２９６
配列の記載：配列番号：１２４
0004657388.tif 000213
0004657388.tif 000214
0004657388.tif 000215
配列番号：１２５
配列の特徴
配列の長さ：４０１アミノ酸
配列の型：アミノ酸
トポロジー：直鎖状
配列の種類：蛋白質
配列の記載：配列番号：１２５
0004657388.tif 000216
0004657388.tif 000217
0004657388.tif 000218
配列番号：１２６
配列の特徴
配列の長さ：１３９アミノ酸
配列の型：アミノ酸
鎖の数：一本鎖
トポロジー：直鎖状
配列の種類：蛋白質
配列の記載：配列番号：１２６
0004657388.tif 000219
配列番号：１２７
配列の特徴
配列の長さ：４８塩基対
配列の型：核酸
鎖の数：一本鎖
トポロジー：直鎖状
配列の種類：ｃＤＮＡ
配列の記載：配列番号：１２７
0004657388.tif 000220
配列番号：１２８
配列の特徴
配列の長さ：２１９アミノ酸
配列の型：アミノ酸
鎖の数：一本鎖
トポロジー：直鎖状
配列の種類：蛋白質
配列の記載：配列番号：１２８
0004657388.tif 000221
配列番号：１２９
配列の特徴
配列の長さ：２８０アミノ酸
配列の型：アミノ酸
鎖の数：一本鎖
トポロジー：直鎖状
配列の種類：蛋白質
配列の記載：配列番号：１２９
0004657388.tif 000222
配列番号：１３０
配列の特徴
配列の長さ：２０７アミノ酸
配列の型：アミノ酸
鎖の数：一本鎖
トポロジー：直鎖状
配列の種類：蛋白質
配列の記載：配列番号：１３０
0004657388.tif 000223
配列番号：１３１
配列の特徴
配列の長さ：２２７アミノ酸
配列の型：アミノ酸
鎖の数：一本鎖
トポロジー：直鎖状
配列の種類：蛋白質
配列の記載：配列番号：１３１
0004657388.tif 000224
配列番号：１３２
配列の特徴
配列の長さ：１９７アミノ酸
配列の型：アミノ酸
鎖の数：一本鎖
トポロジー：直鎖状
配列の種類：蛋白質
配列の記載：配列番号：１３２
0004657388.tif 000225
配列番号：１３３
配列の特徴
配列の長さ：２０８アミノ酸
配列の型：アミノ酸
鎖の数：一本鎖
トポロジー：直鎖状
配列の種類：蛋白質
配列の記載：配列番号：１３３
0004657388.tif 000226
配列番号：１３４
配列の特徴
配列の長さ：２２４アミノ酸
配列の型：アミノ酸
鎖の数：一本鎖
トポロジー：直鎖状
配列の種類：蛋白質
配列の記載：配列番号：１３４
0004657388.tif 000227
配列番号：１３５
配列の特徴
配列の長さ：２０５アミノ酸
配列の型：アミノ酸
鎖の数：一本鎖
トポロジー：直鎖状
配列の種類：蛋白質
配列の記載：配列番号：１３５
0004657388.tif 000228
配列番号：１３６
配列の特徴
配列の長さ：１９１アミノ酸
配列の型：アミノ酸
鎖の数：一本鎖
トポロジー：直鎖状
配列の種類：蛋白質
配列の記載：配列番号：１３６
0004657388.tif 000229
配列番号：１３７
配列の特徴
配列の長さ：５４塩基対
配列の型：核酸
鎖の数：一本鎖
トポロジー：直鎖状
配列の種類：ｃＤＮＡ
配列の記載：配列番号：１３７
0004657388.tif 000230
配列番号：１３８
配列の特徴
配列の長さ：３８０アミノ酸
配列の型：アミノ酸
鎖の数：一本鎖
トポロジー：直鎖状
配列の種類：蛋白質
配列の記載：配列番号：１３８
0004657388.tif 000231
0004657388.tif 000232
配列番号：１３９
配列の特徴
配列の長さ：３８０アミノ酸
配列の型：アミノ酸
鎖の数：一本鎖
トポロジー：直鎖状
配列の種類：蛋白質
配列の記載：配列番号：１３９
0004657388.tif 000233
0004657388.tif 000234
配列番号：１４０
配列の特徴
配列の長さ：３０塩基対
配列の型：核酸
鎖の数：一本鎖
トポロジー：直鎖状
配列の種類：ｃＤＮＡ
配列の記載：配列番号：１４０
0004657388.tif 000235
配列番号：１４１
配列の特徴
配列の長さ：３０塩基対
配列の型：核酸
鎖の数：一本鎖
トポロジー：直鎖状
配列の種類：ｃＤＮＡ
配列の記載：配列番号：１４１
0004657388.tif 000236
配列番号：１４２
配列の特徴
配列の長さ：３１塩基対
配列の型：核酸
鎖の数：一本鎖
トポロジー：直鎖状
配列の種類：ｃＤＮＡ
配列の記載：配列番号：１４２
0004657388.tif 000237
配列番号：１４３
配列の特徴
配列の長さ：３１塩基対
配列の型：核酸
鎖の数：一本鎖
トポロジー：直鎖状
配列の種類：ｃＤＮＡ
配列の記載：配列番号：１４３
0004657388.tif 000238
配列番号：１４４
配列の特徴
配列の長さ：２９塩基対
配列の型：核酸
鎖の数：一本鎖
トポロジー：直鎖状
配列の種類：ｃＤＮＡ
配列の記載：配列番号：１４４
0004657388.tif 000239
配列番号：１４５
配列の特徴
配列の長さ：２９塩基対
配列の型：核酸
鎖の数：一本鎖
トポロジー：直鎖状
配列の種類：ｃＤＮＡ
配列の記載：配列番号：１４５
0004657388.tif 000240
配列番号：１４６
配列の特徴
配列の長さ：２９塩基対
配列の型：核酸
鎖の数：一本鎖
トポロジー：直鎖状
配列の種類：ｃＤＮＡ
配列の記載：配列番号：１４６
0004657388.tif 000241
配列番号：１４７
配列の特徴
配列の長さ：２９塩基対
配列の型：核酸
鎖の数：一本鎖
トポロジー：直鎖状
配列の種類：ｃＤＮＡ
配列の記載：配列番号：１４７
0004657388.tif 000242
配列番号：１４８
配列の特徴
配列の長さ：３２塩基対
配列の型：核酸
鎖の数：一本鎖
トポロジー：直鎖状
配列の種類：ｃＤＮＡ
配列の記載：配列番号：１４８
0004657388.tif 000243
配列番号：１４９
配列の特徴
配列の長さ：３２塩基対
配列の型：核酸
鎖の数：一本鎖
トポロジー：直鎖状
配列の種類：ｃＤＮＡ
配列の記載：配列番号：１４９
0004657388.tif 000244
配列番号：１５０
配列の特徴
配列の長さ：２７塩基対
配列の型：核酸
鎖の数：一本鎖
トポロジー：直鎖状
配列の種類：ｃＤＮＡ
配列の記載：配列番号：１５０
0004657388.tif 000245
配列番号：１５１
配列の特徴
配列の長さ：２７塩基対
配列の型：核酸
鎖の数：一本鎖
トポロジー：直鎖状
配列の種類：ｃＤＮＡ
配列の記載：配列番号：１５１
0004657388.tif 000246
配列番号：１５２
配列の特徴
配列の長さ：２５塩基対
配列の型：核酸
鎖の数：一本鎖
トポロジー：直鎖状
配列の種類：ｃＤＮＡ
配列の記載：配列番号：１５２
0004657388.tif 000247
配列番号：１５３
配列の特徴
配列の長さ：２５塩基対
配列の型：核酸
鎖の数：一本鎖
トポロジー：直鎖状
配列の種類：ｃＤＮＡ
配列の記載：配列番号：１５３
0004657388.tif 000248
配列番号：１５４
配列の特徴
配列の長さ：２４塩基対
配列の型：核酸
鎖の数：一本鎖
トポロジー：直鎖状
配列の種類：ｃＤＮＡ
配列の記載：配列番号：１５４
0004657388.tif 000249
配列番号：１５５
配列の特徴
配列の長さ：２４塩基対
配列の型：核酸
鎖の数：一本鎖
トポロジー：直鎖状
配列の種類：ｃＤＮＡ
配列の記載：配列番号：１５５
0004657388.tif 000250
配列番号：１５６
配列の特徴
配列の長さ：２４塩基対
配列の型：核酸
鎖の数：一本鎖
トポロジー：直鎖状
配列の種類：ｃＤＮＡ
配列の記載：配列番号：１５６
0004657388.tif 000251
配列番号：１５７
配列の特徴
配列の長さ：２５塩基対
配列の型：核酸
鎖の数：一本鎖
トポロジー：直鎖状
配列の種類：ｃＤＮＡ
配列の記載：配列番号：１５７
0004657388.tif 000252
配列番号：１５８
配列の特徴
配列の長さ：３３塩基対
配列の型：核酸
鎖の数：一本鎖
トポロジー：直鎖状
配列の種類：ｃＤＮＡ
配列の記載：配列番号：１５８
0004657388.tif 000253
配列番号：１５９
配列の特徴
配列の長さ：３３塩基対
配列の型：核酸
鎖の数：一本鎖
トポロジー：直鎖状
配列の種類：ｃＤＮＡ
配列の記載：配列番号：１５９
0004657388.tif 000254
配列番号：１６０
配列の特徴
配列の長さ：３８塩基対
配列の型：核酸
鎖の数：一本鎖
トポロジー：直鎖状
配列の種類：ｃＤＮＡ
配列の記載：配列番号：１６０
0004657388.tif 000255
配列番号：１６１
配列の特徴
配列の長さ：４４塩基対
配列の型：核酸
鎖の数：一本鎖
トポロジー：直鎖状
配列の種類：ｃＤＮＡ
配列の記載：配列番号：１６１
0004657388.tif 000256
配列番号：１６２
配列の特徴
配列の長さ：３８塩基対
配列の型：核酸
鎖の数：一本鎖
トポロジー：直鎖状
配列の種類：ｃＤＮＡ
配列の記載：配列番号：１６２
0004657388.tif 000257
配列番号：１６３
配列の特徴
配列の長さ：３８塩基対
配列の型：核酸
鎖の数：一本鎖
トポロジー：直鎖状
配列の種類：ｃＤＮＡ
配列の記載：配列番号：１６３
0004657388.tif 000258
配列番号：１６４
配列の特徴
配列の長さ：３８塩基対
配列の型：核酸
鎖の数：一本鎖
トポロジー：直鎖状
配列の種類：ｃＤＮＡ
配列の記載：配列番号：１６４
0004657388.tif 000259
配列番号：１６５
配列の特徴
配列の長さ：３８塩基対
配列の型：核酸
鎖の数：一本鎖
トポロジー：直鎖状
配列の種類：ｃＤＮＡ
配列の記載：配列番号：１６５
0004657388.tif 000260
配列番号：１６６
配列の特徴
配列の長さ：３８塩基対
配列の型：核酸
トポロジー：直鎖状
配列の種類：ｃＤＮＡ
配列の記載：配列番号：１６６
0004657388.tif 000261
配列番号：１６７
配列の特徴
配列の長さ：３８塩基対
配列の型：核酸
鎖の数：一本鎖
トポロジー：直鎖状
配列の種類：ｃＤＮＡ
配列の記載：配列番号：１６７
0004657388.tif 000262
配列番号：１６８
配列の特徴
配列の長さ：１６アミノ酸
配列の型：アミノ酸
トポロジー：直鎖状
配列の種類：蛋白質
配列の記載：配列番号：１６８
0004657388.tif 000263
【図１Ａ】
0004657388.tif 000264
【図１Ｂ】
0004657388.tif 000265
【図１Ｃ】
0004657388.tif 000266
【図２Ａ】
0004657388.tif 000267
【図２Ｂ】
0004657388.tif 000268
【図２Ｃ】
0004657388.tif 000269
【図２Ｄ】
0004657388.tif 000270
【図２Ｅ】
0004657388.tif 000271
【図３】
0004657388.tif 000272
0004657388.tif 000273
【図４Ａ】
0004657388.tif 000274
【図４Ｂ】
0004657388.tif 000275
【図５】
0004657388.tif 000276
【図６Ａ】
0004657388.tif 000277
【図６Ｂ】
0004657388.tif 000278
【図６Ｃ】
0004657388.tif 000279
【図６Ｄ】
0004657388.tif 000280
【図６Ｅ】
0004657388.tif 000281
【図６Ｆ】
0004657388.tif 000282
【図６Ｇ】
0004657388.tif 000283
【図６Ｈ】
0004657388.tif 000284
【図６Ｉ】
0004657388.tif 000285
【図６Ｊ】
0004657388.tif 000286
【図７Ａ】
0004657388.tif 000287
【図７Ｂ】
0004657388.tif 000288
【図７Ｃ】
0004657388.tif 000289
【図７Ｄ】
0004657388.tif 000290
【図７Ｅ】
0004657388.tif 000291
【図７Ｆ】
0004657388.tif 000292
【図７Ｇ】
0004657388.tif 000293
【図７Ｈ】
0004657388.tif 000294
【図８Ａ】
0004657388.tif 000295
【図８Ｂ】
0004657388.tif 000296
【図８Ｃ】
0004657388.tif 000297
【図８Ｄ】
0004657388.tif 000298
【図９Ａ】
0004657388.tif 000299
【図９Ｂ】
0004657388.tif 000300
【図９Ｃ】
0004657388.tif 000301
【図９Ｄ】
0004657388.tif 000302
【図９Ｅ】
0004657388.tif 000303
【図９Ｆ】
0004657388.tif 000304
【図１０】
0004657388.tif 000305
【図１１】
0004657388.tif 000306
【図１２Ａ】
0004657388.tif 000307
【図１２Ｂ】
0004657388.tif 000308
【図１３Ａ】
0004657388.tif 000309
【図１３Ｂ】
0004657388.tif 000310
【図１３Ｃ】
0004657388.tif 000311
【図１４Ａ】
0004657388.tif 000312
【図１４Ｂ】
0004657388.tif 000313
【図１５】
0004657388.tif 000314
【図１６Ａ】
0004657388.tif 000315
【図１６Ｂ】
0004657388.tif 000316
【図１７】
0004657388.tif 000317
【図１８】
0004657388.tif 000318
【図１９Ａ】
0004657388.tif 000319
【図１９Ｂ】
0004657388.tif 000320
【図１９Ｃ】
0004657388.tif 000321
【図１９Ｄ】
0004657388.tif 000322
【図１９Ｅ】
0004657388.tif 000323
【図１９Ｆ】
0004657388.tif 000324
【図１９Ｇ】
0004657388.tif 000325
【図２０】
0004657388.tif 000326
【図２１】
0004657388.tif 000327
【図２２Ａ】
0004657388.tif 000328
【図２２Ｂ】
0004657388.tif 000329
【図２３Ａ】
0004657388.tif 000330
【図２３Ｂ】
0004657388.tif 000331
【図２３Ｃ】
0004657388.tif 000332
【図２３Ｄ】
0004657388.tif 000333
【図２４Ａ】
0004657388.tif 000334
【図２４Ｂ】
0004657388.tif 000335
【図２５】
0004657388.tif 000336
【図２６Ａ】
0004657388.tif 000337
【図２６Ｂ】
0004657388.tif 000338
【図２７】
0004657388.tif 000339
【図２８】
0004657388.tif 000340